(57)【要約】  データ伝送方法および装置が提供される。この解決手段では、１つの競合リソースグループは、複数の端末デバイスグループに分割されてよく、同一のＤＭＲＳを有する端末デバイスが、異なる２つの端末デバイスグループに存在してよい。同一のＤＭＲＳを有する端末デバイスが異なる２つの端末デバイスグループに存在するときであっても、干渉は依然として回避され得る。したがって、本発明の実施形態によると、良好な通信品質を得ながら、１つの競合リソースグループ内の接続された端末デバイスの数が増やされる。
2019500783.tif 000002
【特許請求の範囲】
【請求項１】
データ伝送方法であって、
第１の制御シグナリングを基地局が送信する段階であって、前記第１の制御シグナリングは、第１の時間領域リソース上でデータを伝送するよう競合リソースグループ内の第１の端末デバイスグループをスケジューリングするために使用され、前記競合リソースグループ内の任意の端末デバイスグループ内の任意の異なる２つの端末デバイスの復調基準信号ＤＭＲＳは異なり、前記第１の時間領域リソースは、少なくとも１つの第２の時間領域リソースを含み、前記第２の時間領域リソースは、端末デバイスによって伝送されたデータを前記基地局が受信するときに使用される時間領域単位である、段階と、
前記第１の時間領域リソースの全てのまたはいくつかの第２の時間領域リソース上で前記第１の端末デバイスグループによって伝送されたデータを、前記第１の制御シグナリングにしたがって前記基地局が受信する段階と
を備える方法。
【請求項２】
前記第１の制御シグナリングは、前記第１の端末デバイスグループの第１のグループ識別子を保持し、
第１の制御シグナリングを前記基地局が送信する前記段階の前、前記方法は、
前記第１の端末デバイスグループ内の各端末デバイスに第１の構成情報を前記基地局が送信する段階であって、前記第１の構成情報は、前記第１のグループ識別子を含む、段階をさらに備える、
請求項１に記載の方法。
【請求項３】
前記第１の構成情報はさらに、第１の周期情報と、第３の時間領域リソースを示すために使用される第１の指示情報とを含み、前記第１の周期情報は、前記第１の制御シグナリングによって示されるようなスケジューリングを可能にする時間領域リソースの第１の周期長であり、前記第３の時間領域リソースは、前記第１の制御シグナリングによって示されるようなスケジューリングを可能にする前記時間領域リソースの第１の周期の数であり、前記第３の時間領域リソースは、前記第１の時間領域リソースを含む、
請求項２に記載の方法。
【請求項４】
前記第１の時間領域リソースの全てのまたはいくつかの第２の時間領域リソース上で前記第１の端末デバイスグループによって伝送されたデータを、前記第１の制御シグナリングにしたがって前記基地局が受信する前記段階の後、
前記第１の端末デバイスグループによって伝送された前記データを、前記第１の時間領域リソース以外の前記第３の時間領域リソースにおける時間領域リソース上で、前記第１の周期情報にしたがって前記基地局が受信する段階
をさらに備える請求項３に記載の方法。
【請求項５】
前記第１の構成情報は、物理ダウンリンク制御チャネルＰＤＣＣＨ  ｆｏｒｍａｔ  ０フォーマットの新規データ指示ＮＤＩフィールド、送信電力制御ＴＰＣコマンドｃｏｍｍａｎｄフィールド、巡回シフトＣＳ  ｆｏｒ  復調基準信号ＤＭＲＳおよび直交カバーコードＯＣＣフィールド、または変調および符号化スキームＭＣＳ＆冗長バージョンＲＶフィールドのうちの少なくとも１つを使用して、前記第１のグループ識別子および／または前記第１の指示情報を示す、
請求項３または４に記載の方法。
【請求項６】
前記第１の構成情報は、前記ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つをさらに含む、
請求項５に記載の方法。
【請求項７】
第２の制御シグナリングを前記基地局が送信する段階であって、前記第２の制御シグナリングは、第４の時間領域リソース上でデータを伝送するよう前記競合リソースグループ内の第２の端末デバイスグループをスケジューリングするために使用され、前記第１の時間領域リソースは、前記第４の時間領域リソースとは異なり、前記第４の時間領域リソースは、少なくとも１つの第２の時間領域リソースを含む、段階と、
前記第４の時間領域リソースの全てのまたはいくつかの第２の時間領域リソース上で前記第２の端末デバイスグループによって伝送されたデータを、前記第２の制御シグナリングにしたがって前記基地局が受信する段階と
をさらに備える請求項１または２に記載の方法。
【請求項８】
前記第２の制御シグナリングは、前記第２の端末デバイスグループの第２のグループ識別子を保持し、
第２の制御シグナリングを前記基地局が送信する前記段階の前、前記方法は、
前記第２の端末デバイスグループ内の各端末デバイスに第２の構成情報を前記基地局が送信する段階であって、前記第２の構成情報は、前記第２のグループ識別子を含む、段階をさらに備える、
請求項７に記載の方法。
【請求項９】
前記第２の構成情報はさらに、第２の周期情報と、第５の時間領域リソースを示すために使用される第２の指示情報とを含み、前記第２の周期情報は、前記第２の制御シグナリングによって示されるようなスケジューリングを可能にする時間領域リソースの第２の周期長であり、前記第５の時間領域リソースは、前記第２の制御シグナリングによって示されるようなスケジューリングを可能にする前記時間領域リソースの第２の周期の数であり、前記第５の時間領域リソースは、前記第４の時間領域リソースを含む、
請求項８に記載の方法。
【請求項１０】
前記第４の時間領域リソースの全てのまたはいくつかの第２の時間領域リソース上で前記第２の端末デバイスグループによって伝送されたデータを、前記第２の制御シグナリングにしたがって前記基地局が受信する段階の後、
前記第２の端末デバイスグループによって伝送された前記データを、前記第４の時間領域リソース以外の前記第５の時間領域リソースにおける時間領域リソース上で、前記第２の周期情報にしたがって前記基地局が受信する段階
をさらに備える請求項９に記載の方法。
【請求項１１】
前記第２の構成情報は、ＰＤＣＣＨ  ｆｏｒｍａｔ  ０フォーマットのＮＤＩフィールド、ＴＰＣコマンドフィールド、ＣＳ  ｆｏｒ  ＤＭＲＳおよびＯＣＣフィールド、またはＭＣＳ＆ＲＶフィールドのうちの少なくとも１つを使用して、前記第２のグループ識別子および／または前記第２の指示情報を示す、
請求項９または１０に記載の方法。
【請求項１２】
前記第２の構成情報はさらに、前記ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む、
請求項１１に記載の方法。
【請求項１３】
前記第１の制御シグナリングおよび前記第２の制御シグナリングが同一の時間領域リソース上で送信されたとき、前記第３の時間領域リソースは、前記第５の時間領域リソースと同一であり、前記第３の時間領域リソースは、前記第１の端末デバイスグループが使用できる時間領域リソースであり、前記第３の時間領域リソースは、前記第１の時間領域リソースを含む、
請求項７から１２のいずれか一項に記載の方法。
【請求項１４】
前記競合リソースグループ内の全ての端末デバイスに第３の制御シグナリングを前記基地局が送信する段階であって、前記第３の制御シグナリングは、サウンディング基準信号ＳＲＳを送信するよう前記全ての端末デバイスに命令するために使用される、段階と、
前記基地局が、前記全ての端末デバイスの各々によって送信されたＳＲＳを受信し、前記受信されたＳＲＳにしたがって、対応する端末デバイスのチャネル状態情報ＣＳＩを算出し、前記全ての端末デバイスにそれぞれ対応する前記ＣＳＩにしたがって、前記競合リソースグループ内の前記端末デバイスを再グループ化する段階と
をさらに備える、請求項１から１３のいずれか一項に記載の方法。
【請求項１５】
前記競合リソースグループ内の前記全ての端末デバイスに第４の制御シグナリングを前記基地局が送信する段階であって、前記第４の制御シグナリングは、バッファステータス報告ＢＳＲを送信するよう前記全ての端末デバイスに命令するために使用される、段階と、
前記基地局が、前記全ての端末デバイスによって送信された前記ＢＳＲを受信し、前記全ての端末デバイスによってそれぞれ送信された前記ＢＳＲにしたがって、前記競合リソースグループ内の前記端末デバイスを再グループ化する段階と
をさらに備える、請求項１から１４のいずれか一項に記載の方法。
【請求項１６】
過去の負荷統計にしたがって前記競合リソースグループ内の前記端末デバイスを前記基地局が再グループ化する段階
をさらに備える、請求項１から１５のいずれか一項に記載の方法。
【請求項１７】
前記第１の制御シグナリングおよび前記第２の制御シグナリングの両方は、前記競合リソースグループに対応する競合ベース無線ネットワーク一時識別子ＣＢ−ＲＮＴＩを使用することによってスクランブリングされる、
請求項１から１６のいずれか一項に記載の方法。
【請求項１８】
データ伝送方法であって、
基地局によって送信された第１の制御シグナリングを、競合リソースグループ内の第１の端末デバイスグループ内の端末デバイスが受信する段階であって、前記第１の制御シグナリングは、第１の時間領域リソース上でデータを伝送するよう前記第１の端末デバイスグループをスケジューリングするために使用され、前記競合リソースグループ内の任意の端末デバイスグループ内の任意の異なる２つの端末デバイスの復調基準信号ＤＭＲＳは異なり、前記第１の時間領域リソースは、少なくとも１つの第２の時間領域リソースを含み、前記第２の時間領域リソースは、前記端末デバイスによって伝送されたデータを前記基地局が受信するときに使用される時間領域単位である、段階と、
前記第１の制御シグナリングにしたがって、前記第１の時間領域リソースの全てのまたはいくつかの第２の時間領域リソース上でデータを前記端末デバイスが伝送する段階と
を備える方法。
【請求項１９】
前記第１の制御シグナリングは、前記第１の端末デバイスグループの第１のグループ識別子を保持し、
基地局によって送信された第１の制御シグナリングを競合リソースグループ内の第１の端末デバイスグループ内の端末デバイスが受信する前記段階の前、前記方法は、
前記端末デバイスが、前記基地局によって送信された第１の構成情報を受信し、前記第１の端末デバイスグループのグループ識別子が前記第１のグループ識別子であると、前記第１の構成情報にしたがって判断する段階であって、前記第１の構成情報は、前記第１のグループ識別子を含む、段階をさらに備える、
請求項１８に記載の方法。
【請求項２０】
前記第１の時間領域リソースの全てのまたはいくつかの第２の時間領域リソース上でデータを前記端末デバイスが伝送する前記段階の前、
前記第１のグループ識別子が、前記端末デバイスが属する前記端末デバイスグループのグループ識別子であると前記端末デバイスが判断する段階
をさらに備える請求項１９に記載の方法。
【請求項２１】
前記第１の構成情報はさらに、第１の周期情報と、第３の時間領域リソースを示すために使用される第１の指示情報とを含み、前記第１の周期情報は、前記第１の制御シグナリングによって示されるようなスケジューリングを可能にする時間領域リソースの第１の周期長であり、前記第３の時間領域リソースは、前記第１の制御シグナリングによって示されるようなスケジューリングを可能にする前記時間領域リソースの第１の周期の数であり、前記第３の時間領域リソースは、前記第１の時間領域リソースを含む、
請求項１９または２０に記載の方法。
【請求項２２】
前記第１の制御シグナリングにしたがって、前記第１の時間領域リソースの全てのまたはいくつかの第２の時間領域リソース上でデータを前記端末デバイスが伝送する前記段階の後、
前記第１の時間領域リソース以外の前記第３の時間領域リソースにおける時間領域リソース上でデータを前記第１の周期情報にしたがって前記端末デバイスが送信する段階
をさらに備える請求項２１に記載の方法。
【請求項２３】
前記第１の構成情報は、物理ダウンリンク制御チャネルＰＤＣＣＨ  ｆｏｒｍａｔ  ０フォーマットの新規データ指示ＮＤＩフィールド、送信電力制御ＴＰＣコマンドｃｏｍｍａｎｄフィールド、巡回シフトＣＳ  ｆｏｒ  復調基準信号ＤＭＲＳおよび直交カバーコードＯＣＣフィールド、または変調および符号化スキームＭＣＳ＆冗長バージョンＲＶフィールドのうちの少なくとも１つを使用して、前記第１のグループ識別子および／または前記第１の指示情報を示す、
請求項２１または２２に記載の方法。
【請求項２４】
前記第１の構成情報はさらに、前記ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む、
請求項２３に記載の方法。
【請求項２５】
前記端末デバイスが、前記基地局によって送信された第３の制御シグナリングを受信し、前記第３の制御シグナリングにしたがって前記基地局にサウンディング基準信号ＳＲＳを送信する段階
をさらに備える、請求項１８から２４のいずれか一項に記載の方法。
【請求項２６】
前記端末デバイスが、前記基地局によって送信された第４の制御シグナリングを受信し、前記第４の制御シグナリングにしたがって前記基地局にバッファステータス報告ＢＳＲを送信する段階
をさらに備える、請求項１８から２６のいずれか一項に記載の方法。
【請求項２７】
前記第１の制御シグナリングは、前記競合リソースグループに対応する競合ベース無線ネットワーク一時識別子ＣＢ−ＲＮＴＩを使用することによってスクランブリングされ、
第１の端末デバイスグループ内の端末デバイスが、基地局によって送信された第１の制御シグナリングを受信する前記段階の後、かつ前記第１の制御シグナリングにしたがってデータを伝送する前記段階の前に、前記方法は、
前記端末デバイスが、格納された前記ＣＢ−ＲＮＴＩを使用することによって前記第１の制御シグナリングをデコードし、前記デコードに成功する段階をさらに備える、
請求項１８から２６のいずれか一項に記載の方法。
【請求項２８】
基地局であって、
第１の制御シグナリングを送信するよう構成される送信ユニットであって、前記第１の制御シグナリングは、第１の時間領域リソース上でデータを伝送するよう競合リソースグループ内の第１の端末デバイスグループをスケジューリングするために使用され、前記競合リソースグループ内の任意の端末デバイスグループ内の任意の異なる２つの端末デバイスの復調基準信号ＤＭＲＳは異なり、前記第１の時間領域リソースは、少なくとも１つの第２の時間領域リソースを含み、前記第２の時間領域リソースは、端末デバイスによって伝送されたデータを前記基地局が受信するときに使用される時間領域単位である、送信ユニットと、
前記第１の時間領域リソースの全てのまたはいくつかの第２の時間領域リソース上で前記第１の端末デバイスグループによって伝送されたデータを、前記第１の制御シグナリングにしたがって受信するよう構成される受信ユニットと
を備える基地局。
【請求項２９】
前記第１の制御シグナリングは、前記第１の端末デバイスグループの第１のグループ識別子を保持し、
前記送信ユニットはさらに、前記第１の端末デバイスグループ内の各端末デバイスに第１の構成情報を送信するよう構成され、前記第１の構成情報は、前記第１のグループ識別子を含む、
請求項２８に記載の基地局。
【請求項３０】
前記第１の構成情報はさらに、第１の周期情報と、第３の時間領域リソースを示すために使用される第１の指示情報とを含み、前記第１の周期情報は、前記第１の制御シグナリングによって示されるようなスケジューリングを可能にする時間領域リソースの第１の周期長であり、前記第３の時間領域リソースは、前記第１の制御シグナリングによって示されるようなスケジューリングを可能にする前記時間領域リソースの第１の周期の数であり、前記第３の時間領域リソースは、前記第１の時間領域リソースを含む、
請求項２９に記載の基地局。
【請求項３１】
前記受信ユニットはさらに、前記第１の端末デバイスグループによって伝送された前記データを、前記第１の時間領域リソース以外の前記第３の時間領域リソースにおける時間領域リソース上で、前記第１の周期情報にしたがって受信するよう構成される、
請求項３０に記載の基地局。
【請求項３２】
前記第１の構成情報は、物理ダウンリンク制御チャネルＰＤＣＣＨ  ｆｏｒｍａｔ  ０フォーマットの新規データ指示ＮＤＩフィールド、送信電力制御ＴＰＣコマンドｃｏｍｍａｎｄフィールド、巡回シフトＣＳ  ｆｏｒ  復調基準信号ＤＭＲＳおよび直交カバーコードＯＣＣフィールド、または変調および符号化スキームＭＣＳ＆冗長バージョンＲＶフィールドのうちの少なくとも１つを使用して、前記第１のグループ識別子および／または前記第１の指示情報を示す、
請求項３０または３１に記載の基地局。
【請求項３３】
前記第１の構成情報はさらに、前記ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む、
請求項３２に記載の基地局。
【請求項３４】
前記送信ユニットはさらに、第２の制御シグナリングを送信するよう構成され、前記第２の制御シグナリングは、第４の時間領域リソース上でデータを伝送するよう前記競合リソースグループ内の第２の端末デバイスグループをスケジューリングするために使用され、前記第１の時間領域リソースは、前記第４の時間領域リソースとは異なり、前記第４の時間領域リソースは、少なくとも１つの第２の時間領域リソースを含み、
前記受信ユニットはさらに、前記第４の時間領域リソースの全てのまたはいくつかの第２の時間領域リソース上で前記第２の端末デバイスグループによって伝送されたデータを、前記第２の制御シグナリングにしたがって受信するよう構成される、
請求項２８または２９に記載の基地局。
【請求項３５】
前記第２の制御シグナリングは、前記第２の端末デバイスグループの第２のグループ識別子を保持し、
前記送信ユニットはさらに、前記第２の端末デバイスグループ内の各端末デバイスに第２の構成情報を送信するよう構成され、前記第２の構成情報は、前記第２のグループ識別子を含む、
請求項３４に記載の基地局。
【請求項３６】
前記第２の構成情報はさらに、第２の周期情報と、第５の時間領域リソースを示すために使用される第２の指示情報とを含み、前記第２の周期情報は、前記第２の制御シグナリングによって示されるようなスケジューリングを可能にする時間領域リソースの第２の周期長であり、前記第５の時間領域リソースは、前記第２の制御シグナリングによって示されるようなスケジューリングを可能にする前記時間領域リソースの第２の周期の数であり、前記第５の時間領域リソースは、前記第４の時間領域リソースを含む、
請求項３５に記載の基地局。
【請求項３７】
前記受信ユニットはさらに、前記第２の端末デバイスグループによって伝送された前記データを、前記第４の時間領域リソース以外の前記第５の時間領域リソースにおける時間領域リソース上で、前記第２の周期情報にしたがって受信するよう構成される、
請求項３６に記載の基地局。
【請求項３８】
前記第２の構成情報は、ＰＤＣＣＨ  ｆｏｒｍａｔ  ０フォーマットのＮＤＩフィールド、ＴＰＣコマンドフィールド、ＣＳ  ｆｏｒ  ＤＭＲＳおよびＯＣＣフィールド、またはＭＣＳ＆ＲＶフィールドのうちの少なくとも１つを使用して、前記第２のグループ識別子および／または前記第２の指示情報を示す、
請求項３６または３７に記載の基地局。
【請求項３９】
前記第２の構成情報はさらに、前記ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む、
請求項３８に記載の基地局。
【請求項４０】
前記第１の制御シグナリングおよび前記第２の制御シグナリングが同一の時間領域リソース上で送信されたとき、前記第３の時間領域リソースは、前記第５の時間領域リソースと同一であり、前記第３の時間領域リソースは、前記第１の端末デバイスグループが使用できる時間領域リソースであり、前記第３の時間領域リソースは、前記第１の時間領域リソースを含む、
請求項３４から３９のいずれか一項に記載の基地局。
【請求項４１】
前記送信ユニットはさらに、前記競合リソースグループ内の全ての端末デバイスに第３の制御シグナリングを送信するよう構成され、前記第３の制御シグナリングは、サウンディング基準信号ＳＲＳを送信するよう前記全ての端末デバイスに命令するために使用され、
前記受信ユニットはさらに、前記全ての端末デバイスの各々によって送信されたＳＲＳを受信するよう構成され、
前記基地局はさらに、前記受信されたＳＲＳにしたがって、対応する端末デバイスのチャネル状態情報ＣＳＩを算出し、前記全ての端末デバイスにそれぞれ対応する前記ＣＳＩにしたがって、前記競合リソースグループ内の前記端末デバイスを再グループ化するよう構成される処理ユニットを備える、
請求項２８から４０のいずれか一項に記載の基地局。
【請求項４２】
前記送信ユニットはさらに、前記競合リソースグループ内の前記全ての端末デバイスに第４の制御シグナリングを送信するよう構成され、前記第４の制御シグナリングは、バッファステータス報告ＢＳＲを送信するよう前記全ての端末デバイスに命令するために使用され、
前記受信ユニットはさらに、前記全ての端末デバイスによって送信された前記ＢＳＲを受信するよう構成され、
前記基地局はさらに、前記全ての端末デバイスによってそれぞれ送信された前記ＢＳＲにしたがって前記競合リソースグループ内の前記端末デバイスを再グループ化するよう構成される前記処理ユニットを備える、
請求項２８から４１のいずれか一項に記載の基地局。
【請求項４３】
前記基地局はさらに、過去の負荷統計にしたがって前記競合リソースグループ内の前記端末デバイスを再グループ化するよう構成される前記処理ユニットを備える、
請求項２８から４２のいずれか一項に記載の基地局。
【請求項４４】
前記第１の制御シグナリングおよび前記第２の制御シグナリングの両方は、前記競合リソースグループに対応する競合ベース無線ネットワーク一時識別子ＣＢ−ＲＮＴＩを使用することによってスクランブリングされる、
請求項２８から４３のいずれか一項に記載の基地局。
【請求項４５】
端末デバイスであって、
基地局によって送信された第１の制御シグナリングを受信するよう構成される受信ユニットであって、前記第１の制御シグナリングは、第１の時間領域リソース上でデータを伝送するよう前記第１の端末デバイスグループをスケジューリングするために使用され、前記競合リソースグループ内の任意の端末デバイスグループ内の任意の異なる２つの端末デバイスの復調基準信号ＤＭＲＳは異なり、前記第１の時間領域リソースは、少なくとも１つの第２の時間領域リソースを含み、前記第２の時間領域リソースは、前記端末デバイスによって伝送されたデータを前記基地局が受信するときに使用される時間領域単位である、受信ユニットと、
前記第１の制御シグナリングにしたがって、前記第１の時間領域リソースの全てのまたはいくつかの第２の時間領域リソース上でデータを伝送するよう構成される送信ユニットと
を備える端末デバイス。
【請求項４６】
前記第１の制御シグナリングは、前記第１の端末デバイスグループの第１のグループ識別子を保持し、
前記受信ユニットはさらに、前記基地局によって送信された第１の構成情報を受信するよう構成され、
前記端末デバイスはさらに、前記第１の端末デバイスグループのグループ識別子が前記第１のグループ識別子であると、前記第１の構成情報にしたがって判断するよう構成される処理ユニットを備え、前記第１の構成情報は、前記第１のグループ識別子を含む、
請求項４５に記載の端末デバイス。
【請求項４７】
前記端末デバイスはさらに、前記第１のグループ識別子が、前記端末デバイスが属する端末デバイスグループのグループ識別子であると判断するよう構成される前記処理ユニットを備える、
請求項４６に記載の端末デバイス。
【請求項４８】
前記第１の構成情報はさらに、第１の周期情報と、第３の時間領域リソースを示すために使用される第１の指示情報とを含み、前記第１の周期情報は、前記第１の制御シグナリングによって示されるようなスケジューリングを可能にする時間領域リソースの第１の周期長であり、前記第３の時間領域リソースは、前記第１の制御シグナリングによって示されるようなスケジューリングを可能にする前記時間領域リソースの第１の周期の数であり、前記第３の時間領域リソースは、前記第１の時間領域リソースを含む、
請求項４６または４７に記載の端末デバイス。
【請求項４９】
前記送信ユニットはさらに、前記第１の時間領域リソース以外の前記第３の時間領域リソースにおける時間領域リソース上で、前記第１の周期情報にしたがってデータを送信するよう構成される、
請求項４８に記載の端末デバイス。
【請求項５０】
前記第１の構成情報は、物理ダウンリンク制御チャネルＰＤＣＣＨ  ｆｏｒｍａｔ  ０フォーマットの新規データ指示ＮＤＩフィールド、送信電力制御ＴＰＣコマンドｃｏｍｍａｎｄフィールド、巡回シフトＣＳ  ｆｏｒ  復調基準信号ＤＭＲＳおよび直交カバーコードＯＣＣフィールド、または変調および符号化スキームＭＣＳ＆冗長バージョンＲＶフィールドのうちの少なくとも１つを使用して、前記第１のグループ識別子および／または前記第１の指示情報を示す、
請求項４８または４９に記載の端末デバイス。
【請求項５１】
前記第１の構成情報はさらに、前記ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む、
請求項５０に記載の端末デバイス。
【請求項５２】
前記受信ユニットはさらに、前記基地局によって送信された第３の制御シグナリングを受信するよう構成され、
前記送信ユニットはさらに、前記第３の制御シグナリングにしたがって、前記基地局にサウンディング基準信号ＳＲＳを送信するよう構成される、
請求項４５から５１のいずれか一項に記載の端末デバイス。
【請求項５３】
前記受信ユニットはさらに、前記基地局によって送信された第４の制御シグナリングを受信するよう構成され、
前記送信ユニットはさらに、前記第４の制御シグナリングにしたがって、前記基地局にバッファステータス報告ＢＳＲを送信するよう構成される、
請求項４５から５２のいずれか一項に記載の端末デバイス。
【請求項５４】
前記第１の制御シグナリングは、前記競合リソースグループに対応する競合ベース無線ネットワーク一時識別子ＣＢ−ＲＮＴＩを使用することによってスクランブリングされ、
前記端末デバイスはさらに、格納された前記ＣＢ−ＲＮＴＩを使用することによって前記第１の制御シグナリングをデコードし、前記デコードに成功するよう構成される前記処理ユニットを備える、
請求項４５から５２のいずれか一項に記載の端末デバイス。
【発明の詳細な説明】
【技術分野】
【０００１】
本出願は、２０１５年１１月２７日に中国特許庁に出願され、「データ伝送方法および装置」と題する中国特許出願第２０１５１０８５１４１４．Ｘ号に基づく優先権を主張し、その全体が参照によって本明細書に組み込まれる。
【０００２】
本発明は、通信技術分野に関し、特にはデータ伝送方法および装置に関する。
【背景技術】
【０００３】
現行のＬＴＥ（Ｌｏｎｇ  Ｔｅｒｍ  Ｅｖｏｌｕｔｉｏｎ、ロングタームエボリューション）システムでは、アップリンクデータおよびダウンリンクデータは、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）またはＥ−ＰＤＣＣＨ（Ｅｎｈａｎｃｅｄ−ＰＤＣＣＨ、強化されたＰＤＣＣＨ）を使用することによって一対一にスケジューリングされる。通信技術の発展に伴い、制御チャネル容量にとっては、将来の通信における、ユーザ接続の膨大な数、および同時に接続されるユーザの潜在的な数が課題となる。制御チャネルオーバヘッドの最適化が、将来の進化型ＬＴＥシステムの重要な方向性となってきている。
【０００４】
制御チャネルのオーバヘッドを低減するべく、グループスケジューリングベースアップリンク競合伝送解決手段が開発されている。この解決手段の主なアイデアは、基地局が端末デバイスを複数の競合リソースグループに分類する、各競合リソースグループのアップリンク伝送が、基地局によって送信されたＣＢ−ｇｒａｎｔ（Ｃｏｎｔｅｎｔｉｏｎ−ｂａｓｅｄ  ｇｒａｎｔ、競合ベースグラント）によって開始される、および、基地局が、異なるＣＢ−ＲＮＴＩ（Ｃｏｎｔｅｎｔｉｏｎ−ｂａｓｅｄ  Ｒａｄｉｏ  Ｎｅｔｗｏｒｋ  Ｔｅｍｐｏｒａｒｙ  Ｉｄｅｎｔｉｆｉｅｒ、競合ベース無線ネットワーク一時識別子）を使用したスクランブリングによって、異なる競合リソースグループのＣＢ−ｇｒａｎｔを区別する、というものである。端末デバイスが、当該端末デバイスが属する競合リソースグループにマッチするＣＢ−ｇｒａｎｔを検出したとき、端末デバイスは、ＣＢ−ｇｒａｎｔによってスケジューリングされたリソース上でデータを伝送する。
【０００５】
この解決手段では、基地局は、１つの制御シグナリングを使用して、１つの競合伝送リソースグループにおける複数の端末デバイスをスケジューリングし、端末デバイスのＤＭＲＳ（Ｄｅｍｏｄｕｌａｔｉｏｎ  Ｒｅｆｅｒｅｎｃｅ  Ｓｉｇｎａｌ、復調基準信号）シーケンスを使用して、端末デバイスによって伝送されたアップリンクデータを区別する。この解決手段によると、複数の端末のアップリンク伝送は一回のスケジューリングで可能となる。したがって、スケジューリングオーバヘッドを低減することができる。
【０００６】
制御チャネルのオーバヘッドはグループスケジューリングベースアップリンク競合伝送解決手段にしたがって低減できるが、異なる端末デバイスのＤＭＲＳの間の直交性を確保するためには、１つの競合伝送リソースグループ内の端末デバイスの最大数は８となる。このことは、全システムにおける接続された端末デバイスの数を大いに制限し、接続された端末デバイスの数に対する将来の大規模接続システムの要件を満たし得ない。端末デバイスグループに含まれる端末デバイスの数が８を上回った場合、端末デバイスの通信品質は比較的悪くなる。
【０００７】
したがって、上述のデータ伝送解決手段は、接続された端末デバイスの数と端末デバイスの通信品質との間でバランスをとることができないという問題を有している。
【発明の概要】
【０００８】
本発明の実施形態は、データ伝送方法および装置を提供する。これにより、接続された端末デバイスの数と端末デバイスの通信品質との間でバランスをとることができないという従来技術の問題が解決される。
【０００９】
第１態様によると、データ伝送方法が提供される。当該方法は、第１の制御シグナリングを基地局が送信する段階であって、第１の制御シグナリングは、第１の時間領域リソース上でデータを伝送するよう競合リソースグループ内の第１の端末デバイスグループをスケジューリングするために使用され、競合リソースグループ内の任意の端末デバイスグループ内の任意の異なる２つの端末デバイスの復調基準信号ＤＭＲＳは異なり、第１の時間領域リソースは、少なくとも１つの第２の時間領域リソースを含み、第２の時間領域リソースは、端末デバイスによって伝送されたデータを基地局が受信するときに使用される時間領域単位である、段階と、第１の時間領域リソースの全てのまたはいくつかの第２の時間領域リソース上で第１の端末デバイスグループによって伝送されたデータを、第１の制御シグナリングにしたがって基地局が受信する段階とを備える。
【００１０】
第１態様に関連して、第１の可能な実装例において、第１の制御シグナリングは、第１の端末デバイスグループの第１のグループ識別子を保持し、第１の制御シグナリングを基地局が送信する段階の前、当該方法は、第１の端末デバイスグループ内の各端末デバイスに第１の構成情報を基地局が送信する段階であって、第１の構成情報は、第１のグループ識別子を含む、段階をさらに備える。
【００１１】
第１態様の第１の可能な実装例に関連して、第２の可能な実装例において、第１の構成情報はさらに、第１の周期情報と、第３の時間領域リソースを示すために使用される第１の指示情報とを含み、第１の周期情報は、第１の制御シグナリングによって示されるようなスケジューリングを可能にする時間領域リソースの第１の周期長であり、第３の時間領域リソースは、第１の制御シグナリングによって示されるようなスケジューリングを可能にする時間領域リソースの第１の周期の数であり、第３の時間領域リソースは、第１の時間領域リソースを含む。
【００１２】
第１態様の第２の可能な実装例に関連して、第３の可能な実装例において、第１の時間領域リソースの全てのまたはいくつかの第２の時間領域リソース上で第１の端末デバイスグループによって伝送されたデータを、第１の制御シグナリングにしたがって基地局が受信する段階の後、当該方法は、第１の端末デバイスグループによって伝送されたデータを、第１の時間領域リソース以外の第３の時間領域リソースにおける時間領域リソース上で、第１の周期情報にしたがって基地局が受信する段階をさらに備える。
【００１３】
第１態様の第２または第３の可能な実装例に関連して、第４の可能な実装例において、第１の構成情報は、物理ダウンリンク制御チャネルＰＤＣＣＨ  ｆｏｒｍａｔ  ０フォーマットの新規データ指示ＮＤＩフィールド、送信電力制御ＴＰＣコマンドｃｏｍｍａｎｄフィールド、巡回シフトＣＳ  ｆｏｒ  復調基準信号ＤＭＲＳおよび直交カバーコードＯＣＣフィールド、または、変調および符号化スキームＭＣＳ＆冗長バージョンＲＶフィールドのうちの少なくとも１つを使用して、第１のグループ識別子および／または第１の指示情報を示す。
【００１４】
第１態様の第４の可能な実装例に関連して、第５の可能な実装例において、第１の構成情報はさらに、ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む。
【００１５】
第１態様、または第１態様の第１の可能な実装例に関連して、第６の可能な実装例において、当該方法は、第２の制御シグナリングを基地局が送信する段階であって、第２の制御シグナリングは、第４の時間領域リソース上でデータを伝送するよう競合リソースグループ内の第２の端末デバイスグループをスケジューリングするために使用され、第１の時間領域リソースは、第４の時間領域リソースとは異なり、第４の時間領域リソースは、少なくとも１つの第２の時間領域リソースを含む、段階と、第４の時間領域リソースの全てのまたはいくつかの第２の時間領域リソース上で第２の端末デバイスグループによって伝送されたデータを、第２の制御シグナリングにしたがって基地局が受信する段階とをさらに備える。
【００１６】
第１態様の第６の可能な実装例に関連して、第７の可能な実装例において、第２の制御シグナリングは、第２の端末デバイスグループの第２のグループ識別子を保持し、第２の制御シグナリングを基地局が送信する段階の前、当該方法は、第２の端末デバイスグループ内の各端末デバイスに第２の構成情報を基地局が送信する段階であって、第２の構成情報は、第２のグループ識別子を含む、段階をさらに備える。
【００１７】
第１態様の第７の可能な実装例に関連して、第８の可能な実装例において、第２の構成情報はさらに、第２の周期情報と、第５の時間領域リソースを示すために使用される第２の指示情報とを含み、第２の周期情報は、第２の制御シグナリングによって示されるようなスケジューリングを可能にする時間領域リソースの第２の周期長であり、第５の時間領域リソースは、第２の制御シグナリングによって示されるようなスケジューリングを可能にする時間領域リソースの第２の周期の数であり、第５の時間領域リソースは、第４の時間領域リソースを含む。
【００１８】
第１態様の第８の可能な実装例に関連して、第９の可能な実装例において、第４の時間領域リソースの全てのまたはいくつかの第２の時間領域リソース上で第２の端末デバイスグループによって伝送されたデータを、第２の制御シグナリングにしたがって基地局が受信する段階の後、当該方法は、第２の端末デバイスグループによって伝送されたデータを、第４の時間領域リソース以外の第５の時間領域リソースにおける時間領域リソース上で、第２の周期情報にしたがって基地局が受信する段階をさらに備える。
【００１９】
第１態様の第８または第９の可能な実装例に関連して、第１０の可能な実装例において、第２の構成情報は、ＰＤＣＣＨ  ｆｏｒｍａｔ  ０フォーマットのＮＤＩフィールド、ＴＰＣコマンドフィールド、ＣＳ  ｆｏｒ  ＤＭＲＳおよびＯＣＣフィールド、またはＭＣＳ＆ＲＶフィールドのうちの少なくとも１つを使用して、第２のグループ識別子および／または第２の指示情報を示す。
【００２０】
第１態様の第１０の可能な実装例に関連して、第１１の可能な実装例において、第２の構成情報はさらに、ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む。
【００２１】
第１態様の第６から第１１の可能な実装例のうちのいずれか１つに関連して、第１２の可能な実装例において、第１の制御シグナリングと第２の制御シグナリングとが同一の時間領域リソース上で送信されたとき、第３の時間領域リソースは第５の時間領域リソースと同一であり、第３の時間領域リソースは、第１の端末デバイスグループが使用できる時間領域リソースであり、第３の時間領域リソースは、第１の時間領域リソースを含む。
【００２２】
第１態様、または第１態様の第１から第１２の可能な実装例のうちのいずれか１つに関連して、第１３の可能な実装例において、当該方法は、競合リソースグループ内の全ての端末デバイスに第３の制御シグナリングを基地局が送信する段階であって、第３の制御シグナリングは、サウンディング基準信号ＳＲＳを送信するよう全ての端末デバイスに命令するために使用される、段階と、基地局が、全ての端末デバイスの各々によって送信されたＳＲＳを受信し、受信されたＳＲＳにしたがって、対応する端末デバイスのチャネル状態情報ＣＳＩを算出し、全ての端末デバイスにそれぞれ対応するＣＳＩにしたがって、競合リソースグループ内の端末デバイスを再グループ化する段階とをさらに備える。
【００２３】
第１態様、または第１態様の第１から第１３の可能な実装例のうちのいずれか１つに関連して、第１４の可能な実装例において、当該方法は、競合リソースグループ内の全ての端末デバイスに第４の制御シグナリングを基地局が送信する段階であって、第４の制御シグナリングは、バッファステータス報告ＢＳＲを送信するよう全ての端末デバイスに命令するために使用される、段階と、基地局が、全ての端末デバイスによって送信されたＢＳＲを受信し、全ての端末デバイスによってそれぞれ送信されたＢＳＲにしたがって、競合リソースグループ内の端末デバイスを再グループ化する段階とをさらに備える。
【００２４】
第１態様、または第１態様の第１から第１４の可能な実装例のうちのいずれか１つに関連して、第１５の可能な実装例において、当該方法は、過去の負荷統計にしたがって、競合リソースグループ内の端末デバイスを基地局によって再グループ化する段階をさらに備える。
【００２５】
第１態様、または第１態様の第１から第１５の可能な実装例のうちのいずれか１つに関連して、第１６の可能な実装例において、第１の制御シグナリングおよび第２の制御シグナリングの両方は、競合リソースグループに対応する競合ベース無線ネットワーク一時識別子ＣＢ−ＲＮＴＩを使用することによってスクランブリングされる。
【００２６】
第２態様によると、データ伝送方法が提供される。当該方法は、基地局によって送信された第１の制御シグナリングを、競合リソースグループ内の第１の端末デバイスグループ内の端末デバイスが受信する段階であって、第１の制御シグナリングは、第１の時間領域リソース上でデータを伝送するよう第１の端末デバイスグループをスケジューリングするために使用され、競合リソースグループ内の任意の端末デバイスグループ内の任意の異なる２つの端末デバイスの復調基準信号ＤＭＲＳは異なり、第１の時間領域リソースは、少なくとも１つの第２の時間領域リソースを含み、第２の時間領域リソースは、端末デバイスによって伝送されたデータを基地局が受信するときに使用される時間領域単位である、段階と、第１の制御シグナリングにしたがって、第１の時間領域リソースの全てのまたはいくつかの第２の時間領域リソース上でデータを端末デバイスが伝送する段階とを備える。
【００２７】
第２態様に関連して、第１の可能な実装例において、第１の制御シグナリングは、第１の端末デバイスグループの第１のグループ識別子を保持し、基地局によって送信された第１の制御シグナリングを、競合リソースグループ内の第１の端末デバイスグループ内の端末デバイスが受信する段階の前、当該方法は、端末デバイスが、基地局によって送信された第１の構成情報を受信し、第１の端末デバイスグループのグループ識別子が第１のグループ識別子であると第１の構成情報にしたがって判断する段階であって、第１の構成情報は、第１のグループ識別子を含む、段階をさらに備える。
【００２８】
第２態様の第１の可能な実装例に関連して、第２の可能な実装例において、第１の時間領域リソースの全てのまたはいくつかの第２の時間領域リソース上でデータを端末デバイスが伝送する段階の前、当該方法は、第１のグループ識別子が、端末デバイスが属する端末デバイスグループのグループ識別子であると端末デバイスが判断する段階をさらに備える。
【００２９】
第２態様の第１または第２の可能な実装例に関連して、第３の可能な実装例において、第１の構成情報はさらに、第１の周期情報と、第３の時間領域リソースを示すために使用される第１の指示情報とを含み、第１の周期情報は、第１の制御シグナリングによって示されるようなスケジューリングを可能にする時間領域リソースの第１の周期長であり、第３の時間領域リソースは、第１の制御シグナリングによって示されるようなスケジューリングを可能にする時間領域リソースの第１の周期の数であり、第３の時間領域リソースは、第１の時間領域リソースを含む。
【００３０】
第２態様の第３の可能な実装例に関連して、第４の可能な実装例において、第１の制御シグナリングにしたがって、第１の時間領域リソースの全てのまたはいくつかの第２の時間領域リソース上でデータを端末デバイスが伝送する段階の後、当該方法は、第１の時間領域リソース以外の第３の時間領域リソースにおける時間領域リソース上でデータを第１の周期情報にしたがって端末デバイスが送信する段階をさらに備える。
【００３１】
第２態様の第３または第４の可能な実装例に関連して、第５の可能な実装例において、第１の構成情報は、物理ダウンリンク制御チャネルＰＤＣＣＨ  ｆｏｒｍａｔ  ０フォーマットの新規データ指示ＮＤＩフィールド、送信電力制御ＴＰＣコマンドｃｏｍｍａｎｄフィールド、巡回シフトＣＳ  ｆｏｒ  復調基準信号ＤＭＲＳおよび直交カバーコードＯＣＣフィールド、または変調および符号化スキームＭＣＳ＆冗長バージョンＲＶフィールドのうちの少なくとも１つを使用して、第１のグループ識別子および／または第１の指示情報を示す。
【００３２】
第２態様の第５の可能な実装例に関連して、第６の可能な実装例において、第１の構成情報はさらに、ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む。
【００３３】
第２態様、または第２態様の第１から第６の可能な実装例のうちのいずれか１つに関連して、第７の可能な実装例において、当該方法は、端末デバイスが、基地局によって送信された第３の制御シグナリングを受信し、第３の制御シグナリングにしたがって基地局にサウンディング基準信号ＳＲＳを送信する段階をさらに備える。
【００３４】
第２態様、または第２態様の第１から第７の可能な実装例のうちのいずれか１つに関連して、第８の可能な実装例において、当該方法は、端末デバイスが、基地局によって送信された第４の制御シグナリングを受信し、第４の制御シグナリングにしたがって基地局にバッファステータス報告ＢＳＲを送信する段階をさらに備える。
【００３５】
第２態様、または第２態様の第１から第８の可能な実装例のうちのいずれか１つに関連して、第９の可能な実装例において、第１の制御シグナリングは、競合リソースグループに対応する競合ベース無線ネットワーク一時識別子ＣＢ−ＲＮＴＩを使用することによってスクランブリングされ、第１の端末デバイスグループ内の端末デバイスが、基地局によって送信された第１の制御シグナリングを受信する段階の後、かつ第１の制御シグナリングにしたがってデータを伝送する段階の前に、当該方法は、端末デバイスが、格納されたＣＢ−ＲＮＴＩを使用することによって第１の制御シグナリングをデコードし、デコードに成功する段階をさらに備える。
【００３６】
第３態様によると、基地局が提供される。当該基地局は、第１の制御シグナリングを送信するよう構成される送信ユニットであって、第１の制御シグナリングは、第１の時間領域リソース上でデータを伝送するよう競合リソースグループ内の第１の端末デバイスグループをスケジューリングするために使用され、競合リソースグループ内の任意の端末デバイスグループ内の任意の異なる２つの端末デバイスの復調基準信号ＤＭＲＳは異なり、第１の時間領域リソースは、少なくとも１つの第２の時間領域リソースを含み、第２の時間領域リソースは、端末デバイスによって伝送されたデータを基地局が受信するときに使用される時間領域単位である、送信ユニットと、第１の時間領域リソースの全てのまたはいくつかの第２の時間領域リソース上で第１の端末デバイスグループによって伝送されたデータを、第１の制御シグナリングにしたがって受信するよう構成される受信ユニットとを備える。
【００３７】
第３態様に関連して、第１の可能な実装例において、第１の制御シグナリングは第１の端末デバイスグループの第１のグループ識別子を保持し、送信ユニットはさらに、第１の端末デバイスグループ内の各端末デバイスに第１の構成情報を送信するよう構成され、第１の構成情報は第１のグループ識別子を含む。
【００３８】
第３態様の第１の可能な実装例に関連して、第２の可能な実装例において、第１の構成情報はさらに、第１の周期情報と、第３の時間領域リソースを示すために使用される第１の指示情報とを含み、第１の周期情報は、第１の制御シグナリングによって示されるようなスケジューリングを可能にする時間領域リソースの第１の周期長であり、第３の時間領域リソースは、第１の制御シグナリングによって示されるようなスケジューリングを可能にする時間領域リソースの第１の周期の数であり、第３の時間領域リソースは、第１の時間領域リソースを含む。
【００３９】
第３態様の第２の可能な実装例に関連して、第３の可能な実装例において、受信ユニットはさらに、第１の端末デバイスグループによって伝送されたデータを、第１の時間領域リソース以外の第３の時間領域リソースにおける時間領域リソース上で、第１の周期情報にしたがって受信するよう構成される。
【００４０】
第３態様の第２または第３の可能な実装例に関連して、第４の可能な実装例において、第１の構成情報は、物理ダウンリンク制御チャネルＰＤＣＣＨ  ｆｏｒｍａｔ  ０フォーマットの新規データ指示ＮＤＩフィールド、送信電力制御ＴＰＣコマンドｃｏｍｍａｎｄフィールド、巡回シフトＣＳ  ｆｏｒ  復調基準信号ＤＭＲＳおよび直交カバーコードＯＣＣフィールド、または変調および符号化スキームＭＣＳ＆冗長バージョンＲＶフィールドのうちの少なくとも１つを使用して、第１のグループ識別子および／または第１の指示情報を示す。
【００４１】
第３態様の第４の可能な実装例に関連して、第５の可能な実装例において、第１の構成情報はさらに、ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む。
【００４２】
第３態様、または第３態様の第１の可能な実装例に関連して、第６の可能な実装例において、送信ユニットはさらに、第２の制御シグナリングを送信するよう構成され、第２の制御シグナリングは、第４の時間領域リソース上でデータを伝送するよう競合リソースグループ内の第２の端末デバイスグループをスケジューリングするために使用され、第１の時間領域リソースは、第４の時間領域リソースとは異なり、第４の時間領域リソースは、少なくとも１つの第２の時間領域リソースを含み、受信ユニットはさらに、第４の時間領域リソースの全てのまたはいくつかの第２の時間領域リソース上で第２の端末デバイスグループによって伝送されたデータを、第２の制御シグナリングにしたがって受信するよう構成される。
【００４３】
第３態様の第６の可能な実装例に関連して、第７の可能な実装例において、第２の制御シグナリングは、第２の端末デバイスグループの第２のグループ識別子を保持し、送信ユニットはさらに、第２の端末デバイスグループ内の各端末デバイスに第２の構成情報を送信するよう構成され、第２の構成情報は、第２のグループ識別子を含む。
【００４４】
第３態様の第７の可能な実装例に関連して、第８の可能な実装例において、第２の構成情報はさらに、第２の周期情報と、第５の時間領域リソースを示すために使用される第２の指示情報とを含み、第２の周期情報は、第２の制御シグナリングによって示されるようなスケジューリングを可能にする時間領域リソースの第２の周期長であり、第５の時間領域リソースは、第２の制御シグナリングによって示されるようなスケジューリングを可能にする時間領域リソースの第２の周期の数であり、第５の時間領域リソースは、第４の時間領域リソースを含む。
【００４５】
第３態様の第８の可能な実装例に関連して、第９の可能な実装例において、受信ユニットはさらに、第２の端末デバイスグループによって伝送されたデータを、第４の時間領域リソース以外の第５の時間領域リソースにおける時間領域リソース上で、第２の周期情報にしたがって受信するよう構成される。
【００４６】
第３態様の第８または第９の可能な実装例に関連して、第１０の可能な実装例において、第２の構成情報は、ＰＤＣＣＨ  ｆｏｒｍａｔ  ０フォーマットのＮＤＩフィールド、ＴＰＣコマンドフィールド、ＣＳ  ｆｏｒ  ＤＭＲＳおよびＯＣＣフィールド、またはＭＣＳ＆ＲＶフィールドのうちの少なくとも１つを使用して、第２のグループ識別子および／または第２の指示情報を示す。
【００４７】
第３態様の第１０の可能な実装例に関連して、第１１の可能な実装例において、第２の構成情報はさらに、ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む。
【００４８】
第３態様の第６から第１１の可能な実装例のうちのいずれか１つに関連して、第１２の可能な実装例において、第１の制御シグナリングと第２の制御シグナリングとが同一の時間領域リソース上で送信されたとき、第３の時間領域リソースは第５の時間領域リソースと同一であり、第３の時間領域リソースは、第１の端末デバイスグループが使用できる時間領域リソースであり、第３の時間領域リソースは、第１の時間領域リソースを含む。
【００４９】
第３態様、または第３態様の第１から第１２の可能な実装例のうちのいずれか１つに関連して、第１３の可能な実装例において、送信ユニットはさらに、競合リソースグループ内の全ての端末デバイスに第３の制御シグナリングを送信するよう構成され、第３の制御シグナリングは、サウンディング基準信号ＳＲＳを送信するよう全ての端末デバイスに命令するために使用され、受信ユニットはさらに、全ての端末デバイスの各々によって送信されたＳＲＳを受信するよう構成され、基地局はさらに、受信されたＳＲＳにしたがって、対応する端末デバイスのチャネル状態情報ＣＳＩを算出し、全ての端末デバイスにそれぞれ対応するＣＳＩにしたがって、競合リソースグループ内の端末デバイスを再グループ化するよう構成される処理ユニットを備える。
【００５０】
第３態様、または第３態様の第１から第１３の可能な実装例のうちのいずれか１つに関連して、第１４の可能な実装例において、送信ユニットはさらに、競合リソースグループ内の全ての端末デバイスに第４の制御シグナリングを送信するよう構成され、第４の制御シグナリングは、バッファステータス報告ＢＳＲを送信するよう全ての端末デバイスに命令するために使用され、受信ユニットはさらに、全ての端末デバイスによって送信されたＢＳＲを受信するよう構成され、基地局はさらに、全ての端末デバイスによってそれぞれ送信されたＢＳＲにしたがって競合リソースグループ内の端末デバイスを再グループ化するよう構成される処理ユニットを備える。
【００５１】
第３態様、または第３態様の第１から第１４の可能な実装例のうちのいずれか１つに関連して、第１５の可能な実装例において、基地局はさらに、過去の負荷統計にしたがって競合リソースグループ内の端末デバイスを再グループ化するよう構成される処理ユニットを備える。
【００５２】
第３態様、または第３態様の第１から第１５の可能な実装例のうちのいずれか１つに関連して、第１６の可能な実装例において、第１の制御シグナリングおよび第２の制御シグナリングの両方は、競合リソースグループに対応する競合ベース無線ネットワーク一時識別子ＣＢ−ＲＮＴＩを使用することによってスクランブリングされる。
【００５３】
第４態様によると、端末デバイスが提供される。当該端末デバイスは、基地局によって送信された第１の制御シグナリングを受信するよう構成される受信ユニットであって、第１の制御シグナリングは、第１の時間領域リソース上でデータを伝送するよう第１の端末デバイスグループをスケジューリングするために使用され、競合リソースグループ内の任意の端末デバイスグループ内の任意の異なる２つの端末デバイスの復調基準信号ＤＭＲＳは異なり、第１の時間領域リソースは、少なくとも１つの第２の時間領域リソースを含み、第２の時間領域リソースは、端末デバイスによって伝送されたデータを基地局が受信するときに使用される時間領域単位である、受信ユニットと、第１の制御シグナリングにしたがって、第１の時間領域リソースの全てのまたはいくつかの第２の時間領域リソース上でデータを伝送するよう構成される送信ユニットとを備える。
【００５４】
第４態様に関連して、第１の可能な実装例において、第１の制御シグナリングは、第１の端末デバイスグループの第１のグループ識別子を保持し、受信ユニットはさらに、基地局によって送信された第１の構成情報を受信するよう構成され、端末デバイスはさらに、第１の端末デバイスグループのグループ識別子が第１のグループ識別子であると、第１の構成情報にしたがって判断するよう構成される処理ユニットであって、第１の構成情報は、第１のグループ識別子を含む、処理ユニットを備える。
【００５５】
第４態様の第１の可能な実装例に関連して、第２の可能な実装例において、端末デバイスはさらに、第１のグループ識別子が、端末デバイスが属する端末デバイスグループのグループ識別子であると判断するよう構成される処理ユニットを備える。
【００５６】
第４態様の第１または第２の可能な実装例に関連して、第３の可能な実装例において、第１の構成情報はさらに、第１の周期情報と、第３の時間領域リソースを示すために使用される第１の指示情報とを含み、第１の周期情報は、第１の制御シグナリングによって示されるようなスケジューリングを可能にする時間領域リソースの第１の周期長であり、第３の時間領域リソースは、第１の制御シグナリングによって示されるようなスケジューリングを可能にする時間領域リソースの第１の周期の数であり、第３の時間領域リソースは、第１の時間領域リソースを含む。
【００５７】
第４態様の第３の可能な実装例に関連して、第４の可能な実装例において、送信ユニットはさらに、第１の時間領域リソース以外の第３の時間領域リソースにおける時間領域リソース上で、第１の周期情報にしたがってデータを送信するよう構成される。
【００５８】
第４態様の第３または第４の可能な実装例に関連して、第５の可能な実装例において、第１の構成情報は、物理ダウンリンク制御チャネルＰＤＣＣＨ  ｆｏｒｍａｔ  ０フォーマットの新規データ指示ＮＤＩフィールド、送信電力制御ＴＰＣコマンドｃｏｍｍａｎｄフィールド、巡回シフトＣＳ  ｆｏｒ  復調基準信号ＤＭＲＳおよび直交カバーコードＯＣＣフィールド、または変調および符号化スキームＭＣＳ＆冗長バージョンＲＶフィールドのうちの少なくとも１つを使用して、第１のグループ識別子および／または第１の指示情報を示す。
【００５９】
第４態様の第５の可能な実装例に関連して、第６の可能な実装例において、第１の構成情報はさらに、ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む。
【００６０】
第４態様、または第４態様の第１から第６の可能な実装例のうちのいずれか１つに関連して、第７の可能な実装例において、受信ユニットはさらに、基地局によって送信された第３の制御シグナリングを受信するよう構成され、送信ユニットはさらに、第３の制御シグナリングにしたがって、基地局にサウンディング基準信号ＳＲＳを送信するよう構成される。
【００６１】
第４態様、または第４態様の第１から第７の可能な実装例のうちのいずれか１つに関連して、第８の可能な実装例において、受信ユニットはさらに、基地局によって送信された第４の制御シグナリングを受信するよう構成され、送信ユニットはさらに、第４の制御シグナリングにしたがって基地局にバッファステータス報告ＢＳＲを送信するよう構成される。
【００６２】
第４態様、または第４態様の第１から第８の可能な実装例のうちのいずれか１つに関連して、第９の可能な実装例において、第１の制御シグナリングは、競合リソースグループに対応する競合ベース無線ネットワーク一時識別子ＣＢ−ＲＮＴＩを使用することによってスクランブリングされ、端末デバイスはさらに、格納されたＣＢ−ＲＮＴＩを使用することによって第１の制御シグナリングをデコードし、デコードに成功するよう構成される処理ユニットを備える。
【００６３】
本発明の実施形態において、データ伝送方法が提供される。この解決手段では、１つの競合リソースグループは、複数の端末デバイスグループに分割されてよく、同一のＤＭＲＳを有する端末デバイスが、異なる２つの端末デバイスグループに存在してよい。同一のＤＭＲＳを有する端末デバイスが異なる２つの端末デバイスグループに存在するときであっても、干渉は依然として回避され得る。したがって、本発明の実施形態によると、良好な通信品質を得ながら、１つの競合リソースグループ内の接続された端末デバイスの数が増やされる。
【図面の簡単な説明】
【００６４】
【図１Ａ】本発明の一実施形態に係るデータ伝送のフローチャートである。
【００６５】
【図１Ｂ】本発明の一実施形態に係るグループ識別子指示ビットの概略図である。
【００６６】
【図１Ｃ】本発明の一実施形態に係る端末デバイスグループの概略図である。
【００６７】
【図２】本発明の一実施形態に係るデータ伝送の別のフローチャートである。
【００６８】
【図３Ａ】本発明の一実施形態に係る基地局の概略図である。
【００６９】
【図３Ｂ】本発明の一実施形態に係る基地局の別の概略図である。
【００７０】
【図４Ａ】本発明の一実施形態に係る端末デバイスの概略図である。
【００７１】
【図４Ｂ】本発明の一実施形態に係る端末デバイスの別の概略図である。
【発明を実施するための形態】
【００７２】
本発明の目的、技術的解決手段、および利点をより明確にするべく、以下ではさらに、添付図面に関連して本発明を詳細に説明する。説明される実施形態が、本発明の実施形態の全てではなく一部に過ぎないことは明らかである。創造的な努力なく本発明の実施形態に基づいて当業者によって得られる他の全ての実施形態は、本発明の保護範囲内に当然に含まれる。
【００７３】
本発明のより良好な理解の一助となるよう、以下では、本発明が適用可能な応用分野および基本的技術を説明する。
【００７４】
本発明の実施形態における技術的解決手段は、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ、グローバルシステムフォーモバイルコミュニケーション）、ＣＤＭＡ（Ｃｏｄｅ  Ｄｉｖｉｓｉｏｎ  Ｍｕｌｔｉｐｌｅ  Ａｃｃｅｓｓ、符号分割多元接続）システム、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ、広帯域符号分割多元接続）システム、ＧＰＲＳ（Ｇｅｎｅｒａｌ  Ｐａｃｋｅｔ  Ｒａｄｉｏ  Ｓｅｒｖｉｃｅ、汎用パケット無線サービス）システム、またはＬＴＥ（Ｌｏｎｇ  Ｔｅｒｍ  Ｅｖｏｌｕｔｉｏｎ、ロングタームエボリューション）システムなどの様々な通信システムに適用されてよい。
【００７５】
端末デバイス（Ｔｅｒｍｉｎａｌ  Ｄｅｖｉｃｅ）は、モバイル端末（Ｍｏｂｉｌｅ  Ｔｅｒｍｉｎａ）、またはモバイル端末デバイス等とも称されてよく、ここでは具体的に限定されない。端末デバイスは、無線アクセスネットワーク（例えば、ＲＡＮ（Ｒａｄｉｏ  Ａｃｃｅｓｓ  Ｎｅｔｗｏｒｋ、無線アクセスネットワーク）を使用することによって１または複数のコアネットワークと通信してよい。端末デバイスは、携帯電話（「セルラ」電話とも称される）などのモバイル端末であってよく、または、モバイル端末を備えるコンピュータであってよい。例えば、端末デバイスは、音声および／またはデータを無線アクセスネットワークと交換する、ポータブルの、ポケットサイズの、ハンドヘルドの、コンピュータ内蔵型の、または車載のモバイル装置であってよい。
【００７６】
基地局は、ＧＳＭ（登録商標）またはＣＤＭＡにおけるベーストランシーバ基地局（ＢＴＳ、Ｂａｓｅ  Ｔｒａｎｓｃｅｉｖｅｒ  Ｓｔａｔｉｏｎ）であってよく、ＷＣＤＭＡ（登録商標）におけるノードＢ（ＮｏｄｅＢ）であってもよく、または、ＬＴＥにおける進化型ノードＢ（ｅＮＢまたはｅ−ＮｏｄｅＢ、ｅｖｏｌｕｔｉｏｎａｌ  Ｎｏｄｅ  Ｂ）であってよい。このことは、本発明の実施形態において具体的に限定されていない。
【００７７】
本発明の目的、技術的解決手段、および利点をより明確にするべく、以下ではさらに、添付図面に関連して本発明を詳細に説明する。説明される実施形態が、本発明の実施形態の全てではなく一部に過ぎないことは明らかである。創造的な努力なく本発明の実施形態に基づいて当業者によって得られる他の全ての実施形態は、本発明の保護範囲内に当然に含まれる。
【００７８】
「複数の」は、２つ、または２つより多いことを指す。「および／または」という用語は、関連対象物を説明するための対応関係を説明し、３つの関係が存在し得ることを表す。例えば、Ａおよび／またはＢは、Ａのみ存在すること、ＡおよびＢの両方が存在すること、ならびに、Ｂのみ存在することの３つのケースを表してよい。「／」という文字は概して、関連対象物間の「または」の関係を示す。
【００７９】
以下では、添付図面に関連して、本発明の好適な実装例が詳細に説明される。本明細書において説明される好適な実施形態は、本発明を例示し説明するために使用されるに過ぎず、本発明を限定することは意図されていないことを理解されたい。加えて、本出願の実施形態、および実施形態における特徴は、それらが互いに矛盾しない場合、組み合わせられてよい。
【００８０】
以下では、添付図面に関連して本発明の実施形態を詳細に説明する。
【００８１】
図１Ａを参照すると、本発明の一実施形態において、データ伝送のフローチャートは以下のとおりである。
【００８２】
段階１００：基地局が第１の制御シグナリングを送信する。ここで、第１の制御シグナリングは、第１の時間領域リソース上でデータを伝送するよう競合リソースグループ内の第１の端末デバイスグループをスケジューリングするために使用され、競合リソースグループ内の任意の端末デバイスグループ内の任意の異なる２つの端末デバイスの復調基準信号ＤＭＲＳは異なり、第１の時間領域リソースは、少なくとも１つの第２の時間領域リソースを含み、第２の時間領域リソースは、端末デバイスによって伝送されたデータを基地局が受信するときに使用される時間領域単位である。
【００８３】
段階１１０：基地局が、第１の時間領域リソースの全てのまたはいくつかの第２の時間領域リソース上で第１の端末デバイスグループによって伝送されたデータを、第１の制御シグナリングにしたがって受信する。
【００８４】
本発明のこの実施形態において、第１の制御シグナリングは、端末デバイスグループをスケジューリングするために使用される。したがって、第１の制御シグナリングはさらに、第１の端末デバイスグループの第１のグループ識別子を保持する。このやり方で、当該制御シグナリングを受信する端末デバイスは、当該端末デバイスが属する端末デバイスグループをスケジューリングするために当該制御シグナリングが使用されるかどうかを判断できる。
【００８５】
例えば、競合リソースグループは、端末デバイス１、端末デバイス２、...、端末デバイス１０という１０個の端末デバイスを備え、競合リソースグループは、端末デバイスグループ１および端末デバイスグループ２という２つの端末デバイスグループに分割される。端末デバイスグループ１は、端末デバイス１、端末デバイス２、端末デバイス３、端末デバイス４、および端末デバイス５を有し、端末デバイスグループ２は、端末デバイス６、端末デバイス７、端末デバイス８、端末デバイス９、および端末デバイス１０を有する。第１の制御シグナリングは、端末デバイスグループ１をスケジューリングするために使用される。したがって、第１の制御シグナリングは、端末デバイスグループ１の第１のグループ識別子を保持する。このやり方で、第１の制御シグナリングを受信した後、端末デバイスグループ１内の各端末は、端末デバイスグループ１がスケジューリングされるべきかどうかを、第１の制御シグナリングにおける第１のグループ識別子にしたがって判断できる。
【００８６】
本発明のこの実施形態において、制御シグナリングにおけるｎビットが、グループ識別子を示すために使用されてよい。ｎが１の場合、競合リソースグループは、最大２つの端末デバイスグループを備えてよく、ｎが２の場合、競合リソースグループは最大４つの端末デバイスグループを備えてよく、あとは類推によって推定されよう。実際の適用要件と、端末デバイスグループ指示ビットフィールドの利用効率とを考慮すると、任意選択で、ｎの値の範囲は［１，３］であってよい。図１Ｂに示すように、ｎの値は２であり、示された端末デバイスグループは、端末デバイスグループ２のグループ識別子である。
【００８７】
ＬＴＥシステムでは、１つの制御シグナリングは、１つの端末デバイスグループの１つのアップリンク伝送のみをスケジューリングするために使用され得る。しかしながら、大規模接続のシナリオにおいては、このスケジューリング方式は、リソースオーバヘッドが過度に高いという欠点を有する。したがって、本発明のこの実施形態において、制御シグナリングは特定の実効時間を有する。すなわち、実効時間内において、スケジューリングされた端末デバイスは、制御シグナリングのスケジューリングに従う。したがって、本発明のこの実施形態において、リソース利用率を向上させ、シグナリングオーバヘッドを低減するべく、第１の構成情報はさらに、第１の周期情報と、第３の時間領域リソースを示すために使用される第１の指示情報とを含み、第１の周期情報は、第１の制御シグナリングによって示されるようなスケジューリングを可能にする時間領域リソースの第１の周期長であり、第３の時間領域リソースは、第１の制御シグナリングによって示されるようなスケジューリングを可能にする時間領域リソースの第１の周期の数であり、第３の時間領域リソースは、第１の時間領域リソースを含む。
【００８８】
この場合、第１の時間領域リソースの全てのまたはいくつかの第２の時間領域リソース上で第１の端末デバイスグループによって伝送されたデータを、第１の制御シグナリングにしたがって基地局が受信する動作の後、第１の端末デバイスグループによって伝送されたデータを、第１の時間領域リソース以外の第３の時間領域リソースにおける時間領域リソース上で、第１の周期情報にしたがって基地局が受信する動作がさらに含まれる。
【００８９】
例えば、競合リソースグループは、端末デバイス１、端末デバイス２、...、端末デバイス１０という１０個の端末デバイスを備え、競合リソースグループは、端末デバイスグループ１および端末デバイスグループ２という２つの端末デバイスグループに分割される。端末デバイスグループ１は、端末デバイス１、端末デバイス２、端末デバイス３、端末デバイス４、および端末デバイス５を有し、端末デバイスグループ２は、端末デバイス６、端末デバイス７、端末デバイス８、端末デバイス９、および端末デバイス１０を有する。第１の制御シグナリングは、端末デバイスグループ１をスケジューリングするために使用され、第１の周期情報は、１０個のサブフレームを含み、第１の時間領域リソースは、サブフレーム１、サブフレーム２、サブフレーム３、サブフレーム５、およびサブフレーム１０を含み、第３の時間領域リソースは、３つの第１の周期、すなわち、３０個のサブフレームを含む。端末デバイスグループ１内の各端末デバイスは、第１番目の第１の周期（すなわち、サブフレーム１からサブフレーム１０）におけるサブフレーム１、サブフレーム２、サブフレーム３、サブフレーム５、およびサブフレーム１０においてデータを伝送し、次に、第２番目の第１の周期における１０個のサブフレーム（すなわち、サブフレーム１からサブフレーム１０）のうちのサブフレーム１、サブフレーム２、サブフレーム３、サブフレーム５、およびサブフレーム１０においてデータを伝送し、次に、第３番目の第１の周期における１０個のサブフレーム（すなわち、サブフレーム１からサブフレーム１０）のうちのサブフレーム１、サブフレーム２、サブフレーム３、サブフレーム５、およびサブフレーム１０においてデータを伝送してよい。このやり方で、基地局は、１０個のサブフレームごとに一回第１の制御シグナリングを送信する必要はなく、３つの第１の周期において一回第１の制御シグナリングを送信するだけでよく、それによって、シグナリングオーバヘッドを低減し、リソース利用率を向上させる。
【００９０】
第１の時間領域リソースは、連続であっても、不連続であってもよいことに留意されたい。例えば、第１の時間領域リソースは、サブフレーム１からサブフレーム５を含んでよく、または、サブフレーム１、サブフレーム３、サブフレーム５、サブフレーム７、およびサブフレーム９を含んでよい。
【００９１】
例えば、第１の制御シグナリングの９ビットは、第１の周期に含まれる時間領域リソースによって占有されるビットである。１個のサブフレームが第１の端末デバイスグループによって使用され得るかどうかを示すために１ビットが使用され、第１の制御シグナリングにおける９ビットは、各第１の周期における９個のサブフレームが第１の端末デバイスグループによって使用され得るかどうかを示してよい。ビットがセットされていることは、対応するサブフレームが第１の端末デバイスグループによって使用され得ることを示し、ビットがリセットされていることは、対応するサブフレームが、第１の端末デバイスグループによって使用され得ないことを示し、または逆もまた同様である。
【００９２】
この実施形態の上述の説明において、第１の周期に含まれる時間領域リソースが９ビットを占有することは、９個のサブフレームが第１の端末デバイスグループによって使用され得るかどうかを示してよい。もちろん、実際の適用では、９より少ない数のサブフレームが第１の端末デバイスグループによって使用され得るかどうかが代替的に示されてよい。例えば、第１の周期に含まれる時間領域リソースが８ビット、７ビット、または６ビットを占有することは、８個のサブフレーム、７個のサブフレーム、または６個のサブフレームが第１の端末デバイスグループによって使用され得るかどうかを示してよい。ここではさらなる詳細は説明しない。
【００９３】
本発明のこの実施形態において、第１の構成情報は、ＰＤＣＣＨ  ｆｏｒｍａｔ  ０フォーマットのＮＤＩ（Ｎｅｗ  Ｄａｔａ  Ｉｎｄｉｃａｔｏｒ、新規データ指示子）フィールド、ＴＰＣ（Ｔｒａｎｓｍｉｓｓｉｏｎ  Ｐｏｗｅｒ  Ｃｏｎｔｒｏｌ、送信電力制御）コマンド（ｃｏｍｍａｎｄ）フィールド、ＣＳ（Ｃｙｃｌｉｃ  Ｓｈｉｆｔ、巡回シフト）  ｆｏｒ  ＤＭＲＳおよびＯＣＣ（Ｏｒｔｈｏｇｏｎａｌ  Ｃｏｖｅｒ  Ｃｏｄｅ、直交カバーコード）フィールド、またはＭＣＳ（Ｍｏｄｕｌａｔｉｏｎ  ａｎｄ  Ｃｏｄｉｎｇ  Ｓｃｈｅｍｅ、変調および符号化スキーム）＆ＲＶ（Ｒｅｄｕｎｄａｎｃｙ  Ｖｅｒｓｉｏｎ、冗長バージョン）フィールドのうちの少なくとも１つを使用して、第１のグループ識別子および／または第１の指示情報を示す。
【００９４】
その上、第１の構成情報はさらに、ＰＤＣＣＨ  ｆｏｒｍａｔ  ０フォーマットのキャリア指示フィールド、ｆｏｒｍａｔ  ０／１ａ指示フィールド、周波数ホッピング指示フィールド、リソース指示および周波数ホッピングリソース割り当てフィールド、アップリンクインデックス、またはＣＳＩ要求フィールドのうちの少なくとも１つを含む。これらのフィールドは、これらの元の機能を保持できる。
【００９５】
本発明のこの実施形態において、第１の端末デバイスグループに加えて、競合リソースグループは、第２の端末デバイスグループを備えてよい。したがって、当該方法は、第２の制御シグナリングを基地局が送信する動作であって、第２の制御シグナリングは、第４の時間領域リソース上でデータを伝送するよう競合リソースグループ内の第２の端末デバイスグループをスケジューリングするために使用され、第１の時間領域リソースは、第４の時間領域リソースとは異なり、第４の時間領域リソースは、少なくとも１つの第２の時間領域リソースを含む、動作と、第４の時間領域リソースの全てのまたはいくつかの第２の時間領域リソース上で第２の端末デバイスグループによって伝送されたデータを、第２の制御シグナリングにしたがって基地局が受信する動作とをさらに備えてよい。
【００９６】
本発明のこの実施形態において、第２の制御シグナリングは、端末デバイスグループをスケジューリングするために使用される。したがって、第２の制御シグナリングはさらに、第２の端末デバイスグループの第２のグループ識別子を保持する。このやり方でのみ、当該制御シグナリングを受信する端末デバイスは、当該端末デバイスが属する端末デバイスグループをスケジューリングするために当該制御シグナリングが使用されるかどうかを判断できる。
【００９７】
本発明のこの実施形態において、任意選択で、第２の制御シグナリングは、第２の端末デバイスグループの第２のグループ識別子を保持する。
【００９８】
さらに、第２の制御シグナリングを基地局が送信する動作の前に、第２の端末デバイスグループ内の各端末デバイスに第２の構成情報を基地局が送信する動作であって、第２の構成情報は、第２のグループ識別子を含む、動作がさらに含まれる。
【００９９】
例えば、競合リソースグループは、端末デバイス１、端末デバイス２、...、端末デバイス１０という１０個の端末デバイスを備え、競合リソースグループは、端末デバイスグループ１および端末デバイスグループ２という２つの端末デバイスグループに分割される。端末デバイスグループ１は、端末デバイス１、端末デバイス２、端末デバイス３、端末デバイス４、および端末デバイス５を有し、端末デバイスグループ２は、端末デバイス６、端末デバイス７、端末デバイス８、端末デバイス９、および端末デバイス１０を有する。第２の制御シグナリングは、端末デバイスグループ２をスケジューリングするために使用される。したがって、第２の制御シグナリングは、端末デバイスグループ２の第２のグループ識別子を保持する。このやり方で、第２の制御シグナリングを受信した後、端末デバイスグループ２内の各端末は、端末デバイスグループ２がスケジューリングされるべきかどうかを、第２の制御シグナリングにおける第２のグループ識別子にしたがって判断できる。
【０１００】
ＬＴＥシステムでは、１つの制御シグナリングは、１つの端末デバイスグループの１つのアップリンク伝送のみをスケジューリングするために使用され得る。しかしながら、大規模接続のシナリオにおいては、このスケジューリング方式は、リソースオーバヘッドが過度に高いという欠点を有する。したがって、本発明のこの実施形態において、制御シグナリングは特定の実効時間を有する。すなわち、実効時間内において、スケジューリングされた端末デバイスは、制御シグナリングのスケジューリングに従う。したがって、本発明のこの実施形態において、リソース利用率を向上させ、シグナリングオーバヘッドを低減するべく、第２の構成情報はさらに、第２の周期情報と、第５の時間領域リソースを示すために使用される第２の指示情報とを含み、第２の周期情報は、第２の制御シグナリングによって示されるようなスケジューリングを可能にする時間領域リソースの第２の周期長であり、第５の時間領域リソースは、第２の制御シグナリングによって示されるようなスケジューリングを可能にする時間領域リソースの第２の周期の数であり、第５の時間領域リソースは、第４の時間領域リソースを含む。
【０１０１】
この場合、第４の時間領域リソースの全てのまたはいくつかの第２の時間領域リソース上で第２の端末デバイスグループによって伝送されたデータを、第２の制御シグナリングにしたがって基地局が受信する動作の後、第２の端末デバイスグループによって伝送されたデータを、第４の時間領域リソース以外の第５の時間領域リソースにおける時間領域リソース上で、第２の周期情報にしたがって基地局が受信する動作がさらに含まれる。
【０１０２】
例えば、競合リソースグループは、端末デバイス１、端末デバイス２、...、端末デバイス１０という１０個の端末デバイスを備え、競合リソースグループは、端末デバイスグループ１および端末デバイスグループ２という２つの端末デバイスグループに分割される。端末デバイスグループ１は、端末デバイス１、端末デバイス２、端末デバイス３、端末デバイス４、および端末デバイス５を有し、端末デバイスグループ２は、端末デバイス６、端末デバイス７、端末デバイス８、端末デバイス９、および端末デバイス１０を有する。第２の制御シグナリングは、端末デバイスグループ２をスケジューリングするために使用され、第２の周期情報は、１０個のサブフレームを含み、第４の時間領域リソースは、サブフレーム１、サブフレーム２、サブフレーム３、サブフレーム５、サブフレーム１０を含み、第５の時間領域リソースは、３つの第２の周期、すなわち、３０個のサブフレームを含む。端末デバイスグループ２内の各端末デバイスは、第１番目の第２の周期（すなわち、サブフレーム１からサブフレーム１０）におけるサブフレーム１、サブフレーム２、サブフレーム３、サブフレーム５、およびサブフレーム１０においてデータを伝送し、次に、第２番目の第２の周期における１０個のサブフレーム（すなわち、サブフレーム１からサブフレーム１０）のうちのサブフレーム１、サブフレーム２、サブフレーム３、サブフレーム５、およびサブフレーム１０においてデータを伝送し、次に、第３番目の第２の周期における１０個のサブフレーム（すなわち、サブフレーム１からサブフレーム１０）のうちのサブフレーム１、サブフレーム２、サブフレーム３、サブフレーム５、およびサブフレーム１０においてデータを伝送してよい。このやり方で、基地局は、１０個のサブフレームごとに一回第１の制御シグナリングを送信する必要はなく、３つの第２の周期において一回第２の制御シグナリングを送信するだけでよく、それによって、シグナリングオーバヘッドを低減し、リソース利用率を向上させる。
【０１０３】
第４の時間領域リソースは、連続であっても、不連続であってもよいことに留意されたい。例えば、第４の時間領域リソースは、サブフレーム１からサブフレーム５を含んでよく、または、サブフレーム１、サブフレーム３、サブフレーム５、サブフレーム７、およびサブフレーム９を含んでよい。
【０１０４】
本発明のこの実施形態において、任意選択で、第２の構成情報は、ＰＤＣＣＨ  ｆｏｒｍａｔ  ０フォーマットのＮＤＩフィールド、ＴＰＣコマンドフィールド、ＣＳ  ｆｏｒ  ＤＭＲＳおよびＯＣＣフィールド、またはＭＣＳ＆ＲＶフィールドのうちの少なくとも１つを使用して、第２のグループ識別子および／または第２の指示情報を示す。
【０１０５】
その上、第２の構成情報はさらに、ＰＤＣＣＨ  ｆｏｒｍａｔ  ０フォーマットのキャリア指示フィールド、ｆｏｒｍａｔ  ０／１ａ指示フィールド、周波数ホッピング指示フィールド、リソース指示および周波数ホッピングリソース割り当てフィールド、アップリンクインデックス、またはＣＳＩ要求フィールドのうちの少なくとも１つを含む。これらのフィールドは、これらの元の機能を保持できる。
【０１０６】
例えば、図１Ｃに示すように、競合リソースグループは、端末デバイス１、端末デバイス２、...、端末デバイス１０という１０個の端末デバイスを備え、競合リソースグループは、端末デバイスグループ１および端末デバイスグループ２という２つの端末デバイスグループに分割される。端末デバイスグループ１は、端末デバイス１、端末デバイス２、端末デバイス３、端末デバイス４、および端末デバイス５を有し、端末デバイスグループ２は、端末デバイス６、端末デバイス７、端末デバイス８、端末デバイス９、および端末デバイス１０を有する。端末デバイスグループ１内の全ての端末デバイスのＤＭＲＳは異なり、端末デバイスグループ２内の全ての端末デバイスのＤＭＲＳも異なる。しかしながら、端末デバイス１および端末デバイス９のＤＭＲＳは同一である。基地局は、第１の制御シグナリングを使用することによって端末デバイスグループ１をスケジューリングし、第２の制御シグナリングを使用することによって端末デバイスグループ２をスケジューリングする。端末デバイス１および端末デバイス９のＤＭＲＳは同一であるが、端末デバイスグループ１および端末デバイスグループ２は異なる時点でデータを伝送するので、同一のＤＭＲＳを有する端末の間の干渉を回避することができ、良好な通信品質を得る。これにより、良好な通信品質を得ながら、接続された端末デバイスの数を増やすことができる。
【０１０７】
本発明のこの実施形態において、任意選択で、第１の制御シグナリングと第２の制御シグナリングとが同一の時間領域リソース上で送信されたとき、第３の時間領域リソースは第５の時間領域リソースと同一であり、第３の時間領域リソースは、第１の端末デバイスグループによって使用され得る時間領域リソースであり、第３の時間領域リソースは、第１の時間領域リソースを含む。
【０１０８】
グループスケジューリングベースアップリンク競合伝送解決手段において、伝送効率は、同一の端末デバイスグループ内の端末デバイスの間のマッチング度に関連する。端末デバイスグループ内の端末デバイスの間のより高いマッチング度は、端末デバイスのより高い伝送効率を示す。したがって、本発明のこの実施形態において、基地局は、端末デバイスによって送信されたＳＲＳにしたがって端末デバイスを再グループ化し、比較的高いマッチング度を有する端末デバイスを１つの端末デバイスグループに分類してよい。したがって、本発明のこの実施形態において、競合リソースグループ内の全ての端末デバイスに第３の制御シグナリングを基地局が送信する動作であって、第３の制御シグナリングは、ＳＲＳ（Ｓｏｕｎｄｉｎｇ  Ｒｅｆｅｒｅｎｃｅ  Ｓｉｇｎａｌ、サウンディング基準信号）を送信するよう全ての端末デバイスに命令するために使用される、動作と、基地局が、全ての端末デバイスの各々によって送信されたＳＲＳを受信し、受信されたＳＲＳにしたがって、対応する端末デバイスのＣＳＩ（Ｃｈａｎｎｅｌ  Ｓｔａｔｅ  Ｉｎｆｏｒｍａｔｉｏｎ、チャネル状態情報）を算出し、全ての端末デバイスにそれぞれ対応するＣＳＩにしたがって、競合リソースグループ内の端末デバイスを再グループ化する動作とがさらに含まれる。
【０１０９】
例えば、競合リソースグループは、端末デバイス１、端末デバイス２、...、端末デバイス１０という１０個の端末デバイスを備え、競合リソースグループは、端末デバイスグループ１および端末デバイスグループ２という２つの端末デバイスグループに分割される。端末デバイスグループ１は、端末デバイス１、端末デバイス２、端末デバイス３、端末デバイス４、および端末デバイス５を有し、端末デバイスグループ２は、端末デバイス６、端末デバイス７、端末デバイス８、端末デバイス９、および端末デバイス１０を有する。基地局は、第３の制御シグナリングを送信する。第３の制御シグナリングは、ＳＲＳを送信するよう１０個の端末デバイスに命令するために使用される。端末デバイス１は、ＳＲＳ１を送信し、端末デバイス２はＳＲＳ２を送信し、...、端末デバイス１０は、ＳＲＳ１０を送信する。基地局は、ＳＲＳ１にしたがってＣＳＩ１を算出し、基地局は、ＳＲＳ２にしたがってＣＳＩ２を算出し、基地局は、ＳＲＳ３にしたがってＣＳＩ３を算出し、...、基地局は、ＳＲＳ１０にしたがってＣＳＩ１０を算出する。基地局は、端末デバイス１と、端末デバイス３と、端末デバイス５と、端末デバイス７と、端末デバイス９との間のマッチング度がより高く、残りの端末デバイスの間のマッチング度が高いと、ＣＳＩ１、ＣＳＩ２、...、ＣＳＩ１０にしたがって判断する。このやり方で、端末デバイスは、端末デバイス１、端末デバイス３、端末デバイス５、端末デバイス７、および端末デバイス９を含む端末デバイスグループ１と、端末デバイス２、端末デバイス４、端末デバイス６、端末デバイス８、および端末デバイス１０を含む端末デバイスグループ２という２つのグループに分類される。
【０１１０】
伝送効率を向上させ、より高いデータ量を有する端末デバイスグループにより多くの伝送機会を得させ、より低いデータ量を有する端末デバイスグループにより少ない伝送機会を得させるべく、本発明のこの実施形態において、競合リソースグループ内の全ての端末デバイスに第４の制御シグナリングを基地局が送信する動作であって、第４の制御シグナリングは、ＢＳＲ（Ｂｕｆｆｅｒ  Ｓｔａｔｕｓ  Ｒｅｐｏｒｔｅｒ、バッファステータス報告）を送信するよう全ての端末デバイスに命令するために使用される、動作と、全ての端末デバイスによって送信されたＢＳＲを基地局が受信し、全ての端末デバイスによってそれぞれ送信されたＢＳＲにしたがって、競合リソースグループ内の端末デバイスを再グループ化する動作とがさらに含まれる。
【０１１１】
あるいは、端末デバイスグループの間での負荷分散を確保するべく、本発明のこの実施形態において、基地局は、端末デバイスの過去のスループットにしたがって、半静的な方式で端末デバイスのグループ化を調整し、より高い過去のスループットを有する端末デバイスを、より低い過去のスループットを有する端末デバイスグループに分類して、これにより、端末デバイスグループ間の負荷分散を確保する。したがって、本発明のこの実施形態において、過去の負荷統計にしたがって、競合リソースグループ内の端末デバイスを基地局が再グループ化する動作がさらに含まれる。
【０１１２】
本発明のこの実施形態において、システム実行プロセスでは、基地局が端末デバイスのグループ化を調整する必要がある場合、基地局は、端末デバイスが属する競合リソースグループ、競合リソースグループ内の端末デバイスグループ、ならびに関連するＤＭＲＳのルートシーケンスおよび巡回シフト等を、ＲＲＣ（Ｒａｄｉｏ  Ｒｅｓｏｕｒｃｅ  Ｃｏｎｔｒｏｌ、無線リソース制御）シグナリングを使用することによって端末デバイスのために再構成してよい。
【０１１３】
本発明のこの実施形態において、基地局は、異なるＣＢ−ＲＮＴＩを使用することによって異なる制御シグナリングをスクランブリングして、異なる競合リソースグループに対応する制御シグナリングを区別する。ＣＢ−ＲＮＴＩは、競合リソースグループに一対一対応する。第１の制御シグナリングおよび第２の制御シグナリングの両方は、競合リソースグループに対応するＣＢ−ＲＮＴＩを使用することによってスクランブリングされる。
【０１１４】
本発明のこの実施形態において、端末デバイスの初期のアクセスフェーズでは、基地局は、端末デバイスのサービスタイプにしたがって、初期の競合リソースグループを端末デバイスに割り当てる。すなわち、基地局は、端末デバイスによって使用され得る競合リソースを、端末デバイスのサービスタイプにしたがって判断する。
【０１１５】
本発明のこの実施形態において、任意選択で、基地局は、ＤＭＲＳに基づいて端末デバイスを識別してよい。端末デバイス識別の成功率を上げるべく、伝送に同一の時間周波数リソースを使用する端末デバイスのＤＭＲＳの間の直交性が確保される必要がある。マルチパス効果を回避するべく、１つの端末デバイスグループに含まれる端末デバイスの数は、８より少ないか、またはそれに等しい。
【０１１６】
第２の時間領域リソースは、ＬＴＥシステムにおける基本時間領域単位、すなわち、サブフレームであってよく、またはもちろん、別の形式であってよいことに留意されたい。ここではさらなる詳細は説明しない。
【０１１７】
この解決手段では、１つの競合リソースグループは、複数の端末デバイスグループに分割されてよく、同一のＤＭＲＳを有する端末デバイスが、異なる２つの端末デバイスグループに存在してよい。同一のＤＭＲＳを有する端末デバイスが異なる２つの端末デバイスグループに存在するときであっても、干渉は依然として回避され得る。したがって、本発明の実施形態によると、良好な通信品質を得ながら、１つの競合リソースグループ内の接続された端末デバイスの数が増やされる。
【０１１８】
図２を参照すると、本発明の一実施形態において、データ伝送の別のフローチャートは以下のとおりである。
【０１１９】
段階２００：競合リソースグループ内の第１の端末デバイスグループ内の端末デバイスが、基地局によって送信された第１の制御シグナリングを受信する。ここで、第１の制御シグナリングは、第１の時間領域リソース上でデータを伝送するよう第１の端末デバイスグループをスケジューリングするために使用され、競合リソースグループ内の任意の端末デバイスグループ内の任意の異なる２つの端末デバイスの復調基準信号ＤＭＲＳは異なり、第１の時間領域リソースは、少なくとも１つの第２の時間領域リソースを含み、第２の時間領域リソースは、端末デバイスによって伝送されたデータを基地局が受信するときに使用される時間領域単位である。
【０１２０】
段階２１０：端末デバイスが、第１の制御シグナリングにしたがって、第１の時間領域リソースの全てのまたはいくつかの第２の時間領域リソース上でデータを伝送する。本発明のこの実施形態において、第１の制御シグナリングは、端末デバイスグループをスケジューリングするために使用される。したがって、第１の制御シグナリングはさらに、第１の端末デバイスグループの第１のグループ識別子を保持する。このやり方でのみ、当該制御シグナリングを受信する端末デバイスは、当該端末デバイスが属する端末デバイスグループをスケジューリングするために当該制御シグナリングが使用されるかどうかを判断できる。
【０１２１】
例えば、競合リソースグループは、端末デバイス１、端末デバイス２、...、端末デバイス１０という１０個の端末デバイスを備え、競合リソースグループは、端末デバイスグループ１および端末デバイスグループ２という２つの端末デバイスグループに分割される。端末デバイスグループ１は、端末デバイス１、端末デバイス２、端末デバイス３、端末デバイス４、および端末デバイス５を有し、端末デバイスグループ２は、端末デバイス６、端末デバイス７、端末デバイス８、端末デバイス９、および端末デバイス１０を有する。第１の制御シグナリングは、端末デバイスグループ１をスケジューリングするために使用される。したがって、第１の制御シグナリングは、端末デバイスグループ１の第１のグループ識別子を保持する。このやり方で、第１の制御シグナリングを受信した後、端末デバイスグループ１内の各端末は、端末デバイスグループ１がスケジューリングされるべきかどうかを、第１の制御シグナリングにおける第１のグループ識別子にしたがって判断できる。
【０１２２】
本発明のこの実施形態において、制御シグナリングにおけるｎビットが、グループ識別子を示すために使用されてよい。ｎが１の場合、競合リソースグループは、最大２つの端末デバイスグループを備えてよく、ｎが２の場合、競合リソースグループは最大４つの端末デバイスグループを備えてよく、あとは類推によって推定されよう。実際の適用要件と、端末デバイスグループ指示ビットフィールドの利用効率とを考慮すると、任意選択で、ｎの値の範囲は［１，３］であってよい。図１Ｂに示すように、ｎの値は２であり、示された端末デバイスグループは、端末デバイスグループ２のグループ識別子である。
【０１２３】
ＬＴＥシステムでは、１つの制御シグナリングは、１つの端末デバイスグループの１つのアップリンク伝送のみをスケジューリングするために使用され得る。しかしながら、大規模接続のシナリオにおいては、このスケジューリング方式は、リソースオーバヘッドが過度に高いという欠点を有する。したがって、本発明のこの実施形態において、制御シグナリングは特定の実効時間を有する。すなわち、実効時間内において、スケジューリングされた端末デバイスは、制御シグナリングのスケジューリングに従う。したがって、本発明のこの実施形態において、リソース利用率を向上させ、シグナリングオーバヘッドを低減するべく、第１の構成情報はさらに、第１の周期情報と、第３の時間領域リソースを示すために使用される第１の指示情報とを含み、第１の周期情報は、第１の制御シグナリングによって示されるようなスケジューリングを可能にする時間領域リソースの第１の周期長であり、第３の時間領域リソースは、第１の制御シグナリングによって示されるようなスケジューリングを可能にする時間領域リソースの第１の周期の数であり、第３の時間領域リソースは、第１の時間領域リソースを含む。
【０１２４】
この場合、第１の時間領域リソースの全てのまたはいくつかの第２の時間領域リソース上で第１の端末デバイスグループによって伝送されたデータを、第１の制御シグナリングにしたがって基地局が受信する動作の後、第１の端末デバイスグループによって伝送されたデータを、第１の時間領域リソース以外の第３の時間領域リソースにおける時間領域リソース上で、第１の周期情報にしたがって基地局が受信する動作がさらに含まれる。
【０１２５】
これにより、リソース利用率を向上させ、シグナリングオーバヘッドを低減できる。
【０１２６】
例えば、競合リソースグループは、端末デバイス１、端末デバイス２、...、端末デバイス１０という１０個の端末デバイスを備え、競合リソースグループは、端末デバイスグループ１および端末デバイスグループ２という２つの端末デバイスグループに分割される。端末デバイスグループ１は、端末デバイス１、端末デバイス２、端末デバイス３、端末デバイス４、および端末デバイス５を有し、端末デバイスグループ２は、端末デバイス６、端末デバイス７、端末デバイス８、端末デバイス９、および端末デバイス１０を有する。第１の制御シグナリングは、端末デバイスグループ１をスケジューリングするために使用され、第１の周期情報は、１０個のサブフレームを含み、第１の時間領域リソースは、サブフレーム１、サブフレーム２、サブフレーム３、サブフレーム５、およびサブフレーム１０を含み、第３の時間領域リソースは、３つの第１の周期、すなわち、３０個のサブフレームを含む。端末デバイスグループ１内の各端末デバイスは、第１番目の第１の周期（すなわち、サブフレーム１からサブフレーム１０）におけるサブフレーム１、サブフレーム２、サブフレーム３、サブフレーム５、およびサブフレーム１０においてデータを伝送し、次に、第２番目の第１の周期における１０個のサブフレーム（すなわち、サブフレーム１からサブフレーム１０）のうちのサブフレーム１、サブフレーム２、サブフレーム３、サブフレーム５、およびサブフレーム１０においてデータを伝送し、次に、第３番目の第１の周期における１０個のサブフレーム（すなわち、サブフレーム１からサブフレーム１０）のうちのサブフレーム１、サブフレーム２、サブフレーム３、サブフレーム５、およびサブフレーム１０においてデータを伝送してよい。このやり方で、基地局は、１０個のサブフレームごとに一回第１の制御シグナリングを送信する必要はなく、３つの第１の周期において一回第１の制御シグナリングを送信するだけでよく、それによって、シグナリングオーバヘッドを低減し、リソース利用率を向上させる。
【０１２７】
第１の時間領域リソースは、連続であっても、不連続であってもよいことに留意されたい。例えば、第１の時間領域リソースは、サブフレーム１からサブフレーム５を含んでよく、または、サブフレーム１、サブフレーム３、サブフレーム５、サブフレーム７、およびサブフレーム９を含んでよい。
【０１２８】
例えば、第１の制御シグナリングの９ビットは、第１の周期に含まれる時間領域リソースによって占有されるビットである。１個のサブフレームが第１の端末デバイスグループによって使用され得るかどうかを示すために１ビットが使用され、第１の制御シグナリングにおける９ビットは、各第１の周期における９個のサブフレームが第１の端末デバイスグループによって使用され得るかどうかを示してよい。ビットがセットされていることは、対応するサブフレームが第１の端末デバイスグループによって使用され得ることを示し、ビットがリセットされていることは、対応するサブフレームが、第１の端末デバイスグループによって使用され得ないことを示す。
【０１２９】
この実施形態の上述の説明において、第１の周期に含まれる時間領域リソースが９ビットを占有することは、９個のサブフレームが第１の端末デバイスグループによって使用され得るかどうかを示してよい。もちろん、実際の適用では、９より少ない数のサブフレームが第１の端末デバイスグループによって使用され得るかどうかが代替的に示されてよい。例えば、第１の周期に含まれる時間領域リソースが８ビット、７ビット、または６ビットを占有することは、８個のサブフレーム、７個のサブフレーム、または６個のサブフレームが第１の端末デバイスグループによって使用され得るかどうかを示してよい。ここではさらなる詳細は説明しない。
【０１３０】
本発明のこの実施形態において、第１の構成情報は、ＰＤＣＣＨ  ｆｏｒｍａｔ  ０フォーマットのＮＤＩフィールド、ＴＰＣコマンドフィールド、ＣＳ  ｆｏｒ  ＤＭＲＳおよびＯＣＣフィールド、またはＭＣＳ＆ＲＶフィールドのうちの少なくとも１つを使用して、第１のグループ識別子および／または第１の指示情報を示す。
【０１３１】
その上、第１の構成情報はさらに、ＰＤＣＣＨ  ｆｏｒｍａｔ  ０フォーマットのキャリア指示フィールド、ｆｏｒｍａｔ  ０／１ａ指示フィールド、周波数ホッピング指示フィールド、リソース指示および周波数ホッピングリソース割り当てフィールド、アップリンクインデックス、またはＣＳＩ要求フィールドのうちの少なくとも１つを含む。これらのフィールドは、これらの元の機能を保持できる。
【０１３２】
グループスケジューリングベースアップリンク競合伝送解決手段において、伝送効率は、１つの端末デバイスグループ内の端末デバイスの間のマッチング度に関連する。端末デバイスグループ内の端末デバイスの間のより高いマッチング度は、端末デバイスのより高い伝送効率を示す。したがって、本発明のこの実施形態において、基地局は、端末デバイスによって送信されたＳＲＳにしたがって端末デバイスを再グループ化し、比較的高いマッチング度を有する端末デバイスを１つの端末デバイスグループに分類してよい。したがって、本発明のこの実施形態において、端末デバイスが、基地局によって送信された第３の制御シグナリングを受信し、第３の制御シグナリングにしたがって基地局にＳＲＳを送信する動作がさらに含まれる。
【０１３３】
伝送効率を向上させ、より高いデータ量を有する端末デバイスグループにより多くの伝送機会を得させ、より低いデータ量を有する端末デバイスグループにより少ない伝送機会を得させるべく、本発明のこの実施形態において、端末デバイスが、基地局によって送信された第４の制御シグナリングを受信し、第４の制御シグナリングにしたがって基地局にＢＳＲを送信する動作がさらに含まれる。
【０１３４】
本発明のこの実施形態において、基地局は、異なるＣＢ−ＲＮＴＩを使用することによって異なる制御シグナリングをスクランブリングして、異なる競合リソースグループに対応する制御シグナリングを区別する。ＣＢ−ＲＮＴＩは、競合リソースグループに一対一対応する。したがって、第１の制御シグナリングは、競合リソースグループに対応する競合ベース無線ネットワーク一時識別子ＣＢ−ＲＮＴＩを使用することによってスクランブリングされる。
【０１３５】
第１の端末デバイスグループ内の端末デバイスが、基地局によって送信された第１の制御シグナリングを受信した後、かつ第１の制御シグナリングにしたがってデータを伝送する前に、端末デバイスが、格納されたＣＢ−ＲＮＴＩを使用することによって第１の制御シグナリングをデコードし、デコードに成功する動作がさらに含まれる。
【０１３６】
本発明のこの実施形態において、端末デバイスの初期のアクセスフェーズでは、基地局は、端末デバイスのサービスタイプにしたがって、初期の競合リソースグループを端末デバイスに割り当てる。すなわち、基地局は、端末デバイスによって使用され得る競合リソースを、端末デバイスのサービスタイプにしたがって判断する。
【０１３７】
本発明のこの実施形態において、任意選択で、基地局は、ＤＭＲＳに基づいて端末デバイスを識別してよい。端末デバイス識別の成功率を上げるべく、伝送に同一の時間周波数リソースを使用する端末デバイスのＤＭＲＳの間の直交性が確保される必要がある。マルチパス効果を回避するべく、１つの端末デバイスグループに含まれる端末デバイスの数は、８より少ないか、またはそれに等しい。
【０１３８】
第２の時間領域リソースは、ＬＴＥシステムにおける基本時間領域単位、すなわち、サブフレームであってよく、またはもちろん、別の形式であってよいことに留意されたい。ここではさらなる詳細は説明しない。
【０１３９】
図３Ａを参照すると、本発明の一実施形態が基地局を提供する。基地局は、送信ユニット３０および受信ユニット３１を備える。
【０１４０】
送信ユニット３０は、第１の制御シグナリングを送信するよう構成される。ここで、第１の制御シグナリングは、第１の時間領域リソース上でデータを伝送するよう競合リソースグループ内の第１の端末デバイスグループをスケジューリングするために使用され、競合リソースグループ内の任意の端末デバイスグループ内の任意の異なる２つの端末デバイスの復調基準信号ＤＭＲＳは異なり、第１の時間領域リソースは、少なくとも１つの第２の時間領域リソースを含み、第２の時間領域リソースは、端末デバイスによって伝送されたデータを基地局が受信するときに使用される時間領域単位である。
【０１４１】
受信ユニット３１は、第１の時間領域リソースの全てのまたはいくつかの第２の時間領域リソース上で第１の端末デバイスグループによって伝送されたデータを、第１の制御シグナリングにしたがって受信するよう構成される。
【０１４２】
任意選択で、第１の制御シグナリングは、第１の端末デバイスグループの第１のグループ識別子を保持する。また、送信ユニット３０はさらに、第１の端末デバイスグループ内の各端末デバイスに第１の構成情報を送信するよう構成される。ここで、第１の構成情報は、第１のグループ識別子を含む。
【０１４３】
任意選択で、第１の構成情報はさらに、第１の周期情報と、第３の時間領域リソースを示すために使用される第１の指示情報とを含み、第１の周期情報は、第１の制御シグナリングによって示されるようなスケジューリングを可能にする時間領域リソースの第１の周期長であり、第３の時間領域リソースは、第１の制御シグナリングによって示されるようなスケジューリングを可能にする時間領域リソースの第１の周期の数であり、第３の時間領域リソースは、第１の時間領域リソースを含む。
【０１４４】
その上、受信ユニット３１はさらに、第１の端末デバイスグループによって伝送されたデータを、第１の時間領域リソース以外の第３の時間領域リソースにおける時間領域リソース上で、第１の周期情報にしたがって受信するよう構成される。
【０１４５】
任意選択で、第１の構成情報は、物理ダウンリンク制御チャネルＰＤＣＣＨ  ｆｏｒｍａｔ  ０フォーマットの新規データ指示ＮＤＩフィールド、送信電力制御ＴＰＣコマンドｃｏｍｍａｎｄフィールド、巡回シフトＣＳ  ｆｏｒ  復調基準信号ＤＭＲＳおよび直交カバーコードＯＣＣフィールド、または、変調および符号化スキームＭＣＳ＆冗長バージョンＲＶフィールドのうちの少なくとも１つを使用して、第１のグループ識別子および／または第１の指示情報を示す。
【０１４６】
その上、第１の構成情報はさらに、ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む。
【０１４７】
その上、送信ユニット３０はさらに、第２の制御シグナリングを送信するよう構成される。ここで、第２の制御シグナリングは、第４の時間領域リソース上でデータを伝送するよう競合リソースグループ内の第２の端末デバイスグループをスケジューリングするために使用され、第１の時間領域リソースは、第４の時間領域リソースとは異なり、第４の時間領域リソースは、少なくとも１つの第２の時間領域リソースを含む。また、受信ユニット３１はさらに、第４の時間領域リソースの全てのまたはいくつかの第２の時間領域リソース上で第２の端末デバイスグループによって伝送されたデータを、第２の制御シグナリングにしたがって受信するよう構成される。
【０１４８】
任意選択で、第２の制御シグナリングは、第２の端末デバイスグループの第２のグループ識別子を保持する。また、送信ユニット３０はさらに、第２の端末デバイスグループ内の各端末デバイスに第２の構成情報を送信するよう構成される。ここで、第２の構成情報は、第２のグループ識別子を含む。
【０１４９】
その上、第２の構成情報はさらに、第２の周期情報と、第５の時間領域リソースを示すために使用される第２の指示情報とを含み、第２の周期情報は、第２の制御シグナリングによって示されるようなスケジューリングを可能にする時間領域リソースの第２の周期長であり、第５の時間領域リソースは、第２の制御シグナリングによって示されるようなスケジューリングを可能にする時間領域リソースの第２の周期の数であり、第５の時間領域リソースは、第４の時間領域リソースを含む。
【０１５０】
その上、受信ユニット３１はさらに、第２の端末デバイスグループによって伝送されたデータを、第４の時間領域リソース以外の第５の時間領域リソースにおける時間領域リソース上で、第２の周期情報にしたがって受信するよう構成される。
【０１５１】
任意選択で、第２の構成情報は、ＰＤＣＣＨ  ｆｏｒｍａｔ  ０フォーマットのＮＤＩフィールド、ＴＰＣコマンドフィールド、ＣＳ  ｆｏｒ  ＤＭＲＳおよびＯＣＣフィールド、またはＭＣＳ＆ＲＶフィールドのうちの少なくとも１つを使用して、第２のグループ識別子および／または第２の指示情報を示す。
【０１５２】
その上、第２の構成情報はさらに、ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む。
【０１５３】
任意選択で、第１の制御シグナリングと第２の制御シグナリングとが同一の時間領域リソース上で送信されたとき、第３の時間領域リソースは第５の時間領域リソースと同一であり、第３の時間領域リソースは、第１の端末デバイスグループによって使用され得る時間領域リソースであり、第３の時間領域リソースは、第１の時間領域リソースを含む。
【０１５４】
その上、送信ユニット３０はさらに、競合リソースグループ内の全ての端末デバイスに第３の制御シグナリングを送信するよう構成され、第３の制御シグナリングは、サウンディング基準信号ＳＲＳを送信するよう全ての端末デバイスに命令するために使用され、受信ユニット３１はさらに、全ての端末デバイスの各々によって送信されたＳＲＳを受信するよう構成され、基地局はさらに、受信されたＳＲＳにしたがって、対応する端末デバイスのチャネル状態情報ＣＳＩを算出し、全ての端末デバイスにそれぞれ対応するＣＳＩにしたがって、競合リソースグループ内の端末デバイスを再グループ化するよう構成される処理ユニット３２を備える。
【０１５５】
その上、送信ユニット３０はさらに、競合リソースグループ内の全ての端末デバイスに第４の制御シグナリングを送信するよう構成され、第４の制御シグナリングは、バッファステータス報告ＢＳＲを送信するよう全ての端末デバイスに命令するために使用され、受信ユニット３１はさらに、全ての端末デバイスによって送信されたＢＳＲを受信するよう構成され、基地局はさらに、全ての端末デバイスによってそれぞれ送信されたＢＳＲにしたがって競合リソースグループ内の端末デバイスを再グループ化するよう構成される処理ユニット３２を備える。
【０１５６】
その上、基地局はさらに、過去の負荷統計にしたがって競合リソースグループ内の端末デバイスを再グループ化するよう構成される処理ユニット３２を備える。
【０１５７】
任意選択で、第１の制御シグナリングおよび第２の制御シグナリングの両方は、競合リソースグループに対応する競合ベース無線ネットワーク一時識別子ＣＢ−ＲＮＴＩを使用することによってスクランブリングされる。
【０１５８】
図３Ｂを参照すると、本発明の一実施形態が基地局を提供する。基地局は、送信機３００および受信機３１０を備える。
【０１５９】
送信機３００は、第１の制御シグナリングを送信するよう構成される。ここで、第１の制御シグナリングは、第１の時間領域リソース上でデータを伝送するよう競合リソースグループ内の第１の端末デバイスグループをスケジューリングするために使用され、競合リソースグループ内の任意の端末デバイスグループ内の任意の異なる２つの端末デバイスの復調基準信号ＤＭＲＳは異なり、第１の時間領域リソースは、少なくとも１つの第２の時間領域リソースを含み、第２の時間領域リソースは、端末デバイスによって伝送されたデータを基地局が受信するときに使用される時間領域単位である。
【０１６０】
受信機３１０は、第１の時間領域リソースの全てのまたはいくつかの第２の時間領域リソース上で第１の端末デバイスグループによって伝送されたデータを、第１の制御シグナリングにしたがって受信するよう構成される。
【０１６１】
送信機３００はさらに、図３Ａの送信ユニット３０によって行われる他の動作を行ってよく、受信機３１０はさらに、図３Ａの受信ユニット３１によって行われる他の動作を行ってよく、基地局はさらに、図３Ａの処理ユニット３２によって行われる動作を行うよう構成されるプロセッサ３２０を備えることに留意されたい。
【０１６２】
図４Ａを参照すると、本発明の一実施形態が端末デバイスを提供する。端末デバイスは、受信ユニット４０および送信ユニット４１を備える。
【０１６３】
受信ユニット４０は、基地局によって送信された第１の制御シグナリングを受信するよう構成される。ここで、第１の制御シグナリングは、第１の時間領域リソース上でデータを伝送するよう第１の端末デバイスグループをスケジューリングするために使用され、競合リソースグループ内の任意の端末デバイスグループ内の任意の異なる２つの端末デバイスの復調基準信号ＤＭＲＳは異なり、第１の時間領域リソースは、少なくとも１つの第２の時間領域リソースを含み、第２の時間領域リソースは、端末デバイスによって伝送されたデータを基地局が受信するときに使用される時間領域単位である。
【０１６４】
送信ユニット４１は、第１の制御シグナリングにしたがって、第１の時間領域リソースの全てのまたはいくつかの第２の時間領域リソース上でデータを伝送するよう構成される。
【０１６５】
任意選択で、第１の制御シグナリングは、第１の端末デバイスグループの第１のグループ識別子を保持し、受信ユニット４０はさらに、基地局によって送信された第１の構成情報を受信するよう構成され、端末デバイスはさらに、第１の端末デバイスグループのグループ識別子が第１のグループ識別子であると、第１の構成情報にしたがって判断するよう構成される処理ユニット４２であって、第１の構成情報は、第１のグループ識別子を含む、処理ユニット４２を備える。
【０１６６】
その上、端末デバイスはさらに、第１のグループ識別子が、端末デバイスが属する端末デバイスグループのグループ識別子であると判断するよう構成される処理ユニット４２を備える。
【０１６７】
その上、第１の構成情報はさらに、第１の周期情報と、第３の時間領域リソースを示すために使用される第１の指示情報とを含み、第１の周期情報は、第１の制御シグナリングによって示されるようなスケジューリングを可能にする時間領域リソースの第１の周期長であり、第３の時間領域リソースは、第１の制御シグナリングによって示されるようなスケジューリングを可能にする時間領域リソースの第１の周期の数であり、第３の時間領域リソースは、第１の時間領域リソースを含む。
【０１６８】
その上、送信ユニット４１はさらに、第１の時間領域リソース以外の第３の時間領域リソースにおける時間領域リソース上で、第１の周期情報にしたがってデータを送信するよう構成される。
【０１６９】
任意選択で、第１の構成情報は、物理ダウンリンク制御チャネルＰＤＣＣＨ  ｆｏｒｍａｔ  ０フォーマットの新規データ指示ＮＤＩフィールド、送信電力制御ＴＰＣコマンドｃｏｍｍａｎｄフィールド、巡回シフトＣＳ  ｆｏｒ  復調基準信号ＤＭＲＳおよび直交カバーコードＯＣＣフィールド、または、変調および符号化スキームＭＣＳ＆冗長バージョンＲＶフィールドのうちの少なくとも１つを使用して、第１のグループ識別子および／または第１の指示情報を示す。
【０１７０】
その上、第１の構成情報はさらに、ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む。
【０１７１】
その上、受信ユニット４０はさらに、基地局によって送信された第３の制御シグナリングを受信するよう構成され、送信ユニット４１はさらに、第３の制御シグナリングにしたがって、基地局にサウンディング基準信号ＳＲＳを送信するよう構成される。
【０１７２】
その上、受信ユニット４０はさらに、基地局によって送信された第４の制御シグナリングを受信するよう構成され、送信ユニット４１はさらに、第４の制御シグナリングにしたがって、基地局にバッファステータス報告ＢＳＲを送信するよう構成される。
【０１７３】
任意選択で、第１の制御シグナリングは、競合リソースグループに対応する競合ベース無線ネットワーク一時識別子ＣＢ−ＲＮＴＩを使用することによってスクランブリングされ、端末デバイスはさらに、格納されたＣＢ−ＲＮＴＩを使用することによって第１の制御シグナリングをデコードし、デコードに成功するよう構成される処理ユニット４２を備える。
【０１７４】
図４Ｂを参照すると、本発明の一実施形態が端末デバイスを提供する。端末デバイスは、受信機４００および送信機４１０を備える。
【０１７５】
受信機４００は、基地局によって送信された第１の制御シグナリングを受信するよう構成される。ここで、第１の制御シグナリングは、第１の時間領域リソース上でデータを伝送するよう第１の端末デバイスグループをスケジューリングするために使用され、競合リソースグループ内の任意の端末デバイスグループ内の任意の異なる２つの端末デバイスの復調基準信号ＤＭＲＳは異なり、第１の時間領域リソースは、少なくとも１つの第２の時間領域リソースを含み、第２の時間領域リソースは、端末デバイスによって伝送されたデータを基地局が受信するときに使用される時間領域単位である。
【０１７６】
送信機４１０は、第１の制御シグナリングにしたがって、第１の時間領域リソースの全てのまたはいくつかの第２の時間領域リソース上でデータを伝送するよう構成される。
【０１７７】
受信機４００はさらに、図４Ａの受信ユニット４０によって行われる他の動作を行ってよく、送信機４１０はさらに、図４Ａの送信ユニット４１によって行われる他の動作を行ってよく、端末デバイスはさらに、図４Ａの処理ユニット４２によって行われる動作を行うよう構成されるプロセッサ４２０を備えることに留意されたい。
【０１７８】
当業者であれば、本発明の実施形態が、方法、システム、またはコンピュータプログラム製品として提供され得ることを理解しよう。したがって、本発明は、ハードウェアのみの実施形態、ソフトウェアのみの実施形態、またはソフトウェアとハードウェアとの組み合わせを用いた実施形態の形式を使用してよい。その上、本発明は、コンピュータ利用可能プログラムコードを含む（限定されないが、ディスクメモリ、ＣＤ−ＲＯＭ、および光メモリ等を含む）１または複数のコンピュータ利用可能記憶媒体において実装されるコンピュータプログラム製品の形式を使用してよい。
【０１７９】
本発明は、本発明の実施形態に係る方法、デバイス（システム）、およびコンピュータプログラム製品のフローチャートおよび／またはブロック図に関連して説明されている。コンピュータプログラム命令は、フローチャートおよび／またはブロック図の各プロセスおよび／または各ブロックと、フローチャートおよび／またはブロック図のプロセスおよび／またはブロックの組み合わせとを実装するために使用されてよいことを理解されたい。これらのコンピュータプログラム命令は、マシンを生成するべく、汎用コンピュータ、専用コンピュータ、組み込みプロセッサ、または任意の他のプログラム可能なデータ処理デバイスのプロセッサに提供されてよく、これにより、コンピュータ、または任意の他のプログラム可能なデータ処理デバイスのプロセッサによって実行される命令は、フローチャートの１または複数のプロセス、および／またはブロック図の１または複数のブロックにおける特定の機能を実装するための装置を生成する。
【０１８０】
これらのコンピュータプログラム命令は、特定の方式で作動するようコンピュータまたは任意の他のプログラム可能なデータ処理デバイスに命令できるコンピュータ可読メモリに格納されてよく、これにより、コンピュータ可読メモリに格納された命令は、命令装置を含むアーチファクトを生成する。命令装置は、フローチャートの１または複数のプロセス、および／またはブロック図の１または複数のブロックにおける特定の機能を実装する。
【０１８１】
これらのコンピュータプログラム命令は、コンピュータ、または別のプログラム可能なデータ処理デバイスにロードされてよく、これにより、一連の動作および段階がコンピュータまたは別のプログラム可能なデバイスにおいて行われ、それによって、コンピュータ実装処理を生成する。したがって、コンピュータまたは別のプログラム可能なデバイスにおいて実行される命令は、フローチャートの１または複数のプロセス、および／またはブロック図の１または複数のブロックにおける特定の機能を実装するための段階を提供する。
【０１８２】
本発明のいくつかの好適な実施形態が説明されてきたが、当業者であれば、一度基本的な発明の概念を習得すれば、これらの実施形態に変更および修正を加えることができる。したがって、以下の特許請求の範囲は、好適な実施形態と、本発明の範囲に含まれる全ての変更および修正とを網羅するものとして解釈されることが意図されている。
【０１８３】
当業者であれば、本発明の実施形態の主旨および範囲から逸脱することなく、本発明の実施形態に様々な修正および変形を加え得ることは明らかである。本発明は、これらの修正および変形が以下の特許請求の範囲とその均等技術によって定義される保護範囲内に含まれるならば、当該修正および変形を網羅することが意図される。
【図１Ａ】
2019500783.tif 000003
【図１Ｂ】
2019500783.tif 000004
【図１Ｃ】
2019500783.tif 000005
【図２】
2019500783.tif 000006
【図３Ａ】
2019500783.tif 000007
【図３Ｂ】
2019500783.tif 000008
【図４Ａ】
2019500783.tif 000009
【図４Ｂ】
2019500783.tif 000010
【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
データ伝送方法であって、
第１の制御シグナリングを基地局が送信する段階であって、前記第１の制御シグナリングは、第１の時間領域リソース上でデータを伝送するよう競合リソースグループ内の第１の端末デバイスグループをスケジューリングするために使用され、前記競合リソースグループ内の任意の端末デバイスグループ内の任意の異なる２つの端末デバイスの復調基準信号ＤＭＲＳは異なり、前記第１の時間領域リソースは、少なくとも１つの第２の時間領域リソースを含み、前記第２の時間領域リソースは、端末デバイスによって伝送されたデータを前記基地局が受信するときに使用される時間領域単位である、段階と、
前記第１の時間領域リソースの全てのまたはいくつかの第２の時間領域リソース上で前記第１の端末デバイスグループによって伝送されたデータを、前記第１の制御シグナリングにしたがって前記基地局が受信する段階と
を備える方法。
【請求項２】
前記第１の制御シグナリングは、前記第１の端末デバイスグループの第１のグループ識別子を保持し、
第１の制御シグナリングを前記基地局が送信する前記段階の前、前記方法は、
前記第１の端末デバイスグループ内の各端末デバイスに第１の構成情報を前記基地局が送信する段階であって、前記第１の構成情報は、前記第１のグループ識別子を含む、段階をさらに備える、
請求項１に記載の方法。
【請求項３】
前記第１の構成情報はさらに、第１の周期情報と、第３の時間領域リソースを示すために使用される第１の指示情報とを含み、前記第１の周期情報は、前記第１の制御シグナリングによって示されるようなスケジューリングを可能にする時間領域リソースの第１の周期長であり、前記第３の時間領域リソースは、前記第１の制御シグナリングによって示されるようなスケジューリングを可能にする前記時間領域リソースの第１の周期の数であり、前記第３の時間領域リソースは、前記第１の時間領域リソースを含む、
請求項２に記載の方法。
【請求項４】
前記第１の時間領域リソースの全てのまたはいくつかの第２の時間領域リソース上で前記第１の端末デバイスグループによって伝送されたデータを、前記第１の制御シグナリングにしたがって前記基地局が受信する前記段階の後、
前記第１の端末デバイスグループによって伝送された前記データを、前記第１の時間領域リソース以外の前記第３の時間領域リソースにおける時間領域リソース上で、前記第１の周期情報にしたがって前記基地局が受信する段階
をさらに備える請求項３に記載の方法。
【請求項５】
前記第１の構成情報は、物理ダウンリンク制御チャネルＰＤＣＣＨ  ｆｏｒｍａｔ  ０フォーマットの新規データ指示ＮＤＩフィールド、送信電力制御ＴＰＣコマンドｃｏｍｍａｎｄフィールド、復調基準信号用巡回シフト（ＣＳ  ｆｏｒ  ＤＭＲＳ）および直交カバーコードＯＣＣフィールド、または変調および符号化スキームＭＣＳ＆冗長バージョンＲＶフィールドのうちの少なくとも１つを使用して、前記第１のグループ識別子または前記第１の指示情報のうちの少なくとも１つを示す、
請求項３または４に記載の方法。
【請求項６】
前記第１の構成情報は、前記ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つをさらに含む、
請求項５に記載の方法。
【請求項７】
第２の制御シグナリングを前記基地局が送信する段階であって、前記第２の制御シグナリングは、第４の時間領域リソース上でデータを伝送するよう前記競合リソースグループ内の第２の端末デバイスグループをスケジューリングするために使用され、前記第１の時間領域リソースは、前記第４の時間領域リソースとは異なり、前記第４の時間領域リソースは、少なくとも１つの第２の時間領域リソースを含む、段階と、
前記第４の時間領域リソースの全てのまたはいくつかの第２の時間領域リソース上で前記第２の端末デバイスグループによって伝送されたデータを、前記第２の制御シグナリングにしたがって前記基地局が受信する段階と
をさらに備える請求項３に記載の方法。
【請求項８】
前記第２の制御シグナリングは、前記第２の端末デバイスグループの第２のグループ識別子を保持し、
第２の制御シグナリングを前記基地局が送信する前記段階の前、前記方法は、
前記第２の端末デバイスグループ内の各端末デバイスに第２の構成情報を前記基地局が送信する段階であって、前記第２の構成情報は、前記第２のグループ識別子を含む、段階をさらに備える、
請求項７に記載の方法。
【請求項９】
前記第２の構成情報はさらに、第２の周期情報と、第５の時間領域リソースを示すために使用される第２の指示情報とを含み、前記第２の周期情報は、前記第２の制御シグナリングによって示されるようなスケジューリングを可能にする時間領域リソースの第２の周期長であり、前記第５の時間領域リソースは、前記第２の制御シグナリングによって示されるようなスケジューリングを可能にする前記時間領域リソースの第２の周期の数であり、前記第５の時間領域リソースは、前記第４の時間領域リソースを含む、
請求項８に記載の方法。
【請求項１０】
前記第４の時間領域リソースの全てのまたはいくつかの第２の時間領域リソース上で前記第２の端末デバイスグループによって伝送されたデータを、前記第２の制御シグナリングにしたがって前記基地局が受信する段階の後、
前記第２の端末デバイスグループによって伝送された前記データを、前記第４の時間領域リソース以外の前記第５の時間領域リソースにおける時間領域リソース上で、前記第２の周期情報にしたがって前記基地局が受信する段階
をさらに備える請求項９に記載の方法。
【請求項１１】
前記第２の構成情報は、ＰＤＣＣＨ  ｆｏｒｍａｔ  ０フォーマットのＮＤＩフィールド、ＴＰＣコマンドフィールド、ＣＳ  ｆｏｒ  ＤＭＲＳおよびＯＣＣフィールド、またはＭＣＳ＆ＲＶフィールドのうちの少なくとも１つを使用して、前記第２のグループ識別子または前記第２の指示情報のうちの少なくとも１つを示す、
請求項９または１０に記載の方法。
【請求項１２】
前記第２の構成情報はさらに、前記ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む、
請求項１１に記載の方法。
【請求項１３】
前記第１の制御シグナリングおよび前記第２の制御シグナリングが同一の時間領域リソース上で送信されたとき、前記第３の時間領域リソースは、前記第５の時間領域リソースと同一であり、前記第３の時間領域リソースは、前記第１の端末デバイスグループが使用できる時間領域リソースであり、前記第３の時間領域リソースは、前記第１の時間領域リソースを含む、
請求項９から１２のいずれか一項に記載の方法。
【請求項１４】
前記競合リソースグループ内の全ての端末デバイスに第３の制御シグナリングを前記基地局が送信する段階であって、前記第３の制御シグナリングは、サウンディング基準信号ＳＲＳを送信するよう前記全ての端末デバイスに命令するために使用される、段階と、
前記基地局が、前記全ての端末デバイスの各々によって送信されたＳＲＳを受信し、前記受信されたＳＲＳにしたがって、対応する端末デバイスのチャネル状態情報ＣＳＩを算出し、前記全ての端末デバイスにそれぞれ対応する前記ＣＳＩにしたがって、前記競合リソースグループ内の前記端末デバイスを再グループ化する段階と
をさらに備える、請求項１から１３のいずれか一項に記載の方法。
【請求項１５】
前記競合リソースグループ内の前記全ての端末デバイスに第４の制御シグナリングを前記基地局が送信する段階であって、前記第４の制御シグナリングは、バッファステータス報告ＢＳＲを送信するよう前記全ての端末デバイスに命令するために使用される、段階と、
前記基地局が、前記全ての端末デバイスによって送信された前記ＢＳＲを受信し、前記全ての端末デバイスによってそれぞれ送信された前記ＢＳＲにしたがって、前記競合リソースグループ内の前記端末デバイスを再グループ化する段階と
をさらに備える、請求項１から１４のいずれか一項に記載の方法。
【請求項１６】
過去の負荷統計にしたがって前記競合リソースグループ内の前記端末デバイスを前記基地局が再グループ化する段階
をさらに備える、請求項１から１５のいずれか一項に記載の方法。
【請求項１７】
前記第１の制御シグナリングおよび前記第２の制御シグナリングの両方は、前記競合リソースグループに対応する競合ベース無線ネットワーク一時識別子ＣＢ−ＲＮＴＩを使用することによってスクランブリングされる、
請求項７から１３のいずれか一項に記載の方法。
【請求項１８】
データ伝送方法であって、
基地局によって送信された第１の制御シグナリングを、競合リソースグループ内の第１の端末デバイスグループ内の端末デバイスが受信する段階であって、前記第１の制御シグナリングは、第１の時間領域リソース上でデータを伝送するよう前記第１の端末デバイスグループをスケジューリングするために使用され、前記競合リソースグループ内の任意の端末デバイスグループ内の任意の異なる２つの端末デバイスの復調基準信号ＤＭＲＳは異なり、前記第１の時間領域リソースは、少なくとも１つの第２の時間領域リソースを含み、前記第２の時間領域リソースは、前記端末デバイスによって伝送されたデータを前記基地局が受信するときに使用される時間領域単位である、段階と、
前記第１の制御シグナリングにしたがって、前記第１の時間領域リソースの全てのまたはいくつかの第２の時間領域リソース上でデータを前記端末デバイスが伝送する段階と
を備える方法。
【請求項１９】
前記第１の制御シグナリングは、前記第１の端末デバイスグループの第１のグループ識別子を保持し、
基地局によって送信された第１の制御シグナリングを競合リソースグループ内の第１の端末デバイスグループ内の端末デバイスが受信する前記段階の前、前記方法は、
前記端末デバイスが、前記基地局によって送信された第１の構成情報を受信し、前記第１の端末デバイスグループのグループ識別子が前記第１のグループ識別子であると、前記第１の構成情報にしたがって判断する段階であって、前記第１の構成情報は、前記第１のグループ識別子を含む、段階をさらに備える、
請求項１８に記載の方法。
【請求項２０】
前記第１の時間領域リソースの全てのまたはいくつかの第２の時間領域リソース上でデータを前記端末デバイスが伝送する前記段階の前、
前記第１のグループ識別子が、前記端末デバイスが属する前記端末デバイスグループのグループ識別子であると前記端末デバイスが判断する段階
をさらに備える請求項１９に記載の方法。
【請求項２１】
前記第１の構成情報はさらに、第１の周期情報と、第３の時間領域リソースを示すために使用される第１の指示情報とを含み、前記第１の周期情報は、前記第１の制御シグナリングによって示されるようなスケジューリングを可能にする時間領域リソースの第１の周期長であり、前記第３の時間領域リソースは、前記第１の制御シグナリングによって示されるようなスケジューリングを可能にする前記時間領域リソースの第１の周期の数であり、前記第３の時間領域リソースは、前記第１の時間領域リソースを含む、
請求項１９または２０に記載の方法。
【請求項２２】
前記第１の制御シグナリングにしたがって、前記第１の時間領域リソースの全てのまたはいくつかの第２の時間領域リソース上でデータを前記端末デバイスが伝送する前記段階の後、
前記第１の時間領域リソース以外の前記第３の時間領域リソースにおける時間領域リソース上でデータを前記第１の周期情報にしたがって前記端末デバイスが送信する段階
をさらに備える請求項２１に記載の方法。
【請求項２３】
前記第１の構成情報は、物理ダウンリンク制御チャネルＰＤＣＣＨ  ｆｏｒｍａｔ  ０フォーマットの新規データ指示ＮＤＩフィールド、送信電力制御ＴＰＣコマンドｃｏｍｍａｎｄフィールド、復調基準信号用巡回シフト（ＣＳ  ｆｏｒ  ＤＭＲＳ）および直交カバーコードＯＣＣフィールド、または変調および符号化スキームＭＣＳ＆冗長バージョンＲＶフィールドのうちの少なくとも１つを使用して、前記第１のグループ識別子または前記第１の指示情報のうちの少なくとも１つを示す、
請求項２１または２２に記載の方法。
【請求項２４】
前記第１の構成情報はさらに、前記ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む、
請求項２３に記載の方法。
【請求項２５】
前記端末デバイスが、前記基地局によって送信された第３の制御シグナリングを受信し、前記第３の制御シグナリングにしたがって前記基地局にサウンディング基準信号ＳＲＳを送信する段階
をさらに備える、請求項１８から２４のいずれか一項に記載の方法。
【請求項２６】
前記端末デバイスが、前記基地局によって送信された第４の制御シグナリングを受信し、前記第４の制御シグナリングにしたがって前記基地局にバッファステータス報告ＢＳＲを送信する段階
をさらに備える、請求項１８から２５のいずれか一項に記載の方法。
【請求項２７】
前記第１の制御シグナリングは、前記競合リソースグループに対応する競合ベース無線ネットワーク一時識別子ＣＢ−ＲＮＴＩを使用することによってスクランブリングされ、
第１の端末デバイスグループ内の端末デバイスが、基地局によって送信された第１の制御シグナリングを受信する前記段階の後、かつ前記第１の制御シグナリングにしたがってデータを伝送する前記段階の前に、前記方法は、
前記端末デバイスが、格納された前記ＣＢ−ＲＮＴＩを使用することによって前記第１の制御シグナリングをデコードし、前記デコードに成功する段階をさらに備える、
請求項１８から２６のいずれか一項に記載の方法。
【請求項２８】
基地局であって、
第１の制御シグナリングを送信する送信ユニットであって、前記第１の制御シグナリングは、第１の時間領域リソース上でデータを伝送するよう競合リソースグループ内の第１の端末デバイスグループをスケジューリングするために使用され、前記競合リソースグループ内の任意の端末デバイスグループ内の任意の異なる２つの端末デバイスの復調基準信号ＤＭＲＳは異なり、前記第１の時間領域リソースは、少なくとも１つの第２の時間領域リソースを含み、前記第２の時間領域リソースは、端末デバイスによって伝送されたデータを前記基地局が受信するときに使用される時間領域単位である、送信ユニットと、
前記第１の時間領域リソースの全てのまたはいくつかの第２の時間領域リソース上で前記第１の端末デバイスグループによって伝送されたデータを、前記第１の制御シグナリングにしたがって受信する受信ユニットと
を備える基地局。
【請求項２９】
前記第１の制御シグナリングは、前記第１の端末デバイスグループの第１のグループ識別子を保持し、
前記送信ユニットはさらに、前記第１の端末デバイスグループ内の各端末デバイスに第１の構成情報を送信し、前記第１の構成情報は、前記第１のグループ識別子を含む、
請求項２８に記載の基地局。
【請求項３０】
前記第１の構成情報はさらに、第１の周期情報と、第３の時間領域リソースを示すために使用される第１の指示情報とを含み、前記第１の周期情報は、前記第１の制御シグナリングによって示されるようなスケジューリングを可能にする時間領域リソースの第１の周期長であり、前記第３の時間領域リソースは、前記第１の制御シグナリングによって示されるようなスケジューリングを可能にする前記時間領域リソースの第１の周期の数であり、前記第３の時間領域リソースは、前記第１の時間領域リソースを含む、
請求項２９に記載の基地局。
【請求項３１】
前記受信ユニットはさらに、前記第１の端末デバイスグループによって伝送された前記データを、前記第１の時間領域リソース以外の前記第３の時間領域リソースにおける時間領域リソース上で、前記第１の周期情報にしたがって受信する、
請求項３０に記載の基地局。
【請求項３２】
前記第１の構成情報は、物理ダウンリンク制御チャネルＰＤＣＣＨ  ｆｏｒｍａｔ  ０フォーマットの新規データ指示ＮＤＩフィールド、送信電力制御ＴＰＣコマンドｃｏｍｍａｎｄフィールド、復調基準信号用巡回シフト（ＣＳ  ｆｏｒ  ＤＭＲＳ）および直交カバーコードＯＣＣフィールド、または変調および符号化スキームＭＣＳ＆冗長バージョンＲＶフィールドのうちの少なくとも１つを使用して、前記第１のグループ識別子または前記第１の指示情報のうちの少なくとも１つを示す、
請求項３０または３１に記載の基地局。
【請求項３３】
前記第１の構成情報はさらに、前記ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む、
請求項３２に記載の基地局。
【請求項３４】
前記送信ユニットはさらに、第２の制御シグナリングを送信し、前記第２の制御シグナリングは、第４の時間領域リソース上でデータを伝送するよう前記競合リソースグループ内の第２の端末デバイスグループをスケジューリングするために使用され、前記第１の時間領域リソースは、前記第４の時間領域リソースとは異なり、前記第４の時間領域リソースは、少なくとも１つの第２の時間領域リソースを含み、
前記受信ユニットはさらに、前記第４の時間領域リソースの全てのまたはいくつかの第２の時間領域リソース上で前記第２の端末デバイスグループによって伝送されたデータを、前記第２の制御シグナリングにしたがって受信する、
請求項３０に記載の基地局。
【請求項３５】
前記第２の制御シグナリングは、前記第２の端末デバイスグループの第２のグループ識別子を保持し、
前記送信ユニットはさらに、前記第２の端末デバイスグループ内の各端末デバイスに第２の構成情報を送信し、前記第２の構成情報は、前記第２のグループ識別子を含む、
請求項３４に記載の基地局。
【請求項３６】
前記第２の構成情報はさらに、第２の周期情報と、第５の時間領域リソースを示すために使用される第２の指示情報とを含み、前記第２の周期情報は、前記第２の制御シグナリングによって示されるようなスケジューリングを可能にする時間領域リソースの第２の周期長であり、前記第５の時間領域リソースは、前記第２の制御シグナリングによって示されるようなスケジューリングを可能にする前記時間領域リソースの第２の周期の数であり、前記第５の時間領域リソースは、前記第４の時間領域リソースを含む、
請求項３５に記載の基地局。
【請求項３７】
前記受信ユニットはさらに、前記第２の端末デバイスグループによって伝送された前記データを、前記第４の時間領域リソース以外の前記第５の時間領域リソースにおける時間領域リソース上で、前記第２の周期情報にしたがって受信する、
請求項３６に記載の基地局。
【請求項３８】
前記第２の構成情報は、ＰＤＣＣＨ  ｆｏｒｍａｔ  ０フォーマットのＮＤＩフィールド、ＴＰＣコマンドフィールド、ＣＳ  ｆｏｒ  ＤＭＲＳおよびＯＣＣフィールド、またはＭＣＳ＆ＲＶフィールドのうちの少なくとも１つを使用して、前記第２のグループ識別子または前記第２の指示情報のうちの少なくとも１つを示す、
請求項３６または３７に記載の基地局。
【請求項３９】
前記第２の構成情報はさらに、前記ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む、
請求項３８に記載の基地局。
【請求項４０】
前記第１の制御シグナリングおよび前記第２の制御シグナリングが同一の時間領域リソース上で送信されたとき、前記第３の時間領域リソースは、前記第５の時間領域リソースと同一であり、前記第３の時間領域リソースは、前記第１の端末デバイスグループが使用できる時間領域リソースであり、前記第３の時間領域リソースは、前記第１の時間領域リソースを含む、
請求項３６から３９のいずれか一項に記載の基地局。
【請求項４１】
前記送信ユニットはさらに、前記競合リソースグループ内の全ての端末デバイスに第３の制御シグナリングを送信し、前記第３の制御シグナリングは、サウンディング基準信号ＳＲＳを送信するよう前記全ての端末デバイスに命令するために使用され、
前記受信ユニットはさらに、前記全ての端末デバイスの各々によって送信されたＳＲＳを受信し、
前記基地局はさらに、前記受信されたＳＲＳにしたがって、対応する端末デバイスのチャネル状態情報ＣＳＩを算出し、前記全ての端末デバイスにそれぞれ対応する前記ＣＳＩにしたがって、前記競合リソースグループ内の前記端末デバイスを再グループ化する処理ユニットを備える、
請求項２８から４０のいずれか一項に記載の基地局。
【請求項４２】
前記送信ユニットはさらに、前記競合リソースグループ内の前記全ての端末デバイスに第４の制御シグナリングを送信し、前記第４の制御シグナリングは、バッファステータス報告ＢＳＲを送信するよう前記全ての端末デバイスに命令するために使用され、
前記受信ユニットはさらに、前記全ての端末デバイスによって送信された前記ＢＳＲを受信し、
前記基地局はさらに、前記全ての端末デバイスによってそれぞれ送信された前記ＢＳＲにしたがって前記競合リソースグループ内の前記端末デバイスを再グループ化する処理ユニットを備える、
請求項２８から４１のいずれか一項に記載の基地局。
【請求項４３】
前記基地局はさらに、過去の負荷統計にしたがって前記競合リソースグループ内の前記端末デバイスを再グループ化する処理ユニットを備える、
請求項２８から４２のいずれか一項に記載の基地局。
【請求項４４】
前記第１の制御シグナリングおよび前記第２の制御シグナリングの両方は、前記競合リソースグループに対応する競合ベース無線ネットワーク一時識別子ＣＢ−ＲＮＴＩを使用することによってスクランブリングされる、
請求項３４から４０のいずれか一項に記載の基地局。
【請求項４５】
端末デバイスであって、
基地局によって送信された第１の制御シグナリングを受信する受信ユニットであって、前記端末デバイスは、競合リソースグループ内の第１の端末デバイスグループに属し、前記第１の制御シグナリングは、第１の時間領域リソース上でデータを伝送するよう前記第１の端末デバイスグループをスケジューリングするために使用され、前記競合リソースグループ内の任意の端末デバイスグループ内の任意の異なる２つの端末デバイスの復調基準信号ＤＭＲＳは異なり、前記第１の時間領域リソースは、少なくとも１つの第２の時間領域リソースを含み、前記第２の時間領域リソースは、前記端末デバイスによって伝送されたデータを前記基地局が受信するときに使用される時間領域単位である、受信ユニットと、
前記第１の制御シグナリングにしたがって、前記第１の時間領域リソースの全てのまたはいくつかの第２の時間領域リソース上でデータを伝送する送信ユニットと
を備える端末デバイス。
【請求項４６】
前記第１の制御シグナリングは、前記第１の端末デバイスグループの第１のグループ識別子を保持し、
前記受信ユニットはさらに、前記基地局によって送信された第１の構成情報を受信し、
前記端末デバイスはさらに、前記第１の端末デバイスグループのグループ識別子が前記第１のグループ識別子であると、前記第１の構成情報にしたがって判断する処理ユニットを備え、前記第１の構成情報は、前記第１のグループ識別子を含む、
請求項４５に記載の端末デバイス。
【請求項４７】
前記端末デバイスはさらに、前記第１のグループ識別子が、前記端末デバイスが属する端末デバイスグループのグループ識別子であると判断する前記処理ユニットを備える、
請求項４６に記載の端末デバイス。
【請求項４８】
前記第１の構成情報はさらに、第１の周期情報と、第３の時間領域リソースを示すために使用される第１の指示情報とを含み、前記第１の周期情報は、前記第１の制御シグナリングによって示されるようなスケジューリングを可能にする時間領域リソースの第１の周期長であり、前記第３の時間領域リソースは、前記第１の制御シグナリングによって示されるようなスケジューリングを可能にする前記時間領域リソースの第１の周期の数であり、前記第３の時間領域リソースは、前記第１の時間領域リソースを含む、
請求項４６または４７に記載の端末デバイス。
【請求項４９】
前記送信ユニットはさらに、前記第１の時間領域リソース以外の前記第３の時間領域リソースにおける時間領域リソース上で、前記第１の周期情報にしたがってデータを送信する、
請求項４８に記載の端末デバイス。
【請求項５０】
前記第１の構成情報は、物理ダウンリンク制御チャネルＰＤＣＣＨ  ｆｏｒｍａｔ  ０フォーマットの新規データ指示ＮＤＩフィールド、送信電力制御ＴＰＣコマンドｃｏｍｍａｎｄフィールド、復調基準信号用巡回シフト（ＣＳ  ｆｏｒ  ＤＭＲＳ）および直交カバーコードＯＣＣフィールド、または変調および符号化スキームＭＣＳ＆冗長バージョンＲＶフィールドのうちの少なくとも１つを使用して、前記第１のグループ識別子または前記第１の指示情報のうちの少なくとも１つを示す、
請求項４８または４９に記載の端末デバイス。
【請求項５１】
前記第１の構成情報はさらに、前記ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む、
請求項５０に記載の端末デバイス。
【請求項５２】
前記受信ユニットはさらに、前記基地局によって送信された第３の制御シグナリングを受信し、
前記送信ユニットはさらに、前記第３の制御シグナリングにしたがって、前記基地局にサウンディング基準信号ＳＲＳを送信する、
請求項４５から５１のいずれか一項に記載の端末デバイス。
【請求項５３】
前記受信ユニットはさらに、前記基地局によって送信された第４の制御シグナリングを受信し、
前記送信ユニットはさらに、前記第４の制御シグナリングにしたがって、前記基地局にバッファステータス報告ＢＳＲを送信する、
請求項４５から５２のいずれか一項に記載の端末デバイス。
【請求項５４】
前記第１の制御シグナリングは、前記競合リソースグループに対応する競合ベース無線ネットワーク一時識別子ＣＢ−ＲＮＴＩを使用することによってスクランブリングされ、
前記端末デバイスはさらに、格納された前記ＣＢ−ＲＮＴＩを使用することによって前記第１の制御シグナリングをデコードし、前記デコードに成功する処理ユニットを備える、
請求項４５から５２のいずれか一項に記載の端末デバイス。
【請求項５５】
コンピュータに請求項１から１７のいずれか一項に記載の方法を実行させるプログラム。
【請求項５６】
コンピュータに請求項１８から２７のいずれか一項に記載の方法を実行させるプログラム。
【手続補正２】
【補正対象書類名】明細書
【補正対象項目名】全文
【補正方法】変更
【補正の内容】
【発明の詳細な説明】
【技術分野】
【０００１】
本出願は、２０１５年１１月２７日に中国特許庁に出願され、「データ伝送方法および装置」と題する中国特許出願第２０１５１０８５１４１４．Ｘ号に基づく優先権を主張し、その全体が参照によって本明細書に組み込まれる。
【０００２】
本発明は、通信技術分野に関し、特にはデータ伝送方法および装置に関する。
【背景技術】
【０００３】
現行のＬＴＥ（Ｌｏｎｇ  Ｔｅｒｍ  Ｅｖｏｌｕｔｉｏｎ、ロングタームエボリューション）システムでは、アップリンクデータおよびダウンリンクデータは、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）またはＥ−ＰＤＣＣＨ（Ｅｎｈａｎｃｅｄ−ＰＤＣＣＨ、強化されたＰＤＣＣＨ）を使用することによって一対一にスケジューリングされる。通信技術の発展に伴い、制御チャネル容量にとっては、将来の通信における、ユーザ接続の膨大な数、および同時に接続されるユーザの潜在的な数が課題となる。制御チャネルオーバヘッドの最適化が、将来の進化型ＬＴＥシステムの重要な方向性となってきている。
【０００４】
制御チャネルのオーバヘッドを低減するべく、グループスケジューリングベースアップリンク競合伝送解決手段が開発されている。この解決手段の主なアイデアは、基地局が端末デバイスを複数の競合リソースグループに分類する、各競合リソースグループのアップリンク伝送が、基地局によって送信されたＣＢ−ｇｒａｎｔ（Ｃｏｎｔｅｎｔｉｏｎ−ｂａｓｅｄ  ｇｒａｎｔ、競合ベースグラント）によって開始される、および、基地局が、異なるＣＢ−ＲＮＴＩ（Ｃｏｎｔｅｎｔｉｏｎ−ｂａｓｅｄ  Ｒａｄｉｏ  Ｎｅｔｗｏｒｋ  Ｔｅｍｐｏｒａｒｙ  Ｉｄｅｎｔｉｆｉｅｒ、競合ベース無線ネットワーク一時識別子）を使用したスクランブリングによって、異なる競合リソースグループのＣＢ−ｇｒａｎｔを区別する、というものである。端末デバイスが、当該端末デバイスが属する競合リソースグループにマッチするＣＢ−ｇｒａｎｔを検出したとき、端末デバイスは、ＣＢ−ｇｒａｎｔによってスケジューリングされたリソース上でデータを伝送する。
【０００５】
この解決手段では、基地局は、１つの制御シグナリングを使用して、１つの競合伝送リソースグループにおける複数の端末デバイスをスケジューリングし、端末デバイスのＤＭＲＳ（Ｄｅｍｏｄｕｌａｔｉｏｎ  Ｒｅｆｅｒｅｎｃｅ  Ｓｉｇｎａｌ、復調基準信号）シーケンスを使用して、端末デバイスによって伝送されたアップリンクデータを区別する。この解決手段によると、複数の端末のアップリンク伝送は一回のスケジューリングで可能となる。したがって、スケジューリングオーバヘッドを低減することができる。
【０００６】
制御チャネルのオーバヘッドはグループスケジューリングベースアップリンク競合伝送解決手段にしたがって低減できるが、異なる端末デバイスのＤＭＲＳの間の直交性を確保するためには、１つの競合伝送リソースグループ内の端末デバイスの最大数は８となる。このことは、全システムにおける接続された端末デバイスの数を大いに制限し、接続された端末デバイスの数に対する将来の大規模接続システムの要件を満たし得ない。端末デバイスグループに含まれる端末デバイスの数が８を上回った場合、端末デバイスの通信品質は比較的悪くなる。
【０００７】
したがって、上述のデータ伝送解決手段は、接続された端末デバイスの数と端末デバイスの通信品質との間でバランスをとることができないという問題を有している。
【発明の概要】
【０００８】
本発明の実施形態は、データ伝送方法および装置を提供する。これにより、接続された端末デバイスの数と端末デバイスの通信品質との間でバランスをとることができないという従来技術の問題が解決される。
【０００９】
第１態様によると、データ伝送方法が提供される。当該方法は、第１の制御シグナリングを基地局が送信する段階であって、第１の制御シグナリングは、第１の時間領域リソース上でデータを伝送するよう競合リソースグループ内の第１の端末デバイスグループをスケジューリングするために使用され、競合リソースグループ内の任意の端末デバイスグループ内の任意の異なる２つの端末デバイスの復調基準信号ＤＭＲＳは異なり、第１の時間領域リソースは、少なくとも１つの第２の時間領域リソースを含み、第２の時間領域リソースは、端末デバイスによって伝送されたデータを基地局が受信するときに使用される時間領域単位である、段階と、第１の時間領域リソースの全てのまたはいくつかの第２の時間領域リソース上で第１の端末デバイスグループによって伝送されたデータを、第１の制御シグナリングにしたがって基地局が受信する段階とを備える。
【００１０】
第１態様に関連して、第１の可能な実装例において、第１の制御シグナリングは、第１の端末デバイスグループの第１のグループ識別子を保持し、第１の制御シグナリングを基地局が送信する段階の前、当該方法は、第１の端末デバイスグループ内の各端末デバイスに第１の構成情報を基地局が送信する段階であって、第１の構成情報は、第１のグループ識別子を含む、段階をさらに備える。
【００１１】
第１態様の第１の可能な実装例に関連して、第２の可能な実装例において、第１の構成情報はさらに、第１の周期情報と、第３の時間領域リソースを示すために使用される第１の指示情報とを含み、第１の周期情報は、第１の制御シグナリングによって示されるようなスケジューリングを可能にする時間領域リソースの第１の周期長であり、第３の時間領域リソースは、第１の制御シグナリングによって示されるようなスケジューリングを可能にする時間領域リソースの第１の周期の数であり、第３の時間領域リソースは、第１の時間領域リソースを含む。
【００１２】
第１態様の第２の可能な実装例に関連して、第３の可能な実装例において、第１の時間領域リソースの全てのまたはいくつかの第２の時間領域リソース上で第１の端末デバイスグループによって伝送されたデータを、第１の制御シグナリングにしたがって基地局が受信する段階の後、当該方法は、第１の端末デバイスグループによって伝送されたデータを、第１の時間領域リソース以外の第３の時間領域リソースにおける時間領域リソース上で、第１の周期情報にしたがって基地局が受信する段階をさらに備える。
【００１３】
第１態様の第２または第３の可能な実装例に関連して、第４の可能な実装例において、第１の構成情報は、物理ダウンリンク制御チャネルＰＤＣＣＨ  ｆｏｒｍａｔ  ０フォーマットの新規データ指示ＮＤＩフィールド、送信電力制御ＴＰＣコマンドｃｏｍｍａｎｄフィールド、復調基準信号用巡回シフト（ＣＳ  ｆｏｒ  ＤＭＲＳ）および直交カバーコードＯＣＣフィールド、または、変調および符号化スキームＭＣＳ＆冗長バージョンＲＶフィールドのうちの少なくとも１つを使用して、第１のグループ識別子および／または第１の指示情報を示す。
【００１４】
第１態様の第４の可能な実装例に関連して、第５の可能な実装例において、第１の構成情報はさらに、ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む。
【００１５】
第１態様、または第１態様の第１の可能な実装例に関連して、第６の可能な実装例において、当該方法は、第２の制御シグナリングを基地局が送信する段階であって、第２の制御シグナリングは、第４の時間領域リソース上でデータを伝送するよう競合リソースグループ内の第２の端末デバイスグループをスケジューリングするために使用され、第１の時間領域リソースは、第４の時間領域リソースとは異なり、第４の時間領域リソースは、少なくとも１つの第２の時間領域リソースを含む、段階と、第４の時間領域リソースの全てのまたはいくつかの第２の時間領域リソース上で第２の端末デバイスグループによって伝送されたデータを、第２の制御シグナリングにしたがって基地局が受信する段階とをさらに備える。
【００１６】
第１態様の第６の可能な実装例に関連して、第７の可能な実装例において、第２の制御シグナリングは、第２の端末デバイスグループの第２のグループ識別子を保持し、第２の制御シグナリングを基地局が送信する段階の前、当該方法は、第２の端末デバイスグループ内の各端末デバイスに第２の構成情報を基地局が送信する段階であって、第２の構成情報は、第２のグループ識別子を含む、段階をさらに備える。
【００１７】
第１態様の第７の可能な実装例に関連して、第８の可能な実装例において、第２の構成情報はさらに、第２の周期情報と、第５の時間領域リソースを示すために使用される第２の指示情報とを含み、第２の周期情報は、第２の制御シグナリングによって示されるようなスケジューリングを可能にする時間領域リソースの第２の周期長であり、第５の時間領域リソースは、第２の制御シグナリングによって示されるようなスケジューリングを可能にする時間領域リソースの第２の周期の数であり、第５の時間領域リソースは、第４の時間領域リソースを含む。
【００１８】
第１態様の第８の可能な実装例に関連して、第９の可能な実装例において、第４の時間領域リソースの全てのまたはいくつかの第２の時間領域リソース上で第２の端末デバイスグループによって伝送されたデータを、第２の制御シグナリングにしたがって基地局が受信する段階の後、当該方法は、第２の端末デバイスグループによって伝送されたデータを、第４の時間領域リソース以外の第５の時間領域リソースにおける時間領域リソース上で、第２の周期情報にしたがって基地局が受信する段階をさらに備える。
【００１９】
第１態様の第８または第９の可能な実装例に関連して、第１０の可能な実装例において、第２の構成情報は、ＰＤＣＣＨ  ｆｏｒｍａｔ  ０フォーマットのＮＤＩフィールド、ＴＰＣコマンドフィールド、ＣＳ  ｆｏｒ  ＤＭＲＳおよびＯＣＣフィールド、またはＭＣＳ＆ＲＶフィールドのうちの少なくとも１つを使用して、第２のグループ識別子および／または第２の指示情報を示す。
【００２０】
第１態様の第１０の可能な実装例に関連して、第１１の可能な実装例において、第２の構成情報はさらに、ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む。
【００２１】
第１態様の第６から第１１の可能な実装例のうちのいずれか１つに関連して、第１２の可能な実装例において、第１の制御シグナリングと第２の制御シグナリングとが同一の時間領域リソース上で送信されたとき、第３の時間領域リソースは第５の時間領域リソースと同一であり、第３の時間領域リソースは、第１の端末デバイスグループが使用できる時間領域リソースであり、第３の時間領域リソースは、第１の時間領域リソースを含む。
【００２２】
第１態様、または第１態様の第１から第１２の可能な実装例のうちのいずれか１つに関連して、第１３の可能な実装例において、当該方法は、競合リソースグループ内の全ての端末デバイスに第３の制御シグナリングを基地局が送信する段階であって、第３の制御シグナリングは、サウンディング基準信号ＳＲＳを送信するよう全ての端末デバイスに命令するために使用される、段階と、基地局が、全ての端末デバイスの各々によって送信されたＳＲＳを受信し、受信されたＳＲＳにしたがって、対応する端末デバイスのチャネル状態情報ＣＳＩを算出し、全ての端末デバイスにそれぞれ対応するＣＳＩにしたがって、競合リソースグループ内の端末デバイスを再グループ化する段階とをさらに備える。
【００２３】
第１態様、または第１態様の第１から第１３の可能な実装例のうちのいずれか１つに関連して、第１４の可能な実装例において、当該方法は、競合リソースグループ内の全ての端末デバイスに第４の制御シグナリングを基地局が送信する段階であって、第４の制御シグナリングは、バッファステータス報告ＢＳＲを送信するよう全ての端末デバイスに命令するために使用される、段階と、基地局が、全ての端末デバイスによって送信されたＢＳＲを受信し、全ての端末デバイスによってそれぞれ送信されたＢＳＲにしたがって、競合リソースグループ内の端末デバイスを再グループ化する段階とをさらに備える。
【００２４】
第１態様、または第１態様の第１から第１４の可能な実装例のうちのいずれか１つに関連して、第１５の可能な実装例において、当該方法は、過去の負荷統計にしたがって、競合リソースグループ内の端末デバイスを基地局によって再グループ化する段階をさらに備える。
【００２５】
第１態様、または第１態様の第１から第１５の可能な実装例のうちのいずれか１つに関連して、第１６の可能な実装例において、第１の制御シグナリングおよび第２の制御シグナリングの両方は、競合リソースグループに対応する競合ベース無線ネットワーク一時識別子ＣＢ−ＲＮＴＩを使用することによってスクランブリングされる。
【００２６】
第２態様によると、データ伝送方法が提供される。当該方法は、基地局によって送信された第１の制御シグナリングを、競合リソースグループ内の第１の端末デバイスグループ内の端末デバイスが受信する段階であって、第１の制御シグナリングは、第１の時間領域リソース上でデータを伝送するよう第１の端末デバイスグループをスケジューリングするために使用され、競合リソースグループ内の任意の端末デバイスグループ内の任意の異なる２つの端末デバイスの復調基準信号ＤＭＲＳは異なり、第１の時間領域リソースは、少なくとも１つの第２の時間領域リソースを含み、第２の時間領域リソースは、端末デバイスによって伝送されたデータを基地局が受信するときに使用される時間領域単位である、段階と、第１の制御シグナリングにしたがって、第１の時間領域リソースの全てのまたはいくつかの第２の時間領域リソース上でデータを端末デバイスが伝送する段階とを備える。
【００２７】
第２態様に関連して、第１の可能な実装例において、第１の制御シグナリングは、第１の端末デバイスグループの第１のグループ識別子を保持し、基地局によって送信された第１の制御シグナリングを、競合リソースグループ内の第１の端末デバイスグループ内の端末デバイスが受信する段階の前、当該方法は、端末デバイスが、基地局によって送信された第１の構成情報を受信し、第１の端末デバイスグループのグループ識別子が第１のグループ識別子であると第１の構成情報にしたがって判断する段階であって、第１の構成情報は、第１のグループ識別子を含む、段階をさらに備える。
【００２８】
第２態様の第１の可能な実装例に関連して、第２の可能な実装例において、第１の時間領域リソースの全てのまたはいくつかの第２の時間領域リソース上でデータを端末デバイスが伝送する段階の前、当該方法は、第１のグループ識別子が、端末デバイスが属する端末デバイスグループのグループ識別子であると端末デバイスが判断する段階をさらに備える。
【００２９】
第２態様の第１または第２の可能な実装例に関連して、第３の可能な実装例において、第１の構成情報はさらに、第１の周期情報と、第３の時間領域リソースを示すために使用される第１の指示情報とを含み、第１の周期情報は、第１の制御シグナリングによって示されるようなスケジューリングを可能にする時間領域リソースの第１の周期長であり、第３の時間領域リソースは、第１の制御シグナリングによって示されるようなスケジューリングを可能にする時間領域リソースの第１の周期の数であり、第３の時間領域リソースは、第１の時間領域リソースを含む。
【００３０】
第２態様の第３の可能な実装例に関連して、第４の可能な実装例において、第１の制御シグナリングにしたがって、第１の時間領域リソースの全てのまたはいくつかの第２の時間領域リソース上でデータを端末デバイスが伝送する段階の後、当該方法は、第１の時間領域リソース以外の第３の時間領域リソースにおける時間領域リソース上でデータを第１の周期情報にしたがって端末デバイスが送信する段階をさらに備える。
【００３１】
第２態様の第３または第４の可能な実装例に関連して、第５の可能な実装例において、第１の構成情報は、物理ダウンリンク制御チャネルＰＤＣＣＨ  ｆｏｒｍａｔ  ０フォーマットの新規データ指示ＮＤＩフィールド、送信電力制御ＴＰＣコマンドｃｏｍｍａｎｄフィールド、復調基準信号用巡回シフト（ＣＳ  ｆｏｒ  ＤＭＲＳ）および直交カバーコードＯＣＣフィールド、または変調および符号化スキームＭＣＳ＆冗長バージョンＲＶフィールドのうちの少なくとも１つを使用して、第１のグループ識別子および／または第１の指示情報を示す。
【００３２】
第２態様の第５の可能な実装例に関連して、第６の可能な実装例において、第１の構成情報はさらに、ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む。
【００３３】
第２態様、または第２態様の第１から第６の可能な実装例のうちのいずれか１つに関連して、第７の可能な実装例において、当該方法は、端末デバイスが、基地局によって送信された第３の制御シグナリングを受信し、第３の制御シグナリングにしたがって基地局にサウンディング基準信号ＳＲＳを送信する段階をさらに備える。
【００３４】
第２態様、または第２態様の第１から第７の可能な実装例のうちのいずれか１つに関連して、第８の可能な実装例において、当該方法は、端末デバイスが、基地局によって送信された第４の制御シグナリングを受信し、第４の制御シグナリングにしたがって基地局にバッファステータス報告ＢＳＲを送信する段階をさらに備える。
【００３５】
第２態様、または第２態様の第１から第８の可能な実装例のうちのいずれか１つに関連して、第９の可能な実装例において、第１の制御シグナリングは、競合リソースグループに対応する競合ベース無線ネットワーク一時識別子ＣＢ−ＲＮＴＩを使用することによってスクランブリングされ、第１の端末デバイスグループ内の端末デバイスが、基地局によって送信された第１の制御シグナリングを受信する段階の後、かつ第１の制御シグナリングにしたがってデータを伝送する段階の前に、当該方法は、端末デバイスが、格納されたＣＢ−ＲＮＴＩを使用することによって第１の制御シグナリングをデコードし、デコードに成功する段階をさらに備える。
【００３６】
第３態様によると、基地局が提供される。当該基地局は、第１の制御シグナリングを送信するよう構成される送信ユニットであって、第１の制御シグナリングは、第１の時間領域リソース上でデータを伝送するよう競合リソースグループ内の第１の端末デバイスグループをスケジューリングするために使用され、競合リソースグループ内の任意の端末デバイスグループ内の任意の異なる２つの端末デバイスの復調基準信号ＤＭＲＳは異なり、第１の時間領域リソースは、少なくとも１つの第２の時間領域リソースを含み、第２の時間領域リソースは、端末デバイスによって伝送されたデータを基地局が受信するときに使用される時間領域単位である、送信ユニットと、第１の時間領域リソースの全てのまたはいくつかの第２の時間領域リソース上で第１の端末デバイスグループによって伝送されたデータを、第１の制御シグナリングにしたがって受信するよう構成される受信ユニットとを備える。
【００３７】
第３態様に関連して、第１の可能な実装例において、第１の制御シグナリングは第１の端末デバイスグループの第１のグループ識別子を保持し、送信ユニットはさらに、第１の端末デバイスグループ内の各端末デバイスに第１の構成情報を送信するよう構成され、第１の構成情報は第１のグループ識別子を含む。
【００３８】
第３態様の第１の可能な実装例に関連して、第２の可能な実装例において、第１の構成情報はさらに、第１の周期情報と、第３の時間領域リソースを示すために使用される第１の指示情報とを含み、第１の周期情報は、第１の制御シグナリングによって示されるようなスケジューリングを可能にする時間領域リソースの第１の周期長であり、第３の時間領域リソースは、第１の制御シグナリングによって示されるようなスケジューリングを可能にする時間領域リソースの第１の周期の数であり、第３の時間領域リソースは、第１の時間領域リソースを含む。
【００３９】
第３態様の第２の可能な実装例に関連して、第３の可能な実装例において、受信ユニットはさらに、第１の端末デバイスグループによって伝送されたデータを、第１の時間領域リソース以外の第３の時間領域リソースにおける時間領域リソース上で、第１の周期情報にしたがって受信するよう構成される。
【００４０】
第３態様の第２または第３の可能な実装例に関連して、第４の可能な実装例において、第１の構成情報は、物理ダウンリンク制御チャネルＰＤＣＣＨ  ｆｏｒｍａｔ  ０フォーマットの新規データ指示ＮＤＩフィールド、送信電力制御ＴＰＣコマンドｃｏｍｍａｎｄフィールド、復調基準信号用巡回シフト（ＣＳ  ｆｏｒ  ＤＭＲＳ）および直交カバーコードＯＣＣフィールド、または変調および符号化スキームＭＣＳ＆冗長バージョンＲＶフィールドのうちの少なくとも１つを使用して、第１のグループ識別子および／または第１の指示情報を示す。
【００４１】
第３態様の第４の可能な実装例に関連して、第５の可能な実装例において、第１の構成情報はさらに、ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む。
【００４２】
第３態様、または第３態様の第１の可能な実装例に関連して、第６の可能な実装例において、送信ユニットはさらに、第２の制御シグナリングを送信するよう構成され、第２の制御シグナリングは、第４の時間領域リソース上でデータを伝送するよう競合リソースグループ内の第２の端末デバイスグループをスケジューリングするために使用され、第１の時間領域リソースは、第４の時間領域リソースとは異なり、第４の時間領域リソースは、少なくとも１つの第２の時間領域リソースを含み、受信ユニットはさらに、第４の時間領域リソースの全てのまたはいくつかの第２の時間領域リソース上で第２の端末デバイスグループによって伝送されたデータを、第２の制御シグナリングにしたがって受信するよう構成される。
【００４３】
第３態様の第６の可能な実装例に関連して、第７の可能な実装例において、第２の制御シグナリングは、第２の端末デバイスグループの第２のグループ識別子を保持し、送信ユニットはさらに、第２の端末デバイスグループ内の各端末デバイスに第２の構成情報を送信するよう構成され、第２の構成情報は、第２のグループ識別子を含む。
【００４４】
第３態様の第７の可能な実装例に関連して、第８の可能な実装例において、第２の構成情報はさらに、第２の周期情報と、第５の時間領域リソースを示すために使用される第２の指示情報とを含み、第２の周期情報は、第２の制御シグナリングによって示されるようなスケジューリングを可能にする時間領域リソースの第２の周期長であり、第５の時間領域リソースは、第２の制御シグナリングによって示されるようなスケジューリングを可能にする時間領域リソースの第２の周期の数であり、第５の時間領域リソースは、第４の時間領域リソースを含む。
【００４５】
第３態様の第８の可能な実装例に関連して、第９の可能な実装例において、受信ユニットはさらに、第２の端末デバイスグループによって伝送されたデータを、第４の時間領域リソース以外の第５の時間領域リソースにおける時間領域リソース上で、第２の周期情報にしたがって受信するよう構成される。
【００４６】
第３態様の第８または第９の可能な実装例に関連して、第１０の可能な実装例において、第２の構成情報は、ＰＤＣＣＨ  ｆｏｒｍａｔ  ０フォーマットのＮＤＩフィールド、ＴＰＣコマンドフィールド、ＣＳ  ｆｏｒ  ＤＭＲＳおよびＯＣＣフィールド、またはＭＣＳ＆ＲＶフィールドのうちの少なくとも１つを使用して、第２のグループ識別子および／または第２の指示情報を示す。
【００４７】
第３態様の第１０の可能な実装例に関連して、第１１の可能な実装例において、第２の構成情報はさらに、ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む。
【００４８】
第３態様の第６から第１１の可能な実装例のうちのいずれか１つに関連して、第１２の可能な実装例において、第１の制御シグナリングと第２の制御シグナリングとが同一の時間領域リソース上で送信されたとき、第３の時間領域リソースは第５の時間領域リソースと同一であり、第３の時間領域リソースは、第１の端末デバイスグループが使用できる時間領域リソースであり、第３の時間領域リソースは、第１の時間領域リソースを含む。
【００４９】
第３態様、または第３態様の第１から第１２の可能な実装例のうちのいずれか１つに関連して、第１３の可能な実装例において、送信ユニットはさらに、競合リソースグループ内の全ての端末デバイスに第３の制御シグナリングを送信するよう構成され、第３の制御シグナリングは、サウンディング基準信号ＳＲＳを送信するよう全ての端末デバイスに命令するために使用され、受信ユニットはさらに、全ての端末デバイスの各々によって送信されたＳＲＳを受信するよう構成され、基地局はさらに、受信されたＳＲＳにしたがって、対応する端末デバイスのチャネル状態情報ＣＳＩを算出し、全ての端末デバイスにそれぞれ対応するＣＳＩにしたがって、競合リソースグループ内の端末デバイスを再グループ化するよう構成される処理ユニットを備える。
【００５０】
第３態様、または第３態様の第１から第１３の可能な実装例のうちのいずれか１つに関連して、第１４の可能な実装例において、送信ユニットはさらに、競合リソースグループ内の全ての端末デバイスに第４の制御シグナリングを送信するよう構成され、第４の制御シグナリングは、バッファステータス報告ＢＳＲを送信するよう全ての端末デバイスに命令するために使用され、受信ユニットはさらに、全ての端末デバイスによって送信されたＢＳＲを受信するよう構成され、基地局はさらに、全ての端末デバイスによってそれぞれ送信されたＢＳＲにしたがって競合リソースグループ内の端末デバイスを再グループ化するよう構成される処理ユニットを備える。
【００５１】
第３態様、または第３態様の第１から第１４の可能な実装例のうちのいずれか１つに関連して、第１５の可能な実装例において、基地局はさらに、過去の負荷統計にしたがって競合リソースグループ内の端末デバイスを再グループ化するよう構成される処理ユニットを備える。
【００５２】
第３態様、または第３態様の第１から第１５の可能な実装例のうちのいずれか１つに関連して、第１６の可能な実装例において、第１の制御シグナリングおよび第２の制御シグナリングの両方は、競合リソースグループに対応する競合ベース無線ネットワーク一時識別子ＣＢ−ＲＮＴＩを使用することによってスクランブリングされる。
【００５３】
第４態様によると、端末デバイスが提供される。当該端末デバイスは、基地局によって送信された第１の制御シグナリングを受信するよう構成される受信ユニットであって、第１の制御シグナリングは、第１の時間領域リソース上でデータを伝送するよう第１の端末デバイスグループをスケジューリングするために使用され、競合リソースグループ内の任意の端末デバイスグループ内の任意の異なる２つの端末デバイスの復調基準信号ＤＭＲＳは異なり、第１の時間領域リソースは、少なくとも１つの第２の時間領域リソースを含み、第２の時間領域リソースは、端末デバイスによって伝送されたデータを基地局が受信するときに使用される時間領域単位である、受信ユニットと、第１の制御シグナリングにしたがって、第１の時間領域リソースの全てのまたはいくつかの第２の時間領域リソース上でデータを伝送するよう構成される送信ユニットとを備える。
【００５４】
第４態様に関連して、第１の可能な実装例において、第１の制御シグナリングは、第１の端末デバイスグループの第１のグループ識別子を保持し、受信ユニットはさらに、基地局によって送信された第１の構成情報を受信するよう構成され、端末デバイスはさらに、第１の端末デバイスグループのグループ識別子が第１のグループ識別子であると、第１の構成情報にしたがって判断するよう構成される処理ユニットであって、第１の構成情報は、第１のグループ識別子を含む、処理ユニットを備える。
【００５５】
第４態様の第１の可能な実装例に関連して、第２の可能な実装例において、端末デバイスはさらに、第１のグループ識別子が、端末デバイスが属する端末デバイスグループのグループ識別子であると判断するよう構成される処理ユニットを備える。
【００５６】
第４態様の第１または第２の可能な実装例に関連して、第３の可能な実装例において、第１の構成情報はさらに、第１の周期情報と、第３の時間領域リソースを示すために使用される第１の指示情報とを含み、第１の周期情報は、第１の制御シグナリングによって示されるようなスケジューリングを可能にする時間領域リソースの第１の周期長であり、第３の時間領域リソースは、第１の制御シグナリングによって示されるようなスケジューリングを可能にする時間領域リソースの第１の周期の数であり、第３の時間領域リソースは、第１の時間領域リソースを含む。
【００５７】
第４態様の第３の可能な実装例に関連して、第４の可能な実装例において、送信ユニットはさらに、第１の時間領域リソース以外の第３の時間領域リソースにおける時間領域リソース上で、第１の周期情報にしたがってデータを送信するよう構成される。
【００５８】
第４態様の第３または第４の可能な実装例に関連して、第５の可能な実装例において、第１の構成情報は、物理ダウンリンク制御チャネルＰＤＣＣＨ  ｆｏｒｍａｔ  ０フォーマットの新規データ指示ＮＤＩフィールド、送信電力制御ＴＰＣコマンドｃｏｍｍａｎｄフィールド、復調基準信号用巡回シフト（ＣＳ  ｆｏｒ  ＤＭＲＳ）および直交カバーコードＯＣＣフィールド、または変調および符号化スキームＭＣＳ＆冗長バージョンＲＶフィールドのうちの少なくとも１つを使用して、第１のグループ識別子および／または第１の指示情報を示す。
【００５９】
第４態様の第５の可能な実装例に関連して、第６の可能な実装例において、第１の構成情報はさらに、ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む。
【００６０】
第４態様、または第４態様の第１から第６の可能な実装例のうちのいずれか１つに関連して、第７の可能な実装例において、受信ユニットはさらに、基地局によって送信された第３の制御シグナリングを受信するよう構成され、送信ユニットはさらに、第３の制御シグナリングにしたがって、基地局にサウンディング基準信号ＳＲＳを送信するよう構成される。
【００６１】
第４態様、または第４態様の第１から第７の可能な実装例のうちのいずれか１つに関連して、第８の可能な実装例において、受信ユニットはさらに、基地局によって送信された第４の制御シグナリングを受信するよう構成され、送信ユニットはさらに、第４の制御シグナリングにしたがって基地局にバッファステータス報告ＢＳＲを送信するよう構成される。
【００６２】
第４態様、または第４態様の第１から第８の可能な実装例のうちのいずれか１つに関連して、第９の可能な実装例において、第１の制御シグナリングは、競合リソースグループに対応する競合ベース無線ネットワーク一時識別子ＣＢ−ＲＮＴＩを使用することによってスクランブリングされ、端末デバイスはさらに、格納されたＣＢ−ＲＮＴＩを使用することによって第１の制御シグナリングをデコードし、デコードに成功するよう構成される処理ユニットを備える。
【００６３】
本発明の実施形態において、データ伝送方法が提供される。この解決手段では、１つの競合リソースグループは、複数の端末デバイスグループに分割されてよく、同一のＤＭＲＳを有する端末デバイスが、異なる２つの端末デバイスグループに存在してよい。同一のＤＭＲＳを有する端末デバイスが異なる２つの端末デバイスグループに存在するときであっても、干渉は依然として回避され得る。したがって、本発明の実施形態によると、良好な通信品質を得ながら、１つの競合リソースグループ内の接続された端末デバイスの数が増やされる。
【図面の簡単な説明】
【００６４】
【図１Ａ】本発明の一実施形態に係るデータ伝送のフローチャートである。
【００６５】
【図１Ｂ】本発明の一実施形態に係るグループ識別子指示ビットの概略図である。
【００６６】
【図１Ｃ】本発明の一実施形態に係る端末デバイスグループの概略図である。
【００６７】
【図２】本発明の一実施形態に係るデータ伝送の別のフローチャートである。
【００６８】
【図３Ａ】本発明の一実施形態に係る基地局の概略図である。
【００６９】
【図３Ｂ】本発明の一実施形態に係る基地局の別の概略図である。
【００７０】
【図４Ａ】本発明の一実施形態に係る端末デバイスの概略図である。
【００７１】
【図４Ｂ】本発明の一実施形態に係る端末デバイスの別の概略図である。
【発明を実施するための形態】
【００７２】
本発明の目的、技術的解決手段、および利点をより明確にするべく、以下ではさらに、添付図面に関連して本発明を詳細に説明する。説明される実施形態が、本発明の実施形態の全てではなく一部に過ぎないことは明らかである。創造的な努力なく本発明の実施形態に基づいて当業者によって得られる他の全ての実施形態は、本発明の保護範囲内に当然に含まれる。
【００７３】
本発明のより良好な理解の一助となるよう、以下では、本発明が適用可能な応用分野および基本的技術を説明する。
【００７４】
本発明の実施形態における技術的解決手段は、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ、グローバルシステムフォーモバイルコミュニケーション）、ＣＤＭＡ（Ｃｏｄｅ  Ｄｉｖｉｓｉｏｎ  Ｍｕｌｔｉｐｌｅ  Ａｃｃｅｓｓ、符号分割多元接続）システム、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ、広帯域符号分割多元接続）システム、ＧＰＲＳ（Ｇｅｎｅｒａｌ  Ｐａｃｋｅｔ  Ｒａｄｉｏ  Ｓｅｒｖｉｃｅ、汎用パケット無線サービス）システム、またはＬＴＥ（Ｌｏｎｇ  Ｔｅｒｍ  Ｅｖｏｌｕｔｉｏｎ、ロングタームエボリューション）システムなどの様々な通信システムに適用されてよい。
【００７５】
端末デバイス（Ｔｅｒｍｉｎａｌ  Ｄｅｖｉｃｅ）は、モバイル端末（Ｍｏｂｉｌｅ  Ｔｅｒｍｉｎａｌ）、またはモバイル端末デバイス等とも称されてよく、ここでは具体的に限定されない。端末デバイスは、無線アクセスネットワーク（例えば、ＲＡＮ（Ｒａｄｉｏ  Ａｃｃｅｓｓ  Ｎｅｔｗｏｒｋ、無線アクセスネットワーク））を使用することによって１または複数のコアネットワークと通信してよい。端末デバイスは、携帯電話（「セルラ」電話とも称される）などのモバイル端末であってよく、または、モバイル端末を備えるコンピュータであってよい。例えば、端末デバイスは、音声および／またはデータを無線アクセスネットワークと交換する、ポータブルの、ポケットサイズの、ハンドヘルドの、コンピュータ内蔵型の、または車載のモバイル装置であってよい。
【００７６】
基地局は、ＧＳＭ（登録商標）またはＣＤＭＡにおけるベーストランシーバ基地局（ＢＴＳ、Ｂａｓｅ  Ｔｒａｎｓｃｅｉｖｅｒ  Ｓｔａｔｉｏｎ）であってよく、ＷＣＤＭＡ（登録商標）におけるノードＢ（ＮｏｄｅＢ）であってもよく、または、ＬＴＥにおける進化型ノードＢ（ｅＮＢまたはｅ−ＮｏｄｅＢ、ｅｖｏｌｕｔｉｏｎａｌ  Ｎｏｄｅ  Ｂ）であってよい。このことは、本発明の実施形態において具体的に限定されていない。
【００７７】
本発明の目的、技術的解決手段、および利点をより明確にするべく、以下ではさらに、添付図面に関連して本発明を詳細に説明する。説明される実施形態が、本発明の実施形態の全てではなく一部に過ぎないことは明らかである。創造的な努力なく本発明の実施形態に基づいて当業者によって得られる他の全ての実施形態は、本発明の保護範囲内に当然に含まれる。
【００７８】
「複数の」は、２つ、または２つより多いことを指す。「および／または」という用語は、関連対象物を説明するための対応関係を説明し、３つの関係が存在し得ることを表す。例えば、Ａおよび／またはＢは、Ａのみ存在すること、ＡおよびＢの両方が存在すること、ならびに、Ｂのみ存在することの３つのケースを表してよい。「／」という文字は概して、関連対象物間の「または」の関係を示す。
【００７９】
以下では、添付図面に関連して、本発明の好適な実装例が詳細に説明される。本明細書において説明される好適な実施形態は、本発明を例示し説明するために使用されるに過ぎず、本発明を限定することは意図されていないことを理解されたい。加えて、本出願の実施形態、および実施形態における特徴は、それらが互いに矛盾しない場合、組み合わせられてよい。
【００８０】
以下では、添付図面に関連して本発明の実施形態を詳細に説明する。
【００８１】
図１Ａを参照すると、本発明の一実施形態において、データ伝送のフローチャートは以下のとおりである。
【００８２】
段階１００：基地局が第１の制御シグナリングを送信する。ここで、第１の制御シグナリングは、第１の時間領域リソース上でデータを伝送するよう競合リソースグループ内の第１の端末デバイスグループをスケジューリングするために使用され、競合リソースグループ内の任意の端末デバイスグループ内の任意の異なる２つの端末デバイスの復調基準信号ＤＭＲＳは異なり、第１の時間領域リソースは、少なくとも１つの第２の時間領域リソースを含み、第２の時間領域リソースは、端末デバイスによって伝送されたデータを基地局が受信するときに使用される時間領域単位である。
【００８３】
段階１１０：基地局が、第１の時間領域リソースの全てのまたはいくつかの第２の時間領域リソース上で第１の端末デバイスグループによって伝送されたデータを、第１の制御シグナリングにしたがって受信する。
【００８４】
本発明のこの実施形態において、第１の制御シグナリングは、端末デバイスグループをスケジューリングするために使用される。したがって、第１の制御シグナリングはさらに、第１の端末デバイスグループの第１のグループ識別子を保持する。このやり方で、当該制御シグナリングを受信する端末デバイスは、当該端末デバイスが属する端末デバイスグループをスケジューリングするために当該制御シグナリングが使用されるかどうかを判断できる。
【００８５】
例えば、競合リソースグループは、端末デバイス１、端末デバイス２、...、端末デバイス１０という１０個の端末デバイスを備え、競合リソースグループは、端末デバイスグループ１および端末デバイスグループ２という２つの端末デバイスグループに分割される。端末デバイスグループ１は、端末デバイス１、端末デバイス２、端末デバイス３、端末デバイス４、および端末デバイス５を有し、端末デバイスグループ２は、端末デバイス６、端末デバイス７、端末デバイス８、端末デバイス９、および端末デバイス１０を有する。第１の制御シグナリングは、端末デバイスグループ１をスケジューリングするために使用される。したがって、第１の制御シグナリングは、端末デバイスグループ１の第１のグループ識別子を保持する。このやり方で、第１の制御シグナリングを受信した後、端末デバイスグループ１内の各端末は、端末デバイスグループ１がスケジューリングされるべきかどうかを、第１の制御シグナリングにおける第１のグループ識別子にしたがって判断できる。
【００８６】
本発明のこの実施形態において、制御シグナリングにおけるｎビットが、グループ識別子を示すために使用されてよい。ｎが１の場合、競合リソースグループは、最大２つの端末デバイスグループを備えてよく、ｎが２の場合、競合リソースグループは最大４つの端末デバイスグループを備えてよく、あとは類推によって推定されよう。実際の適用要件と、端末デバイスグループ指示ビットフィールドの利用効率とを考慮すると、任意選択で、ｎの値の範囲は［１，３］であってよい。図１Ｂに示すように、ｎの値は２であり、示された端末デバイスグループは、端末デバイスグループ２のグループ識別子である。
【００８７】
ＬＴＥシステムでは、１つの制御シグナリングは、１つの端末デバイスグループの１つのアップリンク伝送のみをスケジューリングするために使用され得る。しかしながら、大規模接続のシナリオにおいては、このスケジューリング方式は、リソースオーバヘッドが過度に高いという欠点を有する。したがって、本発明のこの実施形態において、制御シグナリングは特定の実効時間を有する。すなわち、実効時間内において、スケジューリングされた端末デバイスは、制御シグナリングのスケジューリングに従う。したがって、本発明のこの実施形態において、リソース利用率を向上させ、シグナリングオーバヘッドを低減するべく、第１の構成情報はさらに、第１の周期情報と、第３の時間領域リソースを示すために使用される第１の指示情報とを含み、第１の周期情報は、第１の制御シグナリングによって示されるようなスケジューリングを可能にする時間領域リソースの第１の周期長であり、第３の時間領域リソースは、第１の制御シグナリングによって示されるようなスケジューリングを可能にする時間領域リソースの第１の周期の数であり、第３の時間領域リソースは、第１の時間領域リソースを含む。
【００８８】
この場合、第１の時間領域リソースの全てのまたはいくつかの第２の時間領域リソース上で第１の端末デバイスグループによって伝送されたデータを、第１の制御シグナリングにしたがって基地局が受信する動作の後、第１の端末デバイスグループによって伝送されたデータを、第１の時間領域リソース以外の第３の時間領域リソースにおける時間領域リソース上で、第１の周期情報にしたがって基地局が受信する動作がさらに含まれる。
【００８９】
例えば、競合リソースグループは、端末デバイス１、端末デバイス２、...、端末デバイス１０という１０個の端末デバイスを備え、競合リソースグループは、端末デバイスグループ１および端末デバイスグループ２という２つの端末デバイスグループに分割される。端末デバイスグループ１は、端末デバイス１、端末デバイス２、端末デバイス３、端末デバイス４、および端末デバイス５を有し、端末デバイスグループ２は、端末デバイス６、端末デバイス７、端末デバイス８、端末デバイス９、および端末デバイス１０を有する。第１の制御シグナリングは、端末デバイスグループ１をスケジューリングするために使用され、第１の周期情報は、１０個のサブフレームを含み、第１の時間領域リソースは、サブフレーム１、サブフレーム２、サブフレーム３、サブフレーム５、およびサブフレーム１０を含み、第３の時間領域リソースは、３つの第１の周期、すなわち、３０個のサブフレームを含む。端末デバイスグループ１内の各端末デバイスは、第１番目の第１の周期（すなわち、サブフレーム１からサブフレーム１０）におけるサブフレーム１、サブフレーム２、サブフレーム３、サブフレーム５、およびサブフレーム１０においてデータを伝送し、次に、第２番目の第１の周期における１０個のサブフレーム（すなわち、サブフレーム１からサブフレーム１０）のうちのサブフレーム１、サブフレーム２、サブフレーム３、サブフレーム５、およびサブフレーム１０においてデータを伝送し、次に、第３番目の第１の周期における１０個のサブフレーム（すなわち、サブフレーム１からサブフレーム１０）のうちのサブフレーム１、サブフレーム２、サブフレーム３、サブフレーム５、およびサブフレーム１０においてデータを伝送してよい。このやり方で、基地局は、１０個のサブフレームごとに一回第１の制御シグナリングを送信する必要はなく、３つの第１の周期において一回第１の制御シグナリングを送信するだけでよく、それによって、シグナリングオーバヘッドを低減し、リソース利用率を向上させる。
【００９０】
第１の時間領域リソースは、連続であっても、不連続であってもよいことに留意されたい。例えば、第１の時間領域リソースは、サブフレーム１からサブフレーム５を含んでよく、または、サブフレーム１、サブフレーム３、サブフレーム５、サブフレーム７、およびサブフレーム９を含んでよい。
【００９１】
例えば、第１の制御シグナリングの９ビットは、第１の周期に含まれる時間領域リソースによって占有されるビットである。１個のサブフレームが第１の端末デバイスグループによって使用され得るかどうかを示すために１ビットが使用され、第１の制御シグナリングにおける９ビットは、各第１の周期における９個のサブフレームが第１の端末デバイスグループによって使用され得るかどうかを示してよい。ビットがセットされていることは、対応するサブフレームが第１の端末デバイスグループによって使用され得ることを示し、ビットがリセットされていることは、対応するサブフレームが、第１の端末デバイスグループによって使用され得ないことを示し、または逆もまた同様である。
【００９２】
この実施形態の上述の説明において、第１の周期に含まれる時間領域リソースが９ビットを占有することは、９個のサブフレームが第１の端末デバイスグループによって使用され得るかどうかを示してよい。もちろん、実際の適用では、９より少ない数のサブフレームが第１の端末デバイスグループによって使用され得るかどうかが代替的に示されてよい。例えば、第１の周期に含まれる時間領域リソースが８ビット、７ビット、または６ビットを占有することは、８個のサブフレーム、７個のサブフレーム、または６個のサブフレームが第１の端末デバイスグループによって使用され得るかどうかを示してよい。ここではさらなる詳細は説明しない。
【００９３】
本発明のこの実施形態において、第１の構成情報は、ＰＤＣＣＨ  ｆｏｒｍａｔ  ０フォーマットのＮＤＩ（Ｎｅｗ  Ｄａｔａ  Ｉｎｄｉｃａｔｏｒ、新規データ指示子）フィールド、ＴＰＣ（Ｔｒａｎｓｍｉｓｓｉｏｎ  Ｐｏｗｅｒ  Ｃｏｎｔｒｏｌ、送信電力制御）コマンド（ｃｏｍｍａｎｄ）フィールド、ＣＳ（Ｃｙｃｌｉｃ  Ｓｈｉｆｔ、巡回シフト）  ｆｏｒ  ＤＭＲＳおよびＯＣＣ（Ｏｒｔｈｏｇｏｎａｌ  Ｃｏｖｅｒ  Ｃｏｄｅ、直交カバーコード）フィールド、またはＭＣＳ（Ｍｏｄｕｌａｔｉｏｎ  ａｎｄ  Ｃｏｄｉｎｇ  Ｓｃｈｅｍｅ、変調および符号化スキーム）＆ＲＶ（Ｒｅｄｕｎｄａｎｃｙ  Ｖｅｒｓｉｏｎ、冗長バージョン）フィールドのうちの少なくとも１つを使用して、第１のグループ識別子および／または第１の指示情報を示す。
【００９４】
その上、第１の構成情報はさらに、ＰＤＣＣＨ  ｆｏｒｍａｔ  ０フォーマットのキャリア指示フィールド、ｆｏｒｍａｔ  ０／１ａ指示フィールド、周波数ホッピング指示フィールド、リソース指示および周波数ホッピングリソース割り当てフィールド、アップリンクインデックス、またはＣＳＩ要求フィールドのうちの少なくとも１つを含む。これらのフィールドは、これらの元の機能を保持できる。
【００９５】
本発明のこの実施形態において、第１の端末デバイスグループに加えて、競合リソースグループは、第２の端末デバイスグループを備えてよい。したがって、当該方法は、第２の制御シグナリングを基地局が送信する動作であって、第２の制御シグナリングは、第４の時間領域リソース上でデータを伝送するよう競合リソースグループ内の第２の端末デバイスグループをスケジューリングするために使用され、第１の時間領域リソースは、第４の時間領域リソースとは異なり、第４の時間領域リソースは、少なくとも１つの第２の時間領域リソースを含む、動作と、第４の時間領域リソースの全てのまたはいくつかの第２の時間領域リソース上で第２の端末デバイスグループによって伝送されたデータを、第２の制御シグナリングにしたがって基地局が受信する動作とをさらに備えてよい。
【００９６】
本発明のこの実施形態において、第２の制御シグナリングは、端末デバイスグループをスケジューリングするために使用される。したがって、第２の制御シグナリングはさらに、第２の端末デバイスグループの第２のグループ識別子を保持する。このやり方でのみ、当該制御シグナリングを受信する端末デバイスは、当該端末デバイスが属する端末デバイスグループをスケジューリングするために当該制御シグナリングが使用されるかどうかを判断できる。
【００９７】
本発明のこの実施形態において、任意選択で、第２の制御シグナリングは、第２の端末デバイスグループの第２のグループ識別子を保持する。
【００９８】
さらに、第２の制御シグナリングを基地局が送信する動作の前に、第２の端末デバイスグループ内の各端末デバイスに第２の構成情報を基地局が送信する動作であって、第２の構成情報は、第２のグループ識別子を含む、動作がさらに含まれる。
【００９９】
例えば、競合リソースグループは、端末デバイス１、端末デバイス２、...、端末デバイス１０という１０個の端末デバイスを備え、競合リソースグループは、端末デバイスグループ１および端末デバイスグループ２という２つの端末デバイスグループに分割される。端末デバイスグループ１は、端末デバイス１、端末デバイス２、端末デバイス３、端末デバイス４、および端末デバイス５を有し、端末デバイスグループ２は、端末デバイス６、端末デバイス７、端末デバイス８、端末デバイス９、および端末デバイス１０を有する。第２の制御シグナリングは、端末デバイスグループ２をスケジューリングするために使用される。したがって、第２の制御シグナリングは、端末デバイスグループ２の第２のグループ識別子を保持する。このやり方で、第２の制御シグナリングを受信した後、端末デバイスグループ２内の各端末は、端末デバイスグループ２がスケジューリングされるべきかどうかを、第２の制御シグナリングにおける第２のグループ識別子にしたがって判断できる。
【０１００】
ＬＴＥシステムでは、１つの制御シグナリングは、１つの端末デバイスグループの１つのアップリンク伝送のみをスケジューリングするために使用され得る。しかしながら、大規模接続のシナリオにおいては、このスケジューリング方式は、リソースオーバヘッドが過度に高いという欠点を有する。したがって、本発明のこの実施形態において、制御シグナリングは特定の実効時間を有する。すなわち、実効時間内において、スケジューリングされた端末デバイスは、制御シグナリングのスケジューリングに従う。したがって、本発明のこの実施形態において、リソース利用率を向上させ、シグナリングオーバヘッドを低減するべく、第２の構成情報はさらに、第２の周期情報と、第５の時間領域リソースを示すために使用される第２の指示情報とを含み、第２の周期情報は、第２の制御シグナリングによって示されるようなスケジューリングを可能にする時間領域リソースの第２の周期長であり、第５の時間領域リソースは、第２の制御シグナリングによって示されるようなスケジューリングを可能にする時間領域リソースの第２の周期の数であり、第５の時間領域リソースは、第４の時間領域リソースを含む。
【０１０１】
この場合、第４の時間領域リソースの全てのまたはいくつかの第２の時間領域リソース上で第２の端末デバイスグループによって伝送されたデータを、第２の制御シグナリングにしたがって基地局が受信する動作の後、第２の端末デバイスグループによって伝送されたデータを、第４の時間領域リソース以外の第５の時間領域リソースにおける時間領域リソース上で、第２の周期情報にしたがって基地局が受信する動作がさらに含まれる。
【０１０２】
例えば、競合リソースグループは、端末デバイス１、端末デバイス２、...、端末デバイス１０という１０個の端末デバイスを備え、競合リソースグループは、端末デバイスグループ１および端末デバイスグループ２という２つの端末デバイスグループに分割される。端末デバイスグループ１は、端末デバイス１、端末デバイス２、端末デバイス３、端末デバイス４、および端末デバイス５を有し、端末デバイスグループ２は、端末デバイス６、端末デバイス７、端末デバイス８、端末デバイス９、および端末デバイス１０を有する。第２の制御シグナリングは、端末デバイスグループ２をスケジューリングするために使用され、第２の周期情報は、１０個のサブフレームを含み、第４の時間領域リソースは、サブフレーム１、サブフレーム２、サブフレーム３、サブフレーム５、サブフレーム１０を含み、第５の時間領域リソースは、３つの第２の周期、すなわち、３０個のサブフレームを含む。端末デバイスグループ２内の各端末デバイスは、第１番目の第２の周期（すなわち、サブフレーム１からサブフレーム１０）におけるサブフレーム１、サブフレーム２、サブフレーム３、サブフレーム５、およびサブフレーム１０においてデータを伝送し、次に、第２番目の第２の周期における１０個のサブフレーム（すなわち、サブフレーム１からサブフレーム１０）のうちのサブフレーム１、サブフレーム２、サブフレーム３、サブフレーム５、およびサブフレーム１０においてデータを伝送し、次に、第３番目の第２の周期における１０個のサブフレーム（すなわち、サブフレーム１からサブフレーム１０）のうちのサブフレーム１、サブフレーム２、サブフレーム３、サブフレーム５、およびサブフレーム１０においてデータを伝送してよい。このやり方で、基地局は、１０個のサブフレームごとに一回第１の制御シグナリングを送信する必要はなく、３つの第２の周期において一回第２の制御シグナリングを送信するだけでよく、それによって、シグナリングオーバヘッドを低減し、リソース利用率を向上させる。
【０１０３】
第４の時間領域リソースは、連続であっても、不連続であってもよいことに留意されたい。例えば、第４の時間領域リソースは、サブフレーム１からサブフレーム５を含んでよく、または、サブフレーム１、サブフレーム３、サブフレーム５、サブフレーム７、およびサブフレーム９を含んでよい。
【０１０４】
本発明のこの実施形態において、任意選択で、第２の構成情報は、ＰＤＣＣＨ  ｆｏｒｍａｔ  ０フォーマットのＮＤＩフィールド、ＴＰＣコマンドフィールド、ＣＳ  ｆｏｒ  ＤＭＲＳおよびＯＣＣフィールド、またはＭＣＳ＆ＲＶフィールドのうちの少なくとも１つを使用して、第２のグループ識別子および／または第２の指示情報を示す。
【０１０５】
その上、第２の構成情報はさらに、ＰＤＣＣＨ  ｆｏｒｍａｔ  ０フォーマットのキャリア指示フィールド、ｆｏｒｍａｔ  ０／１ａ指示フィールド、周波数ホッピング指示フィールド、リソース指示および周波数ホッピングリソース割り当てフィールド、アップリンクインデックス、またはＣＳＩ要求フィールドのうちの少なくとも１つを含む。これらのフィールドは、これらの元の機能を保持できる。
【０１０６】
例えば、図１Ｃに示すように、競合リソースグループは、端末デバイス１、端末デバイス２、...、端末デバイス１０という１０個の端末デバイスを備え、競合リソースグループは、端末デバイスグループ１および端末デバイスグループ２という２つの端末デバイスグループに分割される。端末デバイスグループ１は、端末デバイス１、端末デバイス２、端末デバイス３、端末デバイス４、および端末デバイス５を有し、端末デバイスグループ２は、端末デバイス６、端末デバイス７、端末デバイス８、端末デバイス９、および端末デバイス１０を有する。端末デバイスグループ１内の全ての端末デバイスのＤＭＲＳは異なり、端末デバイスグループ２内の全ての端末デバイスのＤＭＲＳも異なる。しかしながら、端末デバイス１および端末デバイス９のＤＭＲＳは同一である。基地局は、第１の制御シグナリングを使用することによって端末デバイスグループ１をスケジューリングし、第２の制御シグナリングを使用することによって端末デバイスグループ２をスケジューリングする。端末デバイス１および端末デバイス９のＤＭＲＳは同一であるが、端末デバイスグループ１および端末デバイスグループ２は異なる時点でデータを伝送するので、同一のＤＭＲＳを有する端末の間の干渉を回避することができ、良好な通信品質を得る。これにより、良好な通信品質を得ながら、接続された端末デバイスの数を増やすことができる。
【０１０７】
本発明のこの実施形態において、任意選択で、第１の制御シグナリングと第２の制御シグナリングとが同一の時間領域リソース上で送信されたとき、第３の時間領域リソースは第５の時間領域リソースと同一であり、第３の時間領域リソースは、第１の端末デバイスグループによって使用され得る時間領域リソースであり、第３の時間領域リソースは、第１の時間領域リソースを含む。
【０１０８】
グループスケジューリングベースアップリンク競合伝送解決手段において、伝送効率は、同一の端末デバイスグループ内の端末デバイスの間のマッチング度に関連する。端末デバイスグループ内の端末デバイスの間のより高いマッチング度は、端末デバイスのより高い伝送効率を示す。したがって、本発明のこの実施形態において、基地局は、端末デバイスによって送信されたＳＲＳにしたがって端末デバイスを再グループ化し、比較的高いマッチング度を有する端末デバイスを１つの端末デバイスグループに分類してよい。したがって、本発明のこの実施形態において、競合リソースグループ内の全ての端末デバイスに第３の制御シグナリングを基地局が送信する動作であって、第３の制御シグナリングは、ＳＲＳ（Ｓｏｕｎｄｉｎｇ  Ｒｅｆｅｒｅｎｃｅ  Ｓｉｇｎａｌ、サウンディング基準信号）を送信するよう全ての端末デバイスに命令するために使用される、動作と、基地局が、全ての端末デバイスの各々によって送信されたＳＲＳを受信し、受信されたＳＲＳにしたがって、対応する端末デバイスのＣＳＩ（Ｃｈａｎｎｅｌ  Ｓｔａｔｅ  Ｉｎｆｏｒｍａｔｉｏｎ、チャネル状態情報）を算出し、全ての端末デバイスにそれぞれ対応するＣＳＩにしたがって、競合リソースグループ内の端末デバイスを再グループ化する動作とがさらに含まれる。
【０１０９】
例えば、競合リソースグループは、端末デバイス１、端末デバイス２、...、端末デバイス１０という１０個の端末デバイスを備え、競合リソースグループは、端末デバイスグループ１および端末デバイスグループ２という２つの端末デバイスグループに分割される。端末デバイスグループ１は、端末デバイス１、端末デバイス２、端末デバイス３、端末デバイス４、および端末デバイス５を有し、端末デバイスグループ２は、端末デバイス６、端末デバイス７、端末デバイス８、端末デバイス９、および端末デバイス１０を有する。基地局は、第３の制御シグナリングを送信する。第３の制御シグナリングは、ＳＲＳを送信するよう１０個の端末デバイスに命令するために使用される。端末デバイス１は、ＳＲＳ１を送信し、端末デバイス２はＳＲＳ２を送信し、...、端末デバイス１０は、ＳＲＳ１０を送信する。基地局は、ＳＲＳ１にしたがってＣＳＩ１を算出し、基地局は、ＳＲＳ２にしたがってＣＳＩ２を算出し、基地局は、ＳＲＳ３にしたがってＣＳＩ３を算出し、...、基地局は、ＳＲＳ１０にしたがってＣＳＩ１０を算出する。基地局は、端末デバイス１と、端末デバイス３と、端末デバイス５と、端末デバイス７と、端末デバイス９との間のマッチング度がより高く、残りの端末デバイスの間のマッチング度が高いと、ＣＳＩ１、ＣＳＩ２、...、ＣＳＩ１０にしたがって判断する。このやり方で、端末デバイスは、端末デバイス１、端末デバイス３、端末デバイス５、端末デバイス７、および端末デバイス９を含む端末デバイスグループ１と、端末デバイス２、端末デバイス４、端末デバイス６、端末デバイス８、および端末デバイス１０を含む端末デバイスグループ２という２つのグループに分類される。
【０１１０】
伝送効率を向上させ、より高いデータ量を有する端末デバイスグループにより多くの伝送機会を得させ、より低いデータ量を有する端末デバイスグループにより少ない伝送機会を得させるべく、本発明のこの実施形態において、競合リソースグループ内の全ての端末デバイスに第４の制御シグナリングを基地局が送信する動作であって、第４の制御シグナリングは、ＢＳＲ（Ｂｕｆｆｅｒ  Ｓｔａｔｕｓ  Ｒｅｐｏｒｔ、バッファステータス報告）を送信するよう全ての端末デバイスに命令するために使用される、動作と、全ての端末デバイスによって送信されたＢＳＲを基地局が受信し、全ての端末デバイスによってそれぞれ送信されたＢＳＲにしたがって、競合リソースグループ内の端末デバイスを再グループ化する動作とがさらに含まれる。
【０１１１】
あるいは、端末デバイスグループの間での負荷分散を確保するべく、本発明のこの実施形態において、基地局は、端末デバイスの過去のスループットにしたがって、半静的な方式で端末デバイスのグループ化を調整し、より高い過去のスループットを有する端末デバイスを、より低い過去のスループットを有する端末デバイスグループに分類して、これにより、端末デバイスグループ間の負荷分散を確保する。したがって、本発明のこの実施形態において、過去の負荷統計にしたがって、競合リソースグループ内の端末デバイスを基地局が再グループ化する動作がさらに含まれる。
【０１１２】
本発明のこの実施形態において、システム実行プロセスでは、基地局が端末デバイスのグループ化を調整する必要がある場合、基地局は、端末デバイスが属する競合リソースグループ、競合リソースグループ内の端末デバイスグループ、ならびに関連するＤＭＲＳのルートシーケンスおよび巡回シフト等を、ＲＲＣ（Ｒａｄｉｏ  Ｒｅｓｏｕｒｃｅ  Ｃｏｎｔｒｏｌ、無線リソース制御）シグナリングを使用することによって端末デバイスのために再構成してよい。
【０１１３】
本発明のこの実施形態において、基地局は、異なるＣＢ−ＲＮＴＩを使用することによって異なる制御シグナリングをスクランブリングして、異なる競合リソースグループに対応する制御シグナリングを区別する。ＣＢ−ＲＮＴＩは、競合リソースグループに一対一対応する。第１の制御シグナリングおよび第２の制御シグナリングの両方は、競合リソースグループに対応するＣＢ−ＲＮＴＩを使用することによってスクランブリングされる。
【０１１４】
本発明のこの実施形態において、端末デバイスの初期のアクセスフェーズでは、基地局は、端末デバイスのサービスタイプにしたがって、初期の競合リソースグループを端末デバイスに割り当てる。すなわち、基地局は、端末デバイスによって使用され得る競合リソースを、端末デバイスのサービスタイプにしたがって判断する。
【０１１５】
本発明のこの実施形態において、任意選択で、基地局は、ＤＭＲＳに基づいて端末デバイスを識別してよい。端末デバイス識別の成功率を上げるべく、伝送に同一の時間周波数リソースを使用する端末デバイスのＤＭＲＳの間の直交性が確保される必要がある。マルチパス効果を回避するべく、１つの端末デバイスグループに含まれる端末デバイスの数は、８より少ないか、またはそれに等しい。
【０１１６】
第２の時間領域リソースは、ＬＴＥシステムにおける基本時間領域単位、すなわち、サブフレームであってよく、またはもちろん、別の形式であってよいことに留意されたい。ここではさらなる詳細は説明しない。
【０１１７】
この解決手段では、１つの競合リソースグループは、複数の端末デバイスグループに分割されてよく、同一のＤＭＲＳを有する端末デバイスが、異なる２つの端末デバイスグループに存在してよい。同一のＤＭＲＳを有する端末デバイスが異なる２つの端末デバイスグループに存在するときであっても、干渉は依然として回避され得る。したがって、本発明の実施形態によると、良好な通信品質を得ながら、１つの競合リソースグループ内の接続された端末デバイスの数が増やされる。
【０１１８】
図２を参照すると、本発明の一実施形態において、データ伝送の別のフローチャートは以下のとおりである。
【０１１９】
段階２００：競合リソースグループ内の第１の端末デバイスグループ内の端末デバイスが、基地局によって送信された第１の制御シグナリングを受信する。ここで、第１の制御シグナリングは、第１の時間領域リソース上でデータを伝送するよう第１の端末デバイスグループをスケジューリングするために使用され、競合リソースグループ内の任意の端末デバイスグループ内の任意の異なる２つの端末デバイスの復調基準信号ＤＭＲＳは異なり、第１の時間領域リソースは、少なくとも１つの第２の時間領域リソースを含み、第２の時間領域リソースは、端末デバイスによって伝送されたデータを基地局が受信するときに使用される時間領域単位である。
【０１２０】
段階２１０：端末デバイスが、第１の制御シグナリングにしたがって、第１の時間領域リソースの全てのまたはいくつかの第２の時間領域リソース上でデータを伝送する。本発明のこの実施形態において、第１の制御シグナリングは、端末デバイスグループをスケジューリングするために使用される。したがって、第１の制御シグナリングはさらに、第１の端末デバイスグループの第１のグループ識別子を保持する。このやり方でのみ、当該制御シグナリングを受信する端末デバイスは、当該端末デバイスが属する端末デバイスグループをスケジューリングするために当該制御シグナリングが使用されるかどうかを判断できる。
【０１２１】
例えば、競合リソースグループは、端末デバイス１、端末デバイス２、...、端末デバイス１０という１０個の端末デバイスを備え、競合リソースグループは、端末デバイスグループ１および端末デバイスグループ２という２つの端末デバイスグループに分割される。端末デバイスグループ１は、端末デバイス１、端末デバイス２、端末デバイス３、端末デバイス４、および端末デバイス５を有し、端末デバイスグループ２は、端末デバイス６、端末デバイス７、端末デバイス８、端末デバイス９、および端末デバイス１０を有する。第１の制御シグナリングは、端末デバイスグループ１をスケジューリングするために使用される。したがって、第１の制御シグナリングは、端末デバイスグループ１の第１のグループ識別子を保持する。このやり方で、第１の制御シグナリングを受信した後、端末デバイスグループ１内の各端末は、端末デバイスグループ１がスケジューリングされるべきかどうかを、第１の制御シグナリングにおける第１のグループ識別子にしたがって判断できる。
【０１２２】
本発明のこの実施形態において、制御シグナリングにおけるｎビットが、グループ識別子を示すために使用されてよい。ｎが１の場合、競合リソースグループは、最大２つの端末デバイスグループを備えてよく、ｎが２の場合、競合リソースグループは最大４つの端末デバイスグループを備えてよく、あとは類推によって推定されよう。実際の適用要件と、端末デバイスグループ指示ビットフィールドの利用効率とを考慮すると、任意選択で、ｎの値の範囲は［１，３］であってよい。図１Ｂに示すように、ｎの値は２であり、示された端末デバイスグループは、端末デバイスグループ２のグループ識別子である。
【０１２３】
ＬＴＥシステムでは、１つの制御シグナリングは、１つの端末デバイスグループの１つのアップリンク伝送のみをスケジューリングするために使用され得る。しかしながら、大規模接続のシナリオにおいては、このスケジューリング方式は、リソースオーバヘッドが過度に高いという欠点を有する。したがって、本発明のこの実施形態において、制御シグナリングは特定の実効時間を有する。すなわち、実効時間内において、スケジューリングされた端末デバイスは、制御シグナリングのスケジューリングに従う。したがって、本発明のこの実施形態において、リソース利用率を向上させ、シグナリングオーバヘッドを低減するべく、第１の構成情報はさらに、第１の周期情報と、第３の時間領域リソースを示すために使用される第１の指示情報とを含み、第１の周期情報は、第１の制御シグナリングによって示されるようなスケジューリングを可能にする時間領域リソースの第１の周期長であり、第３の時間領域リソースは、第１の制御シグナリングによって示されるようなスケジューリングを可能にする時間領域リソースの第１の周期の数であり、第３の時間領域リソースは、第１の時間領域リソースを含む。
【０１２４】
この場合、第１の時間領域リソースの全てのまたはいくつかの第２の時間領域リソース上で第１の端末デバイスグループによって伝送されたデータを、第１の制御シグナリングにしたがって基地局が受信する動作の後、第１の端末デバイスグループによって伝送されたデータを、第１の時間領域リソース以外の第３の時間領域リソースにおける時間領域リソース上で、第１の周期情報にしたがって基地局が受信する動作がさらに含まれる。
【０１２５】
これにより、リソース利用率を向上させ、シグナリングオーバヘッドを低減できる。
【０１２６】
例えば、競合リソースグループは、端末デバイス１、端末デバイス２、...、端末デバイス１０という１０個の端末デバイスを備え、競合リソースグループは、端末デバイスグループ１および端末デバイスグループ２という２つの端末デバイスグループに分割される。端末デバイスグループ１は、端末デバイス１、端末デバイス２、端末デバイス３、端末デバイス４、および端末デバイス５を有し、端末デバイスグループ２は、端末デバイス６、端末デバイス７、端末デバイス８、端末デバイス９、および端末デバイス１０を有する。第１の制御シグナリングは、端末デバイスグループ１をスケジューリングするために使用され、第１の周期情報は、１０個のサブフレームを含み、第１の時間領域リソースは、サブフレーム１、サブフレーム２、サブフレーム３、サブフレーム５、およびサブフレーム１０を含み、第３の時間領域リソースは、３つの第１の周期、すなわち、３０個のサブフレームを含む。端末デバイスグループ１内の各端末デバイスは、第１番目の第１の周期（すなわち、サブフレーム１からサブフレーム１０）におけるサブフレーム１、サブフレーム２、サブフレーム３、サブフレーム５、およびサブフレーム１０においてデータを伝送し、次に、第２番目の第１の周期における１０個のサブフレーム（すなわち、サブフレーム１からサブフレーム１０）のうちのサブフレーム１、サブフレーム２、サブフレーム３、サブフレーム５、およびサブフレーム１０においてデータを伝送し、次に、第３番目の第１の周期における１０個のサブフレーム（すなわち、サブフレーム１からサブフレーム１０）のうちのサブフレーム１、サブフレーム２、サブフレーム３、サブフレーム５、およびサブフレーム１０においてデータを伝送してよい。このやり方で、基地局は、１０個のサブフレームごとに一回第１の制御シグナリングを送信する必要はなく、３つの第１の周期において一回第１の制御シグナリングを送信するだけでよく、それによって、シグナリングオーバヘッドを低減し、リソース利用率を向上させる。
【０１２７】
第１の時間領域リソースは、連続であっても、不連続であってもよいことに留意されたい。例えば、第１の時間領域リソースは、サブフレーム１からサブフレーム５を含んでよく、または、サブフレーム１、サブフレーム３、サブフレーム５、サブフレーム７、およびサブフレーム９を含んでよい。
【０１２８】
例えば、第１の制御シグナリングの９ビットは、第１の周期に含まれる時間領域リソースによって占有されるビットである。１個のサブフレームが第１の端末デバイスグループによって使用され得るかどうかを示すために１ビットが使用され、第１の制御シグナリングにおける９ビットは、各第１の周期における９個のサブフレームが第１の端末デバイスグループによって使用され得るかどうかを示してよい。ビットがセットされていることは、対応するサブフレームが第１の端末デバイスグループによって使用され得ることを示し、ビットがリセットされていることは、対応するサブフレームが、第１の端末デバイスグループによって使用され得ないことを示す。
【０１２９】
この実施形態の上述の説明において、第１の周期に含まれる時間領域リソースが９ビットを占有することは、９個のサブフレームが第１の端末デバイスグループによって使用され得るかどうかを示してよい。もちろん、実際の適用では、９より少ない数のサブフレームが第１の端末デバイスグループによって使用され得るかどうかが代替的に示されてよい。例えば、第１の周期に含まれる時間領域リソースが８ビット、７ビット、または６ビットを占有することは、８個のサブフレーム、７個のサブフレーム、または６個のサブフレームが第１の端末デバイスグループによって使用され得るかどうかを示してよい。ここではさらなる詳細は説明しない。
【０１３０】
本発明のこの実施形態において、第１の構成情報は、ＰＤＣＣＨ  ｆｏｒｍａｔ  ０フォーマットのＮＤＩフィールド、ＴＰＣコマンドフィールド、ＣＳ  ｆｏｒ  ＤＭＲＳおよびＯＣＣフィールド、またはＭＣＳ＆ＲＶフィールドのうちの少なくとも１つを使用して、第１のグループ識別子および／または第１の指示情報を示す。
【０１３１】
その上、第１の構成情報はさらに、ＰＤＣＣＨ  ｆｏｒｍａｔ  ０フォーマットのキャリア指示フィールド、ｆｏｒｍａｔ  ０／１ａ指示フィールド、周波数ホッピング指示フィールド、リソース指示および周波数ホッピングリソース割り当てフィールド、アップリンクインデックス、またはＣＳＩ要求フィールドのうちの少なくとも１つを含む。これらのフィールドは、これらの元の機能を保持できる。
【０１３２】
グループスケジューリングベースアップリンク競合伝送解決手段において、伝送効率は、１つの端末デバイスグループ内の端末デバイスの間のマッチング度に関連する。端末デバイスグループ内の端末デバイスの間のより高いマッチング度は、端末デバイスのより高い伝送効率を示す。したがって、本発明のこの実施形態において、基地局は、端末デバイスによって送信されたＳＲＳにしたがって端末デバイスを再グループ化し、比較的高いマッチング度を有する端末デバイスを１つの端末デバイスグループに分類してよい。したがって、本発明のこの実施形態において、端末デバイスが、基地局によって送信された第３の制御シグナリングを受信し、第３の制御シグナリングにしたがって基地局にＳＲＳを送信する動作がさらに含まれる。
【０１３３】
伝送効率を向上させ、より高いデータ量を有する端末デバイスグループにより多くの伝送機会を得させ、より低いデータ量を有する端末デバイスグループにより少ない伝送機会を得させるべく、本発明のこの実施形態において、端末デバイスが、基地局によって送信された第４の制御シグナリングを受信し、第４の制御シグナリングにしたがって基地局にＢＳＲを送信する動作がさらに含まれる。
【０１３４】
本発明のこの実施形態において、基地局は、異なるＣＢ−ＲＮＴＩを使用することによって異なる制御シグナリングをスクランブリングして、異なる競合リソースグループに対応する制御シグナリングを区別する。ＣＢ−ＲＮＴＩは、競合リソースグループに一対一対応する。したがって、第１の制御シグナリングは、競合リソースグループに対応する競合ベース無線ネットワーク一時識別子ＣＢ−ＲＮＴＩを使用することによってスクランブリングされる。
【０１３５】
第１の端末デバイスグループ内の端末デバイスが、基地局によって送信された第１の制御シグナリングを受信した後、かつ第１の制御シグナリングにしたがってデータを伝送する前に、端末デバイスが、格納されたＣＢ−ＲＮＴＩを使用することによって第１の制御シグナリングをデコードし、デコードに成功する動作がさらに含まれる。
【０１３６】
本発明のこの実施形態において、端末デバイスの初期のアクセスフェーズでは、基地局は、端末デバイスのサービスタイプにしたがって、初期の競合リソースグループを端末デバイスに割り当てる。すなわち、基地局は、端末デバイスによって使用され得る競合リソースを、端末デバイスのサービスタイプにしたがって判断する。
【０１３７】
本発明のこの実施形態において、任意選択で、基地局は、ＤＭＲＳに基づいて端末デバイスを識別してよい。端末デバイス識別の成功率を上げるべく、伝送に同一の時間周波数リソースを使用する端末デバイスのＤＭＲＳの間の直交性が確保される必要がある。マルチパス効果を回避するべく、１つの端末デバイスグループに含まれる端末デバイスの数は、８より少ないか、またはそれに等しい。
【０１３８】
第２の時間領域リソースは、ＬＴＥシステムにおける基本時間領域単位、すなわち、サブフレームであってよく、またはもちろん、別の形式であってよいことに留意されたい。ここではさらなる詳細は説明しない。
【０１３９】
図３Ａを参照すると、本発明の一実施形態が基地局を提供する。基地局は、送信ユニット３０および受信ユニット３１を備える。
【０１４０】
送信ユニット３０は、第１の制御シグナリングを送信するよう構成される。ここで、第１の制御シグナリングは、第１の時間領域リソース上でデータを伝送するよう競合リソースグループ内の第１の端末デバイスグループをスケジューリングするために使用され、競合リソースグループ内の任意の端末デバイスグループ内の任意の異なる２つの端末デバイスの復調基準信号ＤＭＲＳは異なり、第１の時間領域リソースは、少なくとも１つの第２の時間領域リソースを含み、第２の時間領域リソースは、端末デバイスによって伝送されたデータを基地局が受信するときに使用される時間領域単位である。
【０１４１】
受信ユニット３１は、第１の時間領域リソースの全てのまたはいくつかの第２の時間領域リソース上で第１の端末デバイスグループによって伝送されたデータを、第１の制御シグナリングにしたがって受信するよう構成される。
【０１４２】
任意選択で、第１の制御シグナリングは、第１の端末デバイスグループの第１のグループ識別子を保持する。また、送信ユニット３０はさらに、第１の端末デバイスグループ内の各端末デバイスに第１の構成情報を送信するよう構成される。ここで、第１の構成情報は、第１のグループ識別子を含む。
【０１４３】
任意選択で、第１の構成情報はさらに、第１の周期情報と、第３の時間領域リソースを示すために使用される第１の指示情報とを含み、第１の周期情報は、第１の制御シグナリングによって示されるようなスケジューリングを可能にする時間領域リソースの第１の周期長であり、第３の時間領域リソースは、第１の制御シグナリングによって示されるようなスケジューリングを可能にする時間領域リソースの第１の周期の数であり、第３の時間領域リソースは、第１の時間領域リソースを含む。
【０１４４】
その上、受信ユニット３１はさらに、第１の端末デバイスグループによって伝送されたデータを、第１の時間領域リソース以外の第３の時間領域リソースにおける時間領域リソース上で、第１の周期情報にしたがって受信するよう構成される。
【０１４５】
任意選択で、第１の構成情報は、物理ダウンリンク制御チャネルＰＤＣＣＨ  ｆｏｒｍａｔ  ０フォーマットの新規データ指示ＮＤＩフィールド、送信電力制御ＴＰＣコマンドｃｏｍｍａｎｄフィールド、復調基準信号用巡回シフト（ＣＳ  ｆｏｒ  ＤＭＲＳ）および直交カバーコードＯＣＣフィールド、または、変調および符号化スキームＭＣＳ＆冗長バージョンＲＶフィールドのうちの少なくとも１つを使用して、第１のグループ識別子および／または第１の指示情報を示す。
【０１４６】
その上、第１の構成情報はさらに、ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む。
【０１４７】
その上、送信ユニット３０はさらに、第２の制御シグナリングを送信するよう構成される。ここで、第２の制御シグナリングは、第４の時間領域リソース上でデータを伝送するよう競合リソースグループ内の第２の端末デバイスグループをスケジューリングするために使用され、第１の時間領域リソースは、第４の時間領域リソースとは異なり、第４の時間領域リソースは、少なくとも１つの第２の時間領域リソースを含む。また、受信ユニット３１はさらに、第４の時間領域リソースの全てのまたはいくつかの第２の時間領域リソース上で第２の端末デバイスグループによって伝送されたデータを、第２の制御シグナリングにしたがって受信するよう構成される。
【０１４８】
任意選択で、第２の制御シグナリングは、第２の端末デバイスグループの第２のグループ識別子を保持する。また、送信ユニット３０はさらに、第２の端末デバイスグループ内の各端末デバイスに第２の構成情報を送信するよう構成される。ここで、第２の構成情報は、第２のグループ識別子を含む。
【０１４９】
その上、第２の構成情報はさらに、第２の周期情報と、第５の時間領域リソースを示すために使用される第２の指示情報とを含み、第２の周期情報は、第２の制御シグナリングによって示されるようなスケジューリングを可能にする時間領域リソースの第２の周期長であり、第５の時間領域リソースは、第２の制御シグナリングによって示されるようなスケジューリングを可能にする時間領域リソースの第２の周期の数であり、第５の時間領域リソースは、第４の時間領域リソースを含む。
【０１５０】
その上、受信ユニット３１はさらに、第２の端末デバイスグループによって伝送されたデータを、第４の時間領域リソース以外の第５の時間領域リソースにおける時間領域リソース上で、第２の周期情報にしたがって受信するよう構成される。
【０１５１】
任意選択で、第２の構成情報は、ＰＤＣＣＨ  ｆｏｒｍａｔ  ０フォーマットのＮＤＩフィールド、ＴＰＣコマンドフィールド、ＣＳ  ｆｏｒ  ＤＭＲＳおよびＯＣＣフィールド、またはＭＣＳ＆ＲＶフィールドのうちの少なくとも１つを使用して、第２のグループ識別子および／または第２の指示情報を示す。
【０１５２】
その上、第２の構成情報はさらに、ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む。
【０１５３】
任意選択で、第１の制御シグナリングと第２の制御シグナリングとが同一の時間領域リソース上で送信されたとき、第３の時間領域リソースは第５の時間領域リソースと同一であり、第３の時間領域リソースは、第１の端末デバイスグループによって使用され得る時間領域リソースであり、第３の時間領域リソースは、第１の時間領域リソースを含む。
【０１５４】
その上、送信ユニット３０はさらに、競合リソースグループ内の全ての端末デバイスに第３の制御シグナリングを送信するよう構成され、第３の制御シグナリングは、サウンディング基準信号ＳＲＳを送信するよう全ての端末デバイスに命令するために使用され、受信ユニット３１はさらに、全ての端末デバイスの各々によって送信されたＳＲＳを受信するよう構成され、基地局はさらに、受信されたＳＲＳにしたがって、対応する端末デバイスのチャネル状態情報ＣＳＩを算出し、全ての端末デバイスにそれぞれ対応するＣＳＩにしたがって、競合リソースグループ内の端末デバイスを再グループ化するよう構成される処理ユニット３２を備える。
【０１５５】
その上、送信ユニット３０はさらに、競合リソースグループ内の全ての端末デバイスに第４の制御シグナリングを送信するよう構成され、第４の制御シグナリングは、バッファステータス報告ＢＳＲを送信するよう全ての端末デバイスに命令するために使用され、受信ユニット３１はさらに、全ての端末デバイスによって送信されたＢＳＲを受信するよう構成され、基地局はさらに、全ての端末デバイスによってそれぞれ送信されたＢＳＲにしたがって競合リソースグループ内の端末デバイスを再グループ化するよう構成される処理ユニット３２を備える。
【０１５６】
その上、基地局はさらに、過去の負荷統計にしたがって競合リソースグループ内の端末デバイスを再グループ化するよう構成される処理ユニット３２を備える。
【０１５７】
任意選択で、第１の制御シグナリングおよび第２の制御シグナリングの両方は、競合リソースグループに対応する競合ベース無線ネットワーク一時識別子ＣＢ−ＲＮＴＩを使用することによってスクランブリングされる。
【０１５８】
図３Ｂを参照すると、本発明の一実施形態が基地局を提供する。基地局は、送信機３００および受信機３１０を備える。
【０１５９】
送信機３００は、第１の制御シグナリングを送信するよう構成される。ここで、第１の制御シグナリングは、第１の時間領域リソース上でデータを伝送するよう競合リソースグループ内の第１の端末デバイスグループをスケジューリングするために使用され、競合リソースグループ内の任意の端末デバイスグループ内の任意の異なる２つの端末デバイスの復調基準信号ＤＭＲＳは異なり、第１の時間領域リソースは、少なくとも１つの第２の時間領域リソースを含み、第２の時間領域リソースは、端末デバイスによって伝送されたデータを基地局が受信するときに使用される時間領域単位である。
【０１６０】
受信機３１０は、第１の時間領域リソースの全てのまたはいくつかの第２の時間領域リソース上で第１の端末デバイスグループによって伝送されたデータを、第１の制御シグナリングにしたがって受信するよう構成される。
【０１６１】
送信機３００はさらに、図３Ａの送信ユニット３０によって行われる他の動作を行ってよく、受信機３１０はさらに、図３Ａの受信ユニット３１によって行われる他の動作を行ってよく、基地局はさらに、図３Ａの処理ユニット３２によって行われる動作を行うよう構成されるプロセッサ３２０を備えることに留意されたい。
【０１６２】
図４Ａを参照すると、本発明の一実施形態が端末デバイスを提供する。端末デバイスは、受信ユニット４０および送信ユニット４１を備える。
【０１６３】
受信ユニット４０は、基地局によって送信された第１の制御シグナリングを受信するよう構成される。ここで、第１の制御シグナリングは、第１の時間領域リソース上でデータを伝送するよう第１の端末デバイスグループをスケジューリングするために使用され、競合リソースグループ内の任意の端末デバイスグループ内の任意の異なる２つの端末デバイスの復調基準信号ＤＭＲＳは異なり、第１の時間領域リソースは、少なくとも１つの第２の時間領域リソースを含み、第２の時間領域リソースは、端末デバイスによって伝送されたデータを基地局が受信するときに使用される時間領域単位である。
【０１６４】
送信ユニット４１は、第１の制御シグナリングにしたがって、第１の時間領域リソースの全てのまたはいくつかの第２の時間領域リソース上でデータを伝送するよう構成される。
【０１６５】
任意選択で、第１の制御シグナリングは、第１の端末デバイスグループの第１のグループ識別子を保持し、受信ユニット４０はさらに、基地局によって送信された第１の構成情報を受信するよう構成され、端末デバイスはさらに、第１の端末デバイスグループのグループ識別子が第１のグループ識別子であると、第１の構成情報にしたがって判断するよう構成される処理ユニット４２であって、第１の構成情報は、第１のグループ識別子を含む、処理ユニット４２を備える。
【０１６６】
その上、端末デバイスはさらに、第１のグループ識別子が、端末デバイスが属する端末デバイスグループのグループ識別子であると判断するよう構成される処理ユニット４２を備える。
【０１６７】
その上、第１の構成情報はさらに、第１の周期情報と、第３の時間領域リソースを示すために使用される第１の指示情報とを含み、第１の周期情報は、第１の制御シグナリングによって示されるようなスケジューリングを可能にする時間領域リソースの第１の周期長であり、第３の時間領域リソースは、第１の制御シグナリングによって示されるようなスケジューリングを可能にする時間領域リソースの第１の周期の数であり、第３の時間領域リソースは、第１の時間領域リソースを含む。
【０１６８】
その上、送信ユニット４１はさらに、第１の時間領域リソース以外の第３の時間領域リソースにおける時間領域リソース上で、第１の周期情報にしたがってデータを送信するよう構成される。
【０１６９】
任意選択で、第１の構成情報は、物理ダウンリンク制御チャネルＰＤＣＣＨ  ｆｏｒｍａｔ  ０フォーマットの新規データ指示ＮＤＩフィールド、送信電力制御ＴＰＣコマンドｃｏｍｍａｎｄフィールド、復調基準信号用巡回シフト（ＣＳ  ｆｏｒ  ＤＭＲＳ）および直交カバーコードＯＣＣフィールド、または、変調および符号化スキームＭＣＳ＆冗長バージョンＲＶフィールドのうちの少なくとも１つを使用して、第１のグループ識別子および／または第１の指示情報を示す。
【０１７０】
その上、第１の構成情報はさらに、ＰＤＣＣＨ  ｆｏｒｍａｔ  ０フォーマットのキャリア指示、ｆｏｒｍａｔ  ０／１ａ指示、周波数ホッピング指示、リソース指示および周波数ホッピングリソース割り当て、アップリンクインデックス、またはＣＳＩ要求のうちの少なくとも１つを含む。
【０１７１】
その上、受信ユニット４０はさらに、基地局によって送信された第３の制御シグナリングを受信するよう構成され、送信ユニット４１はさらに、第３の制御シグナリングにしたがって、基地局にサウンディング基準信号ＳＲＳを送信するよう構成される。
【０１７２】
その上、受信ユニット４０はさらに、基地局によって送信された第４の制御シグナリングを受信するよう構成され、送信ユニット４１はさらに、第４の制御シグナリングにしたがって、基地局にバッファステータス報告ＢＳＲを送信するよう構成される。
【０１７３】
任意選択で、第１の制御シグナリングは、競合リソースグループに対応する競合ベース無線ネットワーク一時識別子ＣＢ−ＲＮＴＩを使用することによってスクランブリングされ、端末デバイスはさらに、格納されたＣＢ−ＲＮＴＩを使用することによって第１の制御シグナリングをデコードし、デコードに成功するよう構成される処理ユニット４２を備える。
【０１７４】
図４Ｂを参照すると、本発明の一実施形態が端末デバイスを提供する。端末デバイスは、受信機４００および送信機４１０を備える。
【０１７５】
受信機４００は、基地局によって送信された第１の制御シグナリングを受信するよう構成される。ここで、第１の制御シグナリングは、第１の時間領域リソース上でデータを伝送するよう第１の端末デバイスグループをスケジューリングするために使用され、競合リソースグループ内の任意の端末デバイスグループ内の任意の異なる２つの端末デバイスの復調基準信号ＤＭＲＳは異なり、第１の時間領域リソースは、少なくとも１つの第２の時間領域リソースを含み、第２の時間領域リソースは、端末デバイスによって伝送されたデータを基地局が受信するときに使用される時間領域単位である。
【０１７６】
送信機４１０は、第１の制御シグナリングにしたがって、第１の時間領域リソースの全てのまたはいくつかの第２の時間領域リソース上でデータを伝送するよう構成される。
【０１７７】
受信機４００はさらに、図４Ａの受信ユニット４０によって行われる他の動作を行ってよく、送信機４１０はさらに、図４Ａの送信ユニット４１によって行われる他の動作を行ってよく、端末デバイスはさらに、図４Ａの処理ユニット４２によって行われる動作を行うよう構成されるプロセッサ４２０を備えることに留意されたい。
【０１７８】
当業者であれば、本発明の実施形態が、方法、システム、またはコンピュータプログラム製品として提供され得ることを理解しよう。したがって、本発明は、ハードウェアのみの実施形態、ソフトウェアのみの実施形態、またはソフトウェアとハードウェアとの組み合わせを用いた実施形態の形式を使用してよい。その上、本発明は、コンピュータ利用可能プログラムコードを含む（限定されないが、ディスクメモリ、ＣＤ−ＲＯＭ、および光メモリ等を含む）１または複数のコンピュータ利用可能記憶媒体において実装されるコンピュータプログラム製品の形式を使用してよい。
【０１７９】
本発明は、本発明の実施形態に係る方法、デバイス（システム）、およびコンピュータプログラム製品のフローチャートおよび／またはブロック図に関連して説明されている。コンピュータプログラム命令は、フローチャートおよび／またはブロック図の各プロセスおよび／または各ブロックと、フローチャートおよび／またはブロック図のプロセスおよび／またはブロックの組み合わせとを実装するために使用されてよいことを理解されたい。これらのコンピュータプログラム命令は、マシンを生成するべく、汎用コンピュータ、専用コンピュータ、組み込みプロセッサ、または任意の他のプログラム可能なデータ処理デバイスのプロセッサに提供されてよく、これにより、コンピュータ、または任意の他のプログラム可能なデータ処理デバイスのプロセッサによって実行される命令は、フローチャートの１または複数のプロセス、および／またはブロック図の１または複数のブロックにおける特定の機能を実装するための装置を生成する。
【０１８０】
これらのコンピュータプログラム命令は、特定の方式で作動するようコンピュータまたは任意の他のプログラム可能なデータ処理デバイスに命令できるコンピュータ可読メモリに格納されてよく、これにより、コンピュータ可読メモリに格納された命令は、命令装置を含むアーチファクトを生成する。命令装置は、フローチャートの１または複数のプロセス、および／またはブロック図の１または複数のブロックにおける特定の機能を実装する。
【０１８１】
これらのコンピュータプログラム命令は、コンピュータ、または別のプログラム可能なデータ処理デバイスにロードされてよく、これにより、一連の動作および段階がコンピュータまたは別のプログラム可能なデバイスにおいて行われ、それによって、コンピュータ実装処理を生成する。したがって、コンピュータまたは別のプログラム可能なデバイスにおいて実行される命令は、フローチャートの１または複数のプロセス、および／またはブロック図の１または複数のブロックにおける特定の機能を実装するための段階を提供する。
【０１８２】
本発明のいくつかの好適な実施形態が説明されてきたが、当業者であれば、一度基本的な発明の概念を習得すれば、これらの実施形態に変更および修正を加えることができる。したがって、以下の特許請求の範囲は、好適な実施形態と、本発明の範囲に含まれる全ての変更および修正とを網羅するものとして解釈されることが意図されている。
【０１８３】
当業者であれば、本発明の実施形態の主旨および範囲から逸脱することなく、本発明の実施形態に様々な修正および変形を加え得ることは明らかである。本発明は、これらの修正および変形が以下の特許請求の範囲とその均等技術によって定義される保護範囲内に含まれるならば、当該修正および変形を網羅することが意図される。
【国際調査報告】
2019500783.tif 000011
2019500783.tif 000012
2019500783.tif 000013
2019500783.tif 000014